(57)【要約】マルチサブバンドベースの送信の方法、デバイスおよびシステムが開示される。無線送受信ユニット（ＷＴＲＵ）で使用する方法は、拡張物理ダウンリンク制御チャネル（ＥＰＤＣＣＨ）を含むサブバンドについて複数のサブバンドをモニタすることであって、複数のサブバンドの各サブバンドは、システム帯域幅における周波数リソースのサブセットから構成される、ことと、複数のサブバンドのうちの対応するサブバンド内にＥＰＤＣＣＨが含まれているかどうかに基づき、複数のサブバンドのそれぞれがＣＳＩフィードバック用のチャネル状態情報（ＣＳＩ）ダウンリンクサブバンド（ＣＳＩ−サブバンド）であるかどうかを判定することを含む。対応するＥＰＤＣＣＨが含まれている複数のサブバンドのうちの少なくとも２つのサブバンドが、ＣＳＩフィードバック用のＣＳＩサブバンドとして決定される。
2018512013.tif 000002
【特許請求の範囲】
【請求項１】
無線送受信ユニット（ＷＴＲＵ）で使用するための方法であって、
拡張物理ダウンリンク制御チャネル（ＥＰＤＣＣＨ）を含むサブバンドについて複数のサブバンドを前記ＷＴＲＵによってモニタすることであって、前記複数のサブバンドの各サブバンドは、システム帯域幅における周波数リソースのサブセットから構成される、ことと、
前記複数のサブバンドのうちの対応するサブバンド内にＥＰＤＣＣＨが含まれているかどうかに基づき、前記複数のサブバンドのそれぞれがチャネル状態情報（ＣＳＩ）フィードバックのためのＣＳＩダウンリンクサブバンド（ＣＳＩ−サブバンド）であるかどうかを前記ＷＴＲＵによって判定することであって、対応するＥＰＤＣＣＨが含まれている前記複数のサブバンドのうちの少なくとも２つのサブバンドが、ＣＳＩフィードバック用のＣＳＩサブバンドとして決定される、ことと
を含む方法。
【請求項２】
各ＣＳＩサブバンドに対する前記対応するＥＰＤＣＣＨは、狭帯域拡張物理ダウンリンク制御チャネルユーザ機器固有探索空間（ＮＢ−ＥＰＤＣＣＨ  ＵＳＳ）または狭帯域拡張物理ダウンリンク制御チャネル共通探索空間（ＮＢ−ＥＰＤＣＣＨ  ＣＳＳ）の一方である、請求項１の方法。
【請求項３】
ＣＳＩ−サブバンドの数は、前記ＷＴＲＵに対して構成された前記複数のサブバンドの数より少ない、請求項１の方法。
【請求項４】
前記決定されたＣＳＩ−サブバンドのそれぞれについて前記ＣＳＩフィードバックを前記ＷＴＲＵによって報告することをさらに含む、請求項１の方法。
【請求項５】
前記ＣＳＩフィードバックは、対応するＣＳＩ−サブバンドに対するサービス品質（ＱｏＳ）クラス識別子（ＣＱＩ）値を含む、請求項４の方法。
【請求項６】
前記決定されたＣＳＩ−サブバンドのそれぞれについてダウンリンク（ＤＬ）サブバンドインデックスを前記ＷＴＲＵによって決定することと、
少なくとも１つの決定されたＤＬサブバンドインデックスに対する前記ＣＳＩフィードバックを前記ＷＴＲＵによって報告することと
をさらに含む、請求項１の方法。
【請求項７】
前記ＣＳＩフィードバックを報告することは、報告される前記少なくとも１つの決定されたＤＬサブバンドインデックスに対する前記ＤＬサブバンドインデックスと、サービス品質（ＱｏＳ）クラス識別子（ＣＱＩ）値とを報告することを含む、請求項６の方法。
【請求項８】
前記少なくとも１つの決定されたＤＬサブバンドインデックスに対する前記ＣＳＩフィードバックを報告することは、前記少なくとも１つの決定されたＤＬサブバンドインデックスに対する前記ＣＳＩフィードバックを一度に１つ報告することを含む、請求項６の方法。
【請求項９】
ＣＳＩフィードバック報告のために前記決定されたＣＳＩ−サブバンドのうちの１つを前記ＷＴＲＵによって選択することと、
前記決定されたＣＳＩ−サブバンドのうちの前記選択された１つに対する前記ＣＳＩフィードバックを前記ＷＴＲＵによって報告することと
をさらに含む、請求項１の方法。
【請求項１０】
ＣＳＩフィードバック報告のために前記決定されたＣＳＩ−サブバンドのうちの１つを選択することは、各決定されたＣＳＩ−サブバンドに対して対応するＤＬ−サブバンドインデックスに基づき、前記ＣＳＩサブバンドの中で最良のＣＳＩ−サブバンドを選択することを含む、請求項９の方法。
【請求項１１】
前記決定されたＣＳＩ−サブバンドのそれぞれに対するダウンリンク（ＤＬ）サブバンドインデックスに基づいて、ＣＳＩフィードバック報告に対する前記決定されたＣＳＩ−サブバンドのうちの１つを前記ＷＴＲＵによって選択することと、
前記決定されたＣＳＩ−サブバンドのうちの前記選択された１つに対する前記ＣＳＩフィードバックを前記ＷＴＲＵによって報告することと
をさらに含む、請求項１の方法。
【請求項１２】
前記決定されたＣＳＩ−サブバンドのうちの前記選択された１つに対する前記ＣＳＩフィードバックを報告することは、前記決定されたＣＳＩ−サブバンドのうちの前記選択された１つに対するＤＬサブバンドインデックスと、サービス品質（ＱｏＳ）クラス識別子（ＣＱＩ）値とを報告することを含む、請求項１１の方法。
【請求項１３】
無線送受信ユニット（ＷＴＲＵ）であって、
拡張物理ダウンリンク制御チャネル（ＥＰＤＣＣＨ）を含むサブバンドについて複数のサブバンドをモニタするように構成された受信機および少なくとも１つのプロセッサであって、前記複数のサブバンドの各サブバンドは、システム帯域幅における周波数リソースのサブセットから構成される、受信機および少なくとも１つのプロセッサを備え、
前記少なくとも１つのプロセッサは、前記複数のサブバンドのうちの対応するサブバンド内にＥＰＤＣＣＨが含まれているかどうかに基づき、前記複数のサブバンドのそれぞれがチャネル状態情報（ＣＳＩ）フィードバックのためのＣＳＩダウンリンクサブバンド（ＣＳＩ−サブバンド）であるかどうかを判定するように構成され、
前記少なくとも１つのプロセッサが、対応するＥＰＤＣＣＨが含まれている前記複数のサブバンドのうちの少なくとも２つのサブバンドをＣＳＩフィードバック用のＣＳＩ−サブバンドとして決定するように構成される、無線送受信ユニット（ＷＴＲＵ）。
【請求項１４】
各ＣＳＩサブバンドに対する前記対応するＥＰＤＣＣＨは、狭帯域拡張物理ダウンリンク制御チャネルユーザ機器固有探索空間（ＮＢ−ＥＰＤＣＣＨ  ＵＳＳ）または狭帯域拡張物理ダウンリンク制御チャネル共通探索空間（ＮＢ−ＥＰＤＣＣＨ  ＣＳＳ）の一方である、請求項１３のＷＴＲＵ。
【請求項１５】
ＣＳＩ−サブバンドの数は、前記ＷＴＲＵに対して構成された前記複数のサブバンドの数より少ない、請求項１３のＷＴＲＵ。
【請求項１６】
前記決定されたＣＳＩ−サブバンドのそれぞれについて前記ＣＳＩフィードバックを報告するように構成された送信機をさらに備える、請求項１３のＷＴＲＵ。
【請求項１７】
前記ＣＳＩフィードバックは、対応するＣＳＩ−サブバンドに対するサービス品質（ＱｏＳ）クラス識別子（ＣＱＩ）値を含む、請求項１６のＷＴＲＵ。
【請求項１８】
前記少なくとも１つのプロセッサは、前記決定されたＣＳＩ−サブバンドのそれぞれについてダウンリンク（ＤＬ）サブバンドインデックスを決定するように構成され、
前記ＷＴＲＵは、少なくとも１つの決定されたＤＬサブバンドインデックスに対する前記ＣＳＩフィードバックを報告するように構成された送信機をさらに備える、請求項１３のＷＴＲＵ。
【請求項１９】
前記ＣＳＩフィードバックは、報告される前記少なくとも１つの決定されたＤＬサブバンドインデックスに対する前記ＤＬサブバンドインデックスと、サービス品質（ＱｏＳ）クラス識別子（ＣＱＩ）値とを含む、請求項１８のＷＴＲＵ。
【請求項２０】
前記送信機は、前記少なくとも１つの決定されたＤＬサブバンドインデックスに対する前記ＣＳＩフィードバックを一度に１つ報告するように構成される、請求項１８のＷＴＲＵ。
【請求項２１】
前記少なくとも１つのプロセッサは、ＣＳＩフィードバック報告のために前記決定されたＣＳＩ−サブバンドのうちの１つを選択するように構成され、
前記ＷＴＲＵは、前記決定されたＣＳＩ−サブバンドのうちの前記選択された１つに対する前記ＣＳＩフィードバックを報告するように構成された送信機をさらに備える、請求項１３のＷＴＲＵ。
【請求項２２】
前記少なくとも１つのプロセッサは、各決定されたＣＳＩサブバンドに対して対応するＤＬサブバンドインデックスに基づき、ＣＳＩフィードバック報告のために前記決定されたＣＳＩ−サブバンドのうちの前記選択された１つとして、前記ＣＳＩサブバンドの中の最良のＣＳＩ−サブバンドを選択するように構成される、請求項２１のＷＴＲＵ。
【請求項２３】
前記少なくとも１つのプロセッサは、前記決定されたＣＳＩ−サブバンドのそれぞれに対するダウンリンク（ＤＬ）サブバンドインデックスに基づき、ＣＳＩフィードバック報告を行うために前記決定されたＣＳＩ−サブバンドのうちの１つを選択するように構成され、
前記ＷＴＲＵは、前記決定されたＣＳＩ−サブバンドのうちの前記選択された１つに対して前記ＣＳＩフィードバックを報告するように構成された送信機をさらに備える、
請求項１３のＷＴＲＵ。
【請求項２４】
前記決定されたＣＳＩ−サブバンドのうちの前記選択された１つに対する前記ＣＳＩフィードバックは、前記決定されたＣＳＩ−サブバンドのうちの前記選択された１つに対する前記ＤＬサブバンドインデックスと、サービス品質（ＱｏＳ）クラス識別子（ＣＱＩ）値とを含む、請求項２３のＷＴＲＵ。
【発明の詳細な説明】
【技術分野】
【０００１】
関連出願の相互参照
本出願は、その内容が参照により本明細書に組み込まれている、2015年4月8日に出願された米国特許仮出願第62/144,830号明細書、および2015年5月13日に出願された米国特許仮出願第62/161,045号明細書の利益を主張する。
【背景技術】
【０００２】
カバレッジが拡張される無線送受信ユニット（ＷＴＲＵ）とは、カバレッジ拡張を必要とする可能性のあるＷＴＲＵ、またはカバレッジ拡張（ＣＥ）技法を使用できる、もしくはＣＥモードをサポートできるＷＴＲＵとすることができる。ＣＥを使用しない動作モードは、通常モード動作と呼ばれることがある。
【０００３】
ＣＥを行うために、ダウンリンクチャネルまたはアップリンクチャネルの反復を使用することができる。１つまたは複数のＣＥレベルを使用することができ、またＣＥレベルは、特定の反復数に対応することができる。低いＣＥレベルは、より少ない反復数を使用し、また高いＣＥレベルは、より多くの反復数を使用することができる。
【０００４】
低減された帯域幅（ＢＷ）のＷＴＲＵとは、ＷＴＲＵが通信できるｅＮｏｄｅＢまたはセルのＢＷには依存しないダウンリンク（ＤＬ）および／もしくはアップリンク（ＵＬ）において、特定の制限されたＢＷ（例えば、無線周波数（ＲＦ）ＢＷ）、または特定の制限された数のリソースブロック（ＲＢ）をサポートできる（またはサポートできるに過ぎない）ＷＴＲＵとすることができる。例えば、制限されたＢＷのＷＴＲＵは、送信および／または受信のために、特定数のＲＢ（例えば、６ＲＢ）、または特定量のＢＷ（例えば、１．４メガヘルツ（ＭＨｚ））をサポートすることができる（またはサポートできるに過ぎない）。このようなＷＴＲＵは、ＢＷがより大きくなり得る（例えば、２０ＭＨｚまたは１００ＲＢの）ｅＮｏｄｅＢまたはセルと通信することができる。このＷＴＲＵは、セルの完全なＢＷの一部において動作するために特別な手順を使用する、または必要とし得る。セルの完全なＢＷをサポートできるＷＴＲＵは、完全なＢＷのＷＴＲＵと呼ばれることがある。ＢＷは、いくつかのＲＢおよび／または帯域の中心など帯域内の位置を含むことができる。
【発明の概要】
【０００５】
マルチサブバンドベース送信の方法、デバイス、およびシステムが、本明細書で開示される。
【０００６】
例えば、ＷＴＲＵで使用するための方法は、拡張物理ダウンリンク制御チャネル（ＥＰＤＣＣＨ）を含むサブバンドについて複数のサブバンドをモニタすることであって、複数のサブバンドの各サブバンドは、システム帯域幅における周波数リソースのサブセットから構成される、ことと、複数のサブバンドのうちの対応するサブバンド内にＥＰＤＣＣＨが含まれているかどうかに基づき、複数のサブバンドのそれぞれが、チャネル状態情報（ＣＳＩ）フィードバックのためのＣＳＩダウンリンクサブバンド（ＣＳＩサブバンド）であるかどうかを判定することを含む。対応するＥＰＤＣＣＨが含まれている複数のサブバンドのうちの少なくとも２つのサブバンドは、ＣＳＩフィードバック用のＣＳＩサブバンドとして決定される。
【０００７】
他の例では、ＷＴＲＵは、拡張物理ダウンリンク制御チャネル（ＥＰＤＣＣＨ）を含むサブバンドについて複数のサブバンドをモニタするように構成された受信機および少なくとも１つのプロセッサを含み、複数のサブバンドの各サブバンドは、システム帯域幅における周波数リソースのサブセットから構成される。少なくとも１つのプロセッサは、複数のサブバンドのうちの対応するサブバンド内にＥＰＤＣＣＨが含まれているかどうかに基づき、複数のサブバンドのそれぞれがチャネル状態情報（ＣＳＩ）フィードバックのためのＣＳＩダウンリンクサブバンド（ＣＳＩサブバンド）であるかどうかを判定するように構成される。複数のサブバンドの少なくとも２つのサブバンドは、それに含まれている対応するＥＰＤＣＣＨに基づき、ＣＳＩフィードバックに対するＣＳＩサブバンドとして決定される。
【図面の簡単な説明】
【０００８】
より詳細な理解は、添付図面と共に例として示された以下の記述から得られよう。
【図１Ａ】１つまたは複数の開示される実施形態が実施され得る例示的な通信システムのシステム図である。
【図１Ｂ】図１Ａで示された通信システム内で使用され得る例示的な無線送受信ユニット（ＷＴＲＵ）のシステム図である。
【図１Ｃ】図１Ａで示された通信システム内で使用され得る例示的な無線アクセスネットワークおよび例示的なコアネットワークのシステム図である。
【図２】コンテンションベースのランダムアクセス（ＲＡ）手順の例の図である。
【図３】低減された帯域幅（ＢＷ）のＷＴＲＵをサポートするシステムにおける複数のダウンリンク（ＤＬ）サブバンド（Ｄ−サブバンド）構成の例の図である。
【図４】低減されたＢＷのＷＴＲＵをサポートするシステムにおける複数のＵ−サブバンド構成の例の図である。
【図５】使用される物理ランダムアクセスチャネル（ＰＲＡＣＨ）リソースに基づくＤ−サブバンドマッピングの例の図である。
【図６】ＷＴＲＵ−ＩＤに基づくＤ−サブバンドマッピングの例の図である。
【図７】使用されるＰＲＡＣＨリソースに基づく複数のＤ−サブバンドマッピングの例の図である。
【図８】複数のＤ−サブバンドを備えた狭帯域拡張物理ダウンリンク制御チャネル（ＮＢ−ＥＰＤＣＣＨ）ユーザ機器（ＵＥ）固有探索空間（ＵＳＳ）／共通探索空間（ＣＳＳ）構成の例の図である。
【図９】プライマリおよびセカンダリＤＬ制御サブバンド（ＤＣ−サブバンド）に対する論理ＤＬサブバンド（ＬＤ−サブバンド）および物理ＤＬサブバンド（ＰＤ−サブバンド）マッピングの例の図である。
【図１０】複数のサブバンドとの例示的なサブフレーム内関連付けの図である。
【図１１】ダウンリンク制御情報（ＤＣＩ）からのクロスサブフレームスケジューリング指示の例の図である。
【図１２】第２のサブフレームのＤ−サブバンド周波数位置によるオフセットｋの例の図である。
【図１３】複数のＷＴＲＵに対する第２のサブフレームのＤ−サブバンド周波数位置によるオフセットｋの例の図である。
【図１４】クロスサブフレーム関連付けを用いるＷＴＲＵ受信挙動の例の図である。
【図１５】ＮＢ−ＥＰＤＣＣＨ  ＵＳＳおよびＣＳＳに対するＤ−サブバンド構成の例の図である。
【図１６】Ｄ−サブバンドとアップリンク（ＵＬ）サブバンド（Ｕ−サブバンド）のリンクの例の図である。
【図１７】ＷＴＲＵ特有のアップリンクデータサブバンド（ＵＤ−サブバンド）を備えた共通のアップリンク制御サブバンド（ＵＣ−サブバンド）構成の例の図である。
【図１８】特定のアップリンクチャネルに対する複数のＵＣ−サブバンド構成、および複数のＤＣサブバンドとの関連付けの例の図である。
【図１９】チャネル状態情報（ＣＳＩ）サブバンドとアップリンクサブバンドとのリンク構成の例の図である。
【図２０】物理アップリンク制御チャネル（ＰＵＣＣＨ）に対する物理リソースブロックへの例示的なマッピングの図である。
【発明を実施するための形態】
【０００９】
図１Ａは、１つまたは複数の開示される実施形態が実施され得る例示的な通信システム１００の図である。通信システム１００は、複数の無線ユーザに、音声、データ、ビデオ、メッセージング、番組などのコンテンツを提供する多元接続システムとすることができる。通信システム１００は、複数の無線ユーザが、無線帯域幅を含むシステムリソースを共用することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）など、１つまたは複数のチャネルアクセス法を使用することができる。
【００１０】
図１Ａで示すように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０および他のネットワーク１１２を含むことができるが、開示される実施形態は、任意の数のＷＴＲＵ、基地局、ネットワークおよび／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例えば、ＷＴＲＵ１０２ａ、１０２ｂ、１０２ｃ、１０２ｄは、無線信号を送信および／または受信するように構成することができ、かつユーザ機器（ＵＥ）、移動局、固定または移動加入者ユニット、ページャ、セルラ式電話、携帯情報端末（ＰＤＡ）、スマートフォン、ラップトップ、ネットブック、パーソナルコンピュータ、無線センサ、家庭用電子機器などを含むことができる。本明細書では、ＷＴＲＵは、無線通信デバイスと呼ばれることもある。
【００１１】
通信システム１００はまた、基地局１１４ａおよび基地局１１４ｂを含むことができる。基地局１１４ａ、１１４ｂのそれぞれは、コアネットワーク１０６、インターネット１１０および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスとすることができる。例えば、基地局１１４ａ、１１４ｂは、送受信機基地局（ＢＴＳ）、ノードＢ、ｅＮｏｄｅＢ、ホームノードＢ、ホームｅＮｏｄｅＢ、サイトコントローラ、アクセスポイント（ＡＰ）、無線ルータなどとすることができる。本明細書では、基地局は無線通信デバイスと呼ぶこともできる。本明細書では、ＡＰも無線通信デバイスと呼ぶこともできる。基地局１１４ａ、１１４ｂが、それぞれ単一の要素として示されているが、基地局１１４ａ、１１４ｂは、任意の数の相互に接続された基地局、および／またはネットワーク要素を含み得ることが理解されよう。
【００１２】
基地局１１４ａは、ＲＡＮ１０４の一部とすることができ、ＲＡＮ１０４はまた、基地局制御装置（ＢＳＣ）、無線ネットワーク制御装置（ＲＮＣ）、中継ノードなど、他の基地局および／またはネットワーク要素（図示せず）を含むこともできる。基地局１１４ａおよび／または基地局１１４ｂは、セル（図示せず）と呼び得る特定の地理的領域内で、無線信号を送信および／または受信するように構成することができる。セルは、セルセクタへとさらに分割することができる。例えば、基地局１１４ａに関連付けられたセルは、３つのセクタに分割することができる。従って、一実施形態では、基地局１１４ａは、３つの送受信機、すなわち、セルの各セクタに対して１つの送受信機を含むことができる。他の実施形態では、基地局１１４ａは、多入力多出力（ＭＩＭＯ）技術を使用することができ、従って、セルの各セクタに対して複数の送受信機を使用することができる。
【００１３】
基地局１１４ａ、１１４ｂは、無線インターフェース１１６を介してＷＴＲＵ１０２ａ、１０２ｂ、１０２ｃ、１０２ｄの１つまたは複数のものと通信することができ、無線インターフェース１１６は、任意の適切な無線通信リンクとすることができる（例えば、無線周波数（ＲＦ）、マイクロ波、赤外線（ＩＲ）、紫外線（ＵＶ）、可視光など）。無線インターフェース１１６は、任意の適切な無線アクセス技術（ＲＡＴ）を用いて確立され得る。
【００１４】
より具体的には、上述したように、通信システム１００は、多元接続システムとすることができ、またＣＤＭＡ、ＴＤＭＡ、ＦＤＭＡ、ＯＦＤＭＡ、ＳＣ−ＦＤＭＡなど、１つまたは複数のチャネルアクセス方式を使用することができる。例えば、ＲＡＮ１０４における基地局１１４ａ、およびＷＴＲＵ１０２ａ、１０２ｂ、１０２ｃは、広帯域ＣＤＭＡ（ＷＣＤＭＡ（登録商標））を用いて無線インターフェース１１６を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）、および／または高速アップリンクパケットアクセス（ＨＳＵＰＡ）を含むことができる。
【００１５】
他の実施形態では、基地局１１４ａおよびＷＴＲＵ１０２ａ、１０２ｂ、１０２ｃは、ロングタームエボリューション（ＬＴＥ）、および／またはＬＴＥアドバンスト（ＬＴＥ−Ａ）を用いて無線インターフェース１１６を確立できる進化型ＵＭＴＳ地上無線アクセス（Ｅ−ＵＴＲＡ）などの無線技術を実施することができる。
【００１６】
他の実施形態では、基地局１１４ａおよびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、暫定基準２０００（ＩＳ−２０００）、暫定基準９５（ＩＳ−９５）、暫定基準８５６（ＩＳ−８５６）、ＧＳＭ（登録商標）（Global System for Mobile Communications）、ＥＤＧＥ（Enhanced Data Rates for GSM Evolution）、ＧＳＭ  ＥＤＧＥ（ＧＥＲＡＮ）などの無線技術を実施することができる。
【００１７】
図１Ａにおける基地局１１４ｂは、例えば、無線ルータ、ホームノードＢ、ホームｅＮｏｄｅＢまたはアクセスポイントとすることができ、また職場、家庭、車両、キャンパスなど、局所化されたエリアにおいて、無線接続を容易にする任意の適切なＲＡＴを使用することができる。一実施形態では、基地局１１４ｂおよびＷＴＲＵ１０２ｃ、１０２ｄは、ＩＥＥＥ８０２．１１などの無線技術を実施して、無線ローカルエリアネットワーク（ＷＬＡＮ）を確立することができる。他の実施形態では、基地局１１４ｂおよびＷＴＲＵ１０２ｃ、１０２ｄは、ＩＥＥＥ８０２．１５などの無線技術を実施して、無線パーソナルエリアネットワーク（ＷＰＡＮ）を確立することができる。他の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を使用して、ピコセルまたはフェムトセルを確立することができる。図１Ａで示すように、基地局１１４ｂは、インターネット１１０への直接接続を有することができる。従って、基地局１１４ｂは、コアネットワーク１０６を介してインターネット１１０にアクセスする必要はない。
【００１８】
ＲＡＮ１０４は、コアネットワーク１０６と通信することができ、コアネットワーク１０６は、ＷＴＲＵ１０２ａ、１０２ｂ、１０２ｃ、１０２ｄの１つまたは複数のものに、音声、データ、アプリケーション、および／またはＶｏＩＰ（Voice over Internet Protocol）サービスを提供するように構成された任意のタイプのネットワークとすることができる。例えば、コアネットワーク１０６は、呼制御、課金サービス、モバイル位置情報サービス、プリペイド通話、インターネット接続、ビデオ配信などを提供し、かつ／またはユーザ認証など、高水準のセキュリティ機能を実施することができる。図１Ａには示されていないが、ＲＡＮ１０４および／またはコアネットワーク１０６は、ＲＡＮ１０４と同じＲＡＴ、または異なるＲＡＴを使用する他のＲＡＮと直接または間接的に通信できることが理解されよう。例えば、Ｅ−ＵＴＲＡ無線技術を使用しているＲＡＮ１０４に接続されるのに加えて、コアネットワーク１０６はまた、ＧＳＭ無線技術を使用する別のＲＡＮ（図示せず）と通信することもできる。
【００１９】
コアネットワーク１０６はまた、ＷＴＲＵ１０２ａ、１０２ｂ、１０２ｃ、１０２ｄがＰＳＴＮ１０８、インターネット１１０および／または他のネットワーク１１２にアクセスするためのゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群におけるＴＣＰ、ＵＤＰおよびＩＰなどの共通の通信プロトコルを使用する相互接続されたコンピュータネットワークおよびデバイスのグローバルシステムを含むことができる。ネットワーク１１２は、他のサービスプロバイダにより所有される、かつ／または運用される有線もしくは無線通信ネットワークを含むことができる。例えば、ネットワーク１１２は、ＲＡＮ１０４と同じＲＡＴ、または異なるＲＡＴを使用できる１つまたは複数のＲＡＮに接続された別のコアネットワークを含むことができる。
【００２０】
通信システム１００におけるＷＴＲＵ１０２ａ、１０２ｂ、１０２ｃ、１０２ｄのいくつか、または全ては、多重モード機能を含むことができる、すなわち、ＷＴＲＵ１０２ａ、１０２ｂ、１０２ｃ、１０２ｄは、様々な無線リンクを介して、様々な無線ネットワークと通信するための複数の送受信機を含むことができる。例えば、図１Ａで示されるＷＴＲＵ１０２Ｃは、セルラベースの無線技術を使用できる基地局１１４ａと、またＩＥＥＥ８０２無線技術を使用できる基地局１１４ｂと通信するように構成することができる。
【００２１】
図１Ｂは、例示的なＷＴＲＵ１０２のシステム図である。図１Ｂで示されるように、ＷＴＲＵ１０２は、プロセッサ１１８、送受信機１２０、送受信素子１２２，スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６および他の周辺装置１３８を含むことができる。ＷＴＲＵ１０２は、実施形態との一貫性を維持しながら、前述の要素の何らかのサブコンビネーションを含み得ることが理解されよう。
【００２２】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連付けられた１つまたは複数のマイクロプロセッサ、コントローラ、マイクロコントローラ、ＡＳＩＣ、ＦＰＧＡ回路、任意の他のタイプの集積回路（ＩＣ）、状態マシンなどとすることができる。プロセッサ１１８は、信号の符号化、データ処理、電力制御、入出力処理、および／またはＷＴＲＵ１０２が無線環境で動作できるようにする任意の他の機能を実施することができる。プロセッサ１１８は送受信機１２０に結合することができ、送受信機１２０は、送受信素子１２２に結合することができる。図１Ｂは、プロセッサ１１８と送受信機１２０を別々の構成要素として示しているが、プロセッサ１１８および送受信機１２０は、電子パッケージまたはチップにおいて共に一体化され得ることが理解されよう。
【００２３】
送受信素子１２２は、無線インターフェース１１６を介して基地局（例えば、基地局１１４ａ）に信号を送信する、またはそこから信号を受信するように構成することができる。例えば、一実施形態では、送受信素子１２２は、ＲＦ信号を送信および／または受信するように構成されたアンテナとすることができる。他の実施形態では、送受信素子１２２は、例えば、ＩＲ、ＵＶまたは可視光信号を送信および／または受信するように構成された放射器／検出器とすることができる。他の実施形態では、送受信素子１２２は、ＲＦ信号と光信号を共に送信および受信するように構成され得る。送受信素子１２２は、無線信号の任意の組合せを送信および／または受信するように構成できることが理解されよう。
【００２４】
また、送受信素子１２２が、図１Ｂでは単一の素子として示されているが、ＷＴＲＵ１０２は、任意の数の送受信素子１２２を含むことができる。より具体的には、ＷＴＲＵ１０２は、ＭＩＭＯ技術を使用することができる。従って、一実施形態では、ＷＴＲＵ１０２は、無線インターフェース１１６を介して無線信号を送信および受信するための２つ以上の送受信素子１２２（例えば、複数のアンテナ）を含むことができる。
【００２５】
送受信機１２０は、送受信素子１２２により送信される信号を変調し、かつ送受信素子１２２により受信される信号を復調するように構成することができる。上述したように、ＷＴＲＵ１０２は、多重モード機能を有することができる。従って、送受信機１２０は、ＷＴＲＵ１０２が、例えば、ＵＴＲＡおよびＩＥＥＥ８０２．１１などの複数のＲＡＴを介して通信できるようにするために、複数の送受信機を含むことができる。
【００２６】
ＷＴＲＵ１０２のプロセッサ１１８は、スピーカ／マイクロフォン１２４、キーパッド１２６および／またはディスプレイ／タッチパッド１２８（例えば、液晶表示装置（ＬＣＤ）ディスプレイユニット、または有機発光ダイオード（ＯＬＥＤ）ディスプレイユニットなど）に結合され、かつそこからユーザ入力データを受け取ることができる。プロセッサ１１８はまた、スピーカ／マイクロフォン１２４、キーパッド１２６および／またはディスプレイ／タッチパッド１２８にユーザデータを出力することもできる。プロセッサ１１８は、非リムーバブルメモリ１３０および／またはリムーバブルメモリ１３２など、任意のタイプの適切なメモリからの情報にアクセスし、かつそれにデータを記憶することができる。非リムーバブルメモリ１３０は、ＲＡＭ、ＲＯＭ、ハードディスクまたは任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態では、プロセッサ１１８は、サーバもしくはホームコンピュータ（図示せず）上など、ＷＴＲＵ１０２に物理的に位置していないメモリからの情報にアクセスし、かつデータをメモリに記憶することができる。
【００２７】
プロセッサ１１８は、電源１３４から電力を受け取ることができ、かつその電力を、ＷＴＲＵ１０２における他の構成要素に配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２８】
プロセッサ１１８はまた、ＧＰＳチップセット１３６に結合することができ、ＧＰＳチップセット１３６は、ＷＴＲＵ１０２の現在位置に関する位置情報（例えば、経度および緯度）を提供するように構成することができる。ＧＰＳチップセット１３６からの情報に加えて、またはそれに代えて、ＷＴＲＵ１０２は、基地局（例えば、基地局１１４ａ、１１４ｂ）から、無線インターフェース１１６を介して位置情報を受信し、かつ／または２つ以上の近傍の基地局から受信された信号のタイミングに基づき、その位置を決定することができる。ＷＴＲＵ１０２は、実施形態との一貫性を維持しながら、任意の適切な位置決定法により、位置情報を取得できることが理解されよう。
【００２９】
プロセッサ１１８は、他の周辺装置１３８にさらに結合することができ、他の周辺装置１３８は、さらなる特徴、機能および／または有線もしくは無線接続を提供する１つまたは複数のソフトウェア、および／またはハードウェアモジュールを含むことができる。例えば、周辺装置１３８は、加速度計、電子コンパス、衛星送受信機、デジタルカメラ（写真またはビデオ用）、ＵＳＢポート、振動デバイス、テレビジョン送受信機、ハンズフリーヘッドセット、Ｂｌｕｅｔｏｏｔｈ（登録商標）モジュール、周波数変調された（ＦＭ）無線装置、デジタル音楽プレーヤ、メディアプレーヤ、ビデオゲームプレーヤモジュール、インターネットブラウザなどを含むことができる。
【００３０】
図１Ｃは、実施形態によるＲＡＮ１０４およびコアネットワーク１０６のシステム図である。上述したように、ＲＡＮ１０４は、無線インターフェース１１６を介して、ＷＴＲＵ１０２ａ、１０２ｂ、１０２ｃと通信するためにＥ−ＵＴＲＡ無線技術を使用することができる。ＲＡＮ１０４はまた、コアネットワーク１０６と通信することもできる。
【００３１】
ＲＡＮ１０４は、ｅＮｏｄｅＢ１４０ａ、１４０ｂ、１４０ｃを含むことができるが、ＲＡＮ１０４は、実施形態との一貫性を維持しながら、任意の数のｅＮｏｄｅＢを含み得ることが理解されよう。ｅＮｏｄｅＢ１４０ａ、１４０ｂ、１４０ｃはそれぞれ、無線インターフェース１１６を介してＷＴＲＵ１０２ａ、１０２ｂ、１０２ｃと通信するために、１つまたは複数の送受信機を含むことができる。一実施形態では、ｅＮｏｄｅＢ１４０ａ、１４０ｂ、１４０ｃは、ＭＩＭＯ技術を実施することができる。従って、例えば、ｅＮｏｄｅＢ１４０ａは、複数のアンテナを使用して、ＷＴＲＵ１０２ａに無線信号を送信し、かつそこから無線信号を受信することができる。
【００３２】
ｅＮｏｄｅＢ１４０ａ、１４０ｂ、１４０ｃのそれぞれは、特定のセル（図示せず）に関連付けることができ、また無線リソース管理決定、ハンドオーバ決定、アップリンクおよび／またはダウンリンクにおけるユーザのスケジューリングなどを処理するように構成され得る。図１Ｃで示されるように、ｅＮｏｄｅＢ１４０ａ、１４０ｂ、１４０ｃは、Ｘ２インターフェースを介して互いに通信することができる。
【００３３】
図１Ｃで示されたコアネットワーク１０６は、モビリティ管理エンティティゲートウェイ（ＭＭＥ）１４２、サービングゲートウェイ１４４およびパケットデータネットワーク（ＰＤＮ）ゲートウェイ１４６を含むことができる。前述の要素のそれぞれは、コアネットワーク１０６の一部として示されているが、これらの要素のいずれのものも、コアネットワーク運営者とは異なるエンティティにより所有され、かつ／または運用され得ることが理解されよう。
【００３４】
ＭＭＥ１４２は、Ｓ１インターフェースを介してＲＡＮ１０４におけるｅＮｏｄｅＢ１４０ａ、１４０ｂ、１４０ｃのそれぞれに接続され、かつ制御ノードとして働くことができる。例えば、ＭＭＥ１４２は、ＷＴＲＵ１０２ａ、１０２ｂ、１０２ｃのユーザを認証すること、ベアラの活動化／非活動化、ＷＴＲＵ１０２ａ、１０２ｂ、１０２ｃの初期のアタッチ中に特定のサービングゲートウェイを選択すること、などを扱うことができる。ＭＭＥ１４２はまた、ＲＡＮ１０４と、ＧＳＭまたはＷＣＤＭＡなどの他の無線技術を使用する他のＲＡＮ（図示せず）との間を切り替えるための制御プレーン機能を提供することができる。
【００３５】
サービングゲートウェイ１４４は、Ｓ１インターフェースを介して、ＲＡＮ１０４におけるｅＮｏｄｅＢ１４０ａ、１４０ｂ、１４０ｃのそれぞれに接続することができる。サービングゲートウェイ１４４は、概して、ＷＴＲＵ１０２ａ、１０２ｂ、１０２ｃとの間でユーザデータパケットを経路指定し、かつ転送することができる。サービングゲートウェイ１４４はまた、ｅＮｏｄｅＢ間のハンドオーバ中にユーザプレーンをアンカリングすること、ダウンリンクデータがＷＴＲＵ１０２ａ、１０２ｂ、１０２ｃに利用可能であるとき、ページングをトリガすること、ＷＴＲＵ１０２ａ、１０２ｂ、１０２ｃのコンテキストを管理し、かつ記憶すること、などの他の機能を実施することができる。
【００３６】
サービングゲートウェイ１４４はまた、ＰＤＮゲートウェイ１４６に接続することができ、ＰＤＮゲートウェイ１４６は、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することができる。
【００３７】
コアネットワーク１０６は、他のネットワークとの通信を容易にし得る。例えば、コアネットワーク１０６は、ＰＳＴＮ１０８などの回線交換網へのアクセスをＷＴＲＵ１０２ａ、１０２ｂ、１０２ｃに提供して、ＷＴＲＵ１０２ａ、１０２ｂ、１０２ｃと、従来の陸線通信デバイスとの間の通信を容易にすることができる。例えば、コアネットワーク１０６は、コアネットワーク１０６と、ＰＳＴＮ１０８との間のインターフェースとして働くＩＰゲートウェイ（例えば、ＩＰマルチメディアサブシステム（ＩＭＳ）サーバ）を含む、またはそれと通信することができる。さらにコアネットワーク１０６は、他のサービスプロバイダにより所有される、かつ／または運用される他の有線もしくは無線ネットワークを含むことのできるネットワーク１１２へのアクセスを、ＷＴＲＵ１０２ａ、１０２ｂ、１０２ｃに提供することができる。
【００３８】
本明細書では、カバレッジが制限されたＷＴＲＵ、カバレッジが拡張されたＷＴＲＵ、拡張されたカバレッジを有するＷＴＲＵ、拡張されたカバレッジモードを動作させるＷＴＲＵ、拡張されたカバレッジモードを用いるＷＴＲＵ、カバレッジ拡張（ＣＥ）モードを用いるＷＴＲＵ、およびカバレッジが拡張された動作モードのＷＴＲＵという用語は、相互に交換可能に使用することができる。通常モードの動作、および非カバレッジ拡張動作モードという用語は、相互に交換可能に使用することができる。本明細書では、低減された帯域幅（ＢＷ）、制限されたＢＷ、およびＢＷが制限された（BW limited）という用語は、相互に交換可能に使用することができる。さらに本明細書では、ＷＴＲＵ、ＢＷが制限されたＷＴＲＵ、制限された機能を有するＷＴＲＵ、低コストＷＴＲＵ、低コストのマシンタイプ通信（ＬＣ−ＭＴＣ）、制限されたＢＷ機能を有するＷＴＲＵ、および低減されたＢＷのＷＴＲＵは、相互に交換可能に使用することができる。さらにレガシーＷＴＲＵ、レガシーＬＴＥ  ＷＴＲＵ、および制限された機能のないＷＴＲＵは、本明細書で相互に交換可能に使用することができる。
【００３９】
本明細書では、ｅＮｏｄｅＢおよびセルという用語は、相互に交換可能に使用することができる。またコンポーネントキャリア（ＣＣ）およびサービングセルという用語は、相互に交換可能に使用することができる。さらに、ＷＴＲＵ、ＷＴＲＵ媒体アクセス制御（ＭＡＣ）エンティティ、およびＭＡＣエンティティという用語は、相互に交換可能に使用することができる。また、ランダムアクセスチャネル（ＲＡＣＨ）リソース、および物理ランダムアクセスチャネル（ＰＲＡＣＨ）リソースという用語は、相互に交換可能に使用することができる。
【００４０】
本明細書では、ＤＬサブバンド、Ｄ−サブバンド、ｄ−サブバンドおよびＤＬ−サブバンドという用語は、相互に交換可能に使用することができる。ＵＬサブバンド、Ｕ−サブバンドおよびＵＬ−サブバンドという用語は、相互に交換可能に使用することができる。
【００４１】
ＷＴＲＵは、複数のサブバンドに関するリソース情報を含む構成を受け取ることができ、サブバンドは、ダウンリンク（ＤＬ）サブバンド（Ｄ−サブバンド）、アップリンク（ＵＬ）サブバンド（Ｕ−サブバンド）、またはその両方とすることができる。ＷＴＲＵは、物理的なセル識別子（ＩＤ）、マルチキャスト同報通信単一周波数ネットワーク（ＭＢＳＦＮ）構成、およびＵＬに対するシステムＢＷを含む１つまたは複数のシステムパラメータに基づき、Ｄ−サブバンドおよび／またはＵ−サブバンドの数、並びに／またはサブフレームにおけるそれらの周波数位置を決定することができる。ＷＴＲＵは、カバレッジが拡張されたＷＴＲＵ、および／または低減された帯域幅（ＢＷ）のＷＴＲＵとすることができる。ＷＴＲＵはまた、１つまたは複数のＤ−サブバンドで、１つまたは複数の狭帯域拡張物理ダウンリンク制御チャネル（ＮＢ−ＥＰＤＣＣＨ）を受信することができる。ＮＢ−ＥＰＤＣＣＨは、ＮＢ−ＥＰＤＣＣＨユーザ機器（ＵＥ）固有探索空間（ＵＳＳ）、ＮＢ−ＥＰＤＣＣＨ共通の探索空間（ＣＳＳ）、またはその両方とすることができる。さらに、ＥＰＤＣＣＨ、およびマシンタイプ通信物理ダウンリンク制御チャネル（ＭＰＤＣＣＨ）という用語は、相互に交換可能に使用できることが理解されよう。
【００４２】
ＷＴＲＵは、チャネル状態情報（ＣＳＩ）フィードバックに対して複数のサブバンドを使用することができる。非周期的な、また周期的なＣＳＩ報告動作モードを使用することができる。関連するＤ−サブバンドおよび／またはＵサブバンドを決定することができる。ＣＳＩ測定および報告は、他の信号との衝突処理を含み、かつ信号の優先順位付けを含むことができる。
【００４３】
ＷＴＲＵは、複数のサブバンドを用いて、サウンディング参照信号（ＳＲＳ）を送信することができる。セル特有の、かつＷＴＲＵ特有のＳＲＳサブバンドおよび／またはサブフレームを構成することができる。Ｕサブバンドを、ＳＲＳ送信に対して決定することができる。さらに、ＳＲＳと他のアップリンク信号との間の衝突処理は、信号の優先順位付けを含むことができる。
【００４４】
低減されたＢＷのＷＴＲＵに対するＵＬおよびＤＬを含めて複数のサブバンド構成が、本明細書で開示される。さらにシステムおよび／またはＷＵＲＵパラメータに基づいて、サブフレームにおけるＤＬまたはＵＬサブバンドを決定した複数のサブバンド構成が、本明細書で開示される。
【００４５】
複数のサブバンドを備えるＤＬ制御チャネルがまた本明細書で開示される。例は、狭帯域拡張物理ダウンリンク制御チャネル（ＮＢ−ＥＰＤＣＣＨ）モニタリングに対する複数のダウンリンクサブバンド内のＤＬサブバンド決定を含む。複数のダウンリンクサブバンドを備えるユーザ機器固有探索空間（ＵＳＳ）、および共通の探索空間（ＣＳＳ）がまた、本明細書で開示される。さらに、複数のダウンリンクサブバンドを備える同じサブフレームにおけるＮＢ−ＥＰＤＣＣＨ  ＵＳＳおよびＣＳＳに対するＷＴＲＵモニタリング挙動が、本明細書で開示される。
【００４６】
複数のサブバンドを備えた制御チャネルとデータチャネルの間の関連付けもまた、本明細書で開示される。例は、構成された複数のサブバンドにわたり周波数ホッピングが使用される場合、ガードサブフレームの使用を含む。さらに、構成（例えば、システムパラメータおよび／またはＷＴＲＵ特有のパラメータ）に基づく、複数のダウンリンクサブバンドとアップリンクサブバンドの間のマッピングが、本明細書で開示される。さらにクロスサブフレーム関連付けを用いた肯定応答（ＡＣＫ）／否定応答（ＮＡＣＫ）リソース割り振りが、本明細書で開示される。また、例では、サブフレームの関連付けタイプを、ＮＢ−ＥＰＤＣＣＨ探索空間に応じて決定することができる。
【００４７】
ＷＴＲＵは、チャネル状態情報（ＣＳＩ）フィードバックに対して複数のサブバンドを使用することができる。非周期的な、また周期的なＣＳＩ報告動作モードを使用することができる。関連するＤ−サブバンドおよび／またはＵ−サブバンドを決定することができる。ＣＳＩ測定および報告は、他の信号との衝突処理を含み、かつ信号の優先順位付けを含むことができる。
【００４８】
ＷＴＲＵは、複数のサブバンドを用いて、サウンディング参照信号（ＳＲＳ）を送信することができる。セル特有の、かつＷＴＲＵ特有のＳＲＳサブバンドおよび／またはサブフレームを構成することができる。Ｕ−サブバンドを、ＳＲＳ送信に対して決定することができる。さらに、ＳＲＳと他のアップリンク信号との間の衝突処理は、信号の優先順位付けを含むことができる。
【００４９】
ＷＴＲＵは、少なくとも時には、完全なＢＷのＷＴＲＵのものと一貫性があり得る（例えば、少なくとも部分的に一貫性がある）方法で、通信し、挙動し、または動作することができ、また少なくとも時には（例えば、何らかの別のときに）、低減されたＢＷのＷＴＲＵのものと一貫性があり得る（例えば、少なくとも部分的に一貫性がある）方法で、通信し、挙動し、または動作することができる。例えば、セルの完全なＢＷをサポートできるＷＴＲＵは、カバレッジが制限されているとき、またはカバレッジ拡張（ＣＥ）モードで動作できるときなど、特定の時間に、低減されたＢＷのＷＴＲＵのものと一貫性があり得る（例えば、少なくとも部分的に一貫性がある）方法で、通信し、挙動し、または動作することができる。このＷＴＲＵなどのＷＴＲＵは、少なくとも時には、例えば、完全なＢＷのＷＴＲＵ、および／または低減されたＢＷのＷＴＲＵとすることができる、またはそのように見なすことができる。
【００５０】
ＷＴＲＵは、低減されたＢＷのＷＴＲＵと同様に（例えば、少なくとも部分的に同様に）挙動、または動作できる（またはそのようにする必要がある、もしくはそのように意図し得る）間は、低減されたＢＷのＷＴＲＵとすることができる、またはそのように見なすことができる。例えば、ＷＴＲＵが、低減されたＢＷのＷＴＲＵのものと一貫性があり得る（例えば、少なくとも部分的に一貫性がある）方法で、少なくとも時々、通信し、挙動し、または動作できる場合など、低減されたＢＷのＷＴＲＵのものと一貫性があり得る（例えば、少なくとも部分的に一貫性がある）方法で、通信し（例えば、ｅＮｏｄｅＢと）、挙動し、または動作できるＷＴＲＵは、低減されたＢＷのＷＴＲＵとすることができる、またはそうであると見なすことができる。
【００５１】
低減されたＢＷのＷＴＲＵに関して本明細書で開示される実施形態は、逆も同様であるが、カバレッジが制限されたＷＴＲＵに適用することができる。カバレッジが制限されたＷＴＲＵ、および低減されたＢＷのＷＴＲＵは、本明細書で述べられる実施形態が適用され得るＷＴＲＵの例である。これらのものは、非限定的な例である。いずれかの機能を、または低減された機能を任意の種類のＷＴＲＵに適用することは、なお本開示と一貫性を有することになる。
【００５２】
本明細書で開示される例では、物理ダウンリンク制御チャネル（ＰＤＣＣＨ）は、逆も同様であるが、拡張物理ダウンリンク制御チャネル（ＥＰＤＣＣＨ）により置き換えることができ、なお本開示と一貫性があり得る。さらに本明細書で開示される例では、ＷＴＲＵ、または特定のＷＴＲＵ（１つまたは複数）は、少なくともＷＴＲＵ、または少なくとも特定のＷＴＲＵ（１つまたは複数）により置き換えることができ、なお本開示と一貫性があり得る。さらに本明細書で開示される例では、「〜を対象とした」は、「〜を少なくとも対象とした」、または「少なくとも〜を対象とした」により置き換えることができ、なお本開示と一貫性があり得る。
【００５３】
例では、ＲＡＣＨ手順およびＰＲＡＣＨを使用することができる。ＬＴＥでは、ランダムアクセス（ＲＡ）手順は、以下の１つまたは複数のものなど、いくつかの状況で使用することができる。第１に、ランダムアクセス手順は、初期アクセスのために、または登録するためになど、無線リソース制御（ＲＲＣ）接続要求に対して使用することができる。第２に、ランダムアクセス手順は、無線リンク障害の後になど、ＲＲＣ接続の再確立のために使用することができる。第３に、ランダムアクセス手順は、ターゲットセルにアクセスするためのハンドオーバ中に使用することができる。第４に、ランダムアクセス手順は、ＵＬ同期が失われ、かつＤＬデータが届いたとき、または送るべきＵＬデータがあるときなど、ＵＬ同期を取得するために使用することができる。第５に、ランダムアクセス手順は、ＷＴＲＵが送るべきＵＬデータを有しており、かつ専用のリソースがないときに使用することができる（例えば、スケジューリング要求（ＳＲ）をＷＴＲＵが送ることを可能にする物理アップリンク制御チャネル（ＰＵＣＣＨ）リソースがＷＴＲＵに割り当てられていないなど）。第６に、ランダムアクセス手順は、ＷＴＲＵの位置決めにタイミングアドバンスが必要な場合など、位置決めのために使用することができる。
【００５４】
ＲＡ手順の２つの形態があり得る、すなわち、コンテンションベースのもの（共通のものと呼ぶこともできる）であり、それは、上記の最初の５つのイベントに適用することができ、また非コンテンションベースのもの（コンテンションフリー、または専用のものと呼ぶこともできる）であり、それは、ハンドオーバ、ＤＬデータ到着、および位置決めに適用することができる、または適用できるだけである。コンテンションベースのＲＡ手順を用いるとき、ＷＴＲＵは、同報通信されたシステム情報（ＳＩ）によるなど、ネットワークによりＷＴＲＵに伝達され得るプリアンブルの共通のプールからランダムに選択したＲＡプリアンブルを送信することによって、プロセスを開始することができる。ＷＴＲＵは、同報通信されたシステム情報によるなど、ネットワークによりＷＴＲＵに伝達され得る許可されたリソースのセットからＷＴＲＵが選択したＰＲＡＣＨリソース（例えば、時間および周波数のリソース）上でプリアンブルを送信することができる。この許可されたＰＲＡＣＨリソースのセットは、ＰＲＡＣＨリソースのセルの構成されたセットと呼ばれることがある。ＰＲＡＣＨリソースに関する時間の単位は、サブフレームとすることができる。ＷＴＲＵがＰＲＡＣＨリソースに対して選択したサブフレームは、ＷＴＲＵがＰＲＡＣＨを送信できるＰＲＡＣＨに対して構成された次のサブフレームとすることができる（例えば、タイミング、測定、および他のＷＴＲＵ制約に基づく）。ＷＴＲＵが、選択されたサブフレームで選択したＰＲＡＣＨリソース（例えば、リソースブロック（ＲＢ））の周波数側面は、同報通信されたシステム情報によるなど、ネットワークにより、ＷＴＲＵに伝達されたパラメータに基づくことができる。ある場合、例えば、周波数分割二重通信（ＦＤＤ）の場合では、任意のサブフレームにおいて、ＰＲＡＣＨに許可される１つの周波数リソースがあり得る。それは、例えば、ｐｒａｃｈ−ＦｒｅｑｕｅｎｃｙＯｆｆｓｅｔなど、ネットワークにより提供され得る開始（最も小さい）ＲＢ番号により定義することができ、６ＲＢなど、固定されたＢＷを有することができる。
【００５５】
コンテンションベースのランダムアクセス手順が使用される場合、ランダムアクセスに対して、少なくとも２つのＷＴＲＵが同じリソース（同じプリアンブルおよびＰＲＡＣＨリソース）を選択することが可能であり、従って、競合状態を解決する必要があり得る。非コンテンションベースのＲＡ手順を使用する場合、ＷＴＲＵは、例えば、ｒａ−ＰｒｅａｍｂｌｅＩｎｄｅｘなど、ネットワークによりＷＴＲＵに明示的に知らされるＲＡプリアンブルを送信することができる。ＷＴＲＵは、セルの構成されたＰＲＡＣＨリソースの特有のサブセットから選択したＰＲＡＣＨリソース上でプリアンブルを送信することができ、サブセット（例えば、マスク）は、例えば、ｒａ−ＰＲＡＣＨ−ＭａｓｋＩｎｄｅｘなど、ネットワークによりＷＴＲＵに明示的に知らせることができる。サブセットが１つの選択肢だけを含む場合では、ＷＴＲＵは、示されたリソースを使用することができる。
【００５６】
ＲＡ手順タイプの一方または両方に適用可能であり得るいくつかの例では、プリアンブル送信は、１つのサブフレーム以上に及ぶ、または１つのサブフレーム以上にわたって反復され得る。この場合、選択されたサブフレームは、送信するための開始サブフレームとすることができる。
【００５７】
図２は、コンテンションベースのＲＡ手順の例の図である。コンテンションベースのＲＡ手順は、いくつかの送信を含むことができ、それは、以下のように送信することができる。送信１において、ＷＴＲＵ２０１は、選択されたＰＲＡＣＨリソース上で、選択されたＲＡプリアンブルをネットワーク（例えば、ｅＮｏｄｅＢ２０２）に送信することができる。プリアンブルの送信後、ＷＴＲＵ２０１は、ＰＤＣＣＨを読み取り、かつプリアンブルを送信した第１のサブフレームに対応するランダムアクセス無線ネットワーク一時ＩＤ（ＲＡ−ＲＮＴＩ）を探す。応答モニタリングウィンドウで受信されていない場合、ＷＴＲＵは、おそらく何らかのバックオフ時間の後に、電力を増加させ、別のリソースを選択し、再度試みることができる。ＲＡ−ＲＮＴＩは、
ＲＡ−ＲＮＴＩ＝１＋ｔ＿ｉｄ＋１０×ｆ＿ｉｄ            式（１）
に従って決定することができる。
【００５８】
例では、ｔ＿ｉｄは、プリアンブル送信に使用されたＰＲＡＣＨの第１のサブフレームのインデックスとすることができ（例えば、０≦ｔ＿ｉｄ＜１０）、またｆ＿ｉｄは、周波数ドメインにおける昇順で、そのサブフレーム内のプリアンブル送信に使用されたＰＲＡＣＨのインデックスとすることができる（例えば、０≦ｆ＿ｉｄ＜６）。例えば、ＦＤＤに対して、サブフレームごとに１つの周波数リソースの場合、ｆ＿ｉｄは常に０になり得る。
【００５９】
送信２は、ランダムアクセス応答（ＲＡＲ）を含むことができる。例では、送信２を送ることは、端末の送信タイミングを調整するためのタイミングアドバンスコマンドをネットワーク（例えば、ｅＮｏｄｅＢ２０２）が送信することから構成することができる。ネットワークはまた、ＷＴＲＵ２０１に対してアップリンクリソースを割り振ることができ、どのＷＴＲＵグループに対して割り振り（例えば、スケジューリング許可）が行われたかを識別するために、ＲＡ−ＲＮＴＩを用いて、ダウンリンク制御チャネル（ＰＤＣＣＨ）上で応答を送ることができる。各グループ内で、ＲＡプリアンブル識別子（ＲＡＰＩＤ）を使用して、ＲＡ−ＲＮＴＩにより指定されたＷＴＲＵグループを、ランダムアクセス手順の送信１中に同じプリアンブルを使用したＷＴＲＵのサブセットへと、（例えば、ＭＡＣレベルで）さらに絞り込むことができる。ＲＡ応答は、ネットワークが検出し、応答がそれに対して有効なランダムアクセスプリアンブルシーケンスのインデックス、ランダムアクセスプリアンブル受信機により計算されたタイミング補正、スケジューリング許可、および一時的なセル識別（ＴＣ−ＲＮＴＩ）のうちの１つまたは複数のものを含むことができる。
【００６０】
送信３は、スケジュールされた送信を含むことができる。例では、ＷＴＲＵ２０１は、スケジューリング許可により示された割り振られたリソースを使用して、そのメッセージ（ＲＲＣ接続要求など）をネットワーク（例えば、ｅＮｏｄｅＢ２０２）に送信することができる。端末が、知られたセルに接続される場合（例えば、ＲＲＣ＿ＣＯＮＮＥＣＴＥＤ状態で）、端末は、アップリンクメッセージに含めることのできるセルＲＮＴＩ（Ｃ−ＲＮＴＩ）を有することができる。その他の場合、コアネットワーク端末識別子を使用することができる。アップリンク同期チャネル（ＵＬＳＣＨ）は、送信２で受信されたＴＣ−ＲＮＴＩを用いてＷＴＲＵ２０１によりスクランブルされ得る。送信３は、メッセージ３（Ｍｓｇ３）と呼ばれることがある。
【００６１】
送信４は、競合解決を含むことができる。例では、ネットワーク（例えば、ｅＮｏｄｅＢ２０２）は、ＰＤＣＣＨ上のＣ−ＲＮＴＩに基づき、または例えば、送信３において端末により送られたコアネットワーク端末識別子など、ＤＬ−ＳＣＨ上のＷＴＲＵ競合解決識別に基づき、ダウンリンクで競合解決メッセージを送ることができる。この送信で受信された識別と、送信３の一部として送信された識別との間にマッチを観測した端末だけが、ＲＡ手順が成功したと宣言することになる。同じＰＲＡＣＨ時間−周波数リソースと同じプリアンブルの両方を選択したＷＴＲＵ間の競合は、この送信によって解決することができる。
【００６２】
コンテンションベースのＲＡに関して、ＷＴＲＵ２０１は、ネットワーク（例えば、ｅＮｏｄｅＢ２０２）により提供されたパラメータからプリアンブルの共通のプールを導出することができる。これらのパラメータから、ＷＴＲＵ２０１は、例えば、６４プリアンブルなどの特定の数である、プリアンブルのフルセットを導出することができ、それは、１または複数乗根のＺａｄｏｆｆ−Ｃｈｕシーケンスに基づくことができる。使用する１つまたは複数のシーケンスを指定できるパラメータは、ｒｏｏｔＳｅｑｕｅｎｃｅＩｎｄｅｘとすることができる。ＷＴＲＵ２０１は、ＷＴＲＵにより使用できるプリアンブルのサブセット、およびこのサブセットをＡとＢの２つのグループなど、グループへと分割する方法を示すさらなるパラメータを受信することができる。例えば、ｎｕｍｂｅｒＯｆＲＡ−Ｐｒｅａｍｂｌｅｓは、プリアンブルのサブセットを定義することができる。最初のｓｉｚｅＯｆＲＡ−ＰｒｅａｍｂｌｅｓＧｒｏｕｐＡは、グループＡ（例えば、プリアンブル０からｓｉｚｅＯｆＲＡ−ＰｒｅａｍｂｌｅｓＧｒｏｕｐＡ−１）にあることができ、またサブセットにおける残りのプリアンブルは、いくつかあるとすれば（例えば、ｓｉｚｅＯｆＲＡ−ＰｒｅａｍｂｌｅｓＧｒｏｕｐＡからｎｕｍｂｅｒＯｆＲＡ−Ｐｒｅａｍｂｌｅｓ−１）グループＢにあることができる。グループＡのプリアンブルをいつ使用すべきかに対してグループＢのプリアンブルをいつ使用すべきかは、ＷＴＲＵ２０１が知ることができる。決定は、Ｍｓｇ３のサイズ、もしくは経路損失、またはその両方などの基準に基づくことができる。グループＡまたはＢに存在しないフルセットにおけるプリアンブルは、専用のプリアンブルを割り当てるとき、ネットワークによって使用することができる。
【００６３】
例えば、ｐｒａｃｈ−ＣｏｎｆｉｇＩｎｄｅｘなどのＰＲＡＣＨ構成インデックスは、セルの構成されたＰＲＡＣＨリソースセットに対して、可能な構成のプリセットリストのうちのどれを選択しているかをＷＴＲＵに伝えるために、ネットワークにより使用することができる。プリセット構成は、例えば、ＦＤＤに関して、プリアンブルの巡回プレフィックス（ＣＰ）に対する時間およびプリアンブルシーケンスに対する時間を定義できるプリアンブルフォーマット、ＰＲＡＣＨが許可されたシステムフレーム番号（ＳＦＮ）（例えば、任意のもの、偶数だけ、基数だけなど）、並びにＰＲＡＣＨが可能な、許可されたＳＦＮのサブフレーム（例えば、特定の１、２、３、４、５、または全ての１０サブフレームなど）のうちの１つまたは複数のものを定義することができる。
【００６４】
ＰＵＣＣＨリソース割り振りを行うことができる。ＰＵＣＣＨに使用される物理的なリソースは、上位レイヤにより与えられる２つのパラメータ、すなわち、
【００６５】
【数１】
2018512013.tif 000003
【００６６】
および
【００６７】
【数２】
2018512013.tif 000004
【００６８】
に依存することができる。変数
【００６９】
【数３】
2018512013.tif 000005
【００７０】
は、各スロットにおけるＰＵＣＣＨフォーマット２／２ａ／２ｂ送信で使用するのに利用可能なリソースブロックに関する帯域幅を示す。変数
【００７１】
【数４】
2018512013.tif 000006
【００７２】
は、ＰＵＣＣＨフォーマット１／１ａ／１ｂと２／２ａ／２ｂとの混合に対して使用されるリソースブロックにおいて、ＰＵＣＣＨフォーマット１／１ａ／１ｂに使用される巡回シフトの数を示す。
【００７３】
【数５】
2018512013.tif 000007
【００７４】
の値は、｛０、１、・・・、７｝の範囲内における
【００７５】
【数６】
2018512013.tif 000008
【００７６】
の整数倍とすることができ、ここで、
【００７７】
【数７】
2018512013.tif 000009
【００７８】
は、上位レイヤから与えられ得る。
【００７９】
【数８】
2018512013.tif 000010
【００８０】
である場合、混合されたリソースブロックは、存在しない可能性がある。各スロット中の多くても１つのリソースブロックが、フォーマット１／１ａ／１ｂおよび２／２ａ／２ｂの混合をサポートすることができる。ＰＵＣＣＨフォーマット１／１ａ／１ｂ、２／２ａ／２ｂ、および３の送信に使用されるリソースは、それぞれ、負ではないインデックス
【００８１】
【数９】
2018512013.tif 000011
【００８２】
、
【００８３】
【数１０】
2018512013.tif 000012
【００８４】
、および
【００８５】
【数１１】
2018512013.tif 000013
【００８６】
により表すことができる。
【００８７】
複素数値のシンボル
【００８８】
【数１２】
2018512013.tif 000014
【００８９】
のブロックを、電力ＰPUCCHを送信するように適合させるために、振幅スケーリングファクタβPUCCHで乗算することができ、ＰPUCCHは、
【００９０】
【数１３】
2018512013.tif 000015
【００９１】
で開始するシーケンスで指定され、かつリソース要素にマップされ得る。ＰＵＣＣＨは、サブフレームにおいて、２つのスロットのそれぞれに１つのリソースブロックを使用することができる。送信に使用される物理リソースブロック内で、参照信号の送信に使用されない、アンテナポートｐにおけるリソース要素（ｋ、ｌ）への
【００９２】
【数１４】
2018512013.tif 000016
【００９３】
のマッピングは、サブフレームの最初のスロットから開始して、最初にｋ、次いでｌ、最後にスロット番号となる増加する順序とすることができる。インデックス
【００９４】
【数１５】
2018512013.tif 000017
【００９５】
とアンテナポート番号ｐとの間の関係を与えることができる。
【００９６】
スロットｎSにおけるＰＵＣＣＨの送信に使用される物理リソースブロックは、
【００９７】
【数１６】
2018512013.tif 000018
【００９８】
により与えられ得る。式中、変数ｍはＰＵＣＣＨフォーマットに依存するはずである。ＰＵＣＣＨフォーマット１、１ａ、および１ｂの場合、ｍは以下のように提供される、
【００９９】
【数１７】
2018512013.tif 000019
【０１００】
【数１８】
2018512013.tif 000020
【０１０１】
ＰＵＣＣＨフォーマット２、２ａ、および２ｂの場合、ｍは以下のように提供される、
【０１０２】
【数１９】
2018512013.tif 000021
【０１０３】
ＰＵＣＣＨフォーマット３の場合、ｍは以下のように提供される、
【０１０４】
【数２０】
2018512013.tif 000022
【０１０５】
図２０は、ＰＵＣＣＨに対する物理リソースブロックへの例示的なマッピングの図である。物理アップリンク制御チャネルに対する変調シンボルのマッピングが、図２０で示されている。１つのサービングセルが構成されているとき、サウンディング参照信号およびＰＵＣＣＨフォーマット１、１ａ、１ｂ、または３の同時送信を行う場合、短縮化されたＰＵＣＣＨフォーマットを使用することができ、その場合、サブフレームの第２のスロットにおける最後のＳＣ−ＦＤＭＡシンボルは空のままにすべきである。
【０１０６】
２つのアンテナポート（ｐ∈［ｐ0、ｐ1］）上のハイブリッド自動再送要求（ＨＡＲＱ）−ＡＣＫ送信を、ＰＵＣＣＨフォーマット１ａ／１ｂに対してサポートすることができる。ＦＤＤおよび１つの構成されたサービングセルの場合、ＷＴＲＵは、ＰＵＣＣＨリソース
【０１０７】
【数２１】
2018512013.tif 000023
【０１０８】
を使用して、ＰＵＣＣＨフォーマット１ａ／１ｂに関して、アンテナポートｐにマップされた
【０１０９】
【数２２】
2018512013.tif 000024
【０１１０】
に対する、サブフレームｎにおけるＨＡＲＱ−ＡＣＫを送信することができ、ここで、サブフレームｎ−４における対応するＰＤＣＣＨの検出により示された物理ダウンリンク共有チャネル（ＰＤＳＣＨ）送信に対して、またはサブフレームｎー４におけるダウンリンクＳＰＳリリース（定義され得る）を示すＰＤＣＣＨに対して、ＷＴＲＵは、アンテナポートｐ0に、
【０１１１】
【数２３】
2018512013.tif 000025
【０１１２】
を使用することができ、ここで、ｎCCEは、対応するダウンリンク制御情報（ＤＣＩ）割当ての送信に使用される最初のＣＣＥの番号（すなわち、ＰＤＣＣＨを構成するために使用される最も低いＣＣＥインデックス）であり、また
【０１１３】
【数２４】
2018512013.tif 000026
【０１１４】
は、上位レイヤにより構成される。２つのアンテナポート送信の場合、アンテナポートｐ1に対するＰＵＣＣＨリソースは、
【０１１５】
【数２５】
2018512013.tif 000027
【０１１６】
により与えることができる。
【０１１７】
さらにＦＤＤおよび１つの構成されたサービングセルの場合、ＷＴＲＵは、ＰＵＣＣＨリソース
【０１１８】
【数２６】
2018512013.tif 000028
【０１１９】
を使用して、ＰＵＣＣＨフォーマット１ａ／１ｂに関して、アンテナポートｐにマップされた
【０１２０】
【数２７】
2018512013.tif 000029
【０１２１】
に対するサブフレームｎにおけるＨＡＲＱ−ＡＣＫを送信することができ、ここで、サブフレームｎ−４において検出された対応するＰＤＣＣＨが存在しないプライマリセルでのＰＤＳＣＨ送信の場合、
【０１２２】
【数２８】
2018512013.tif 000030
【０１２３】
の値は、上位レイヤ構成、および／または他の情報により決定することができる。２つのアンテナポート送信用に構成されたＷＴＲＵの場合、ＰＵＣＣＨリソース値は、アンテナポートｐ0に対して第１のＰＵＣＣＨリソース
【０１２４】
【数２９】
2018512013.tif 000031
【０１２５】
を、アンテナポートｐ1に対して第２のＰＵＣＣＨリソース
【０１２６】
【数３０】
2018512013.tif 000032
【０１２７】
を、２つのＰＵＣＣＨリソースにマップすることができる。その他の場合、ＰＵＣＣＨリソース値は、アンテナポートｐ0に対して単一のＰＵＣＣＨリソース
【０１２８】
【数３１】
2018512013.tif 000033
【０１２９】
にマップすることができる。
【０１３０】
ＷＴＲＵはＳＲＳを使用することができる。ＷＴＲＵは、そうするように構成され、またはトリガされたとき、ＳＲＳをｅＮｏｄｅＢに送信することができる。ＷＴＲＵは、サブフレームの最後のシンボルでＳＲＳを送信することができる。
【０１３１】
ＷＴＲＵによるＳＲＳ送信は、周期的または非周期的なものとすることができる。周期的なＳＲＳ送信は、ｅＮｏｄｅＢにより構成することができる。非周期的なＳＲＳ送信は、例えば、ＵＬ許可と共に非周期的なＳＲＳを求める要求を含めることにより、ｅＮｏｄｅＢによってトリガされ得る。
【０１３２】
セル特有のＳＲＳサブフレームは、ＳＲＳを所与のセルにおいて送信できるサブフレームとすることができる。セル特有のサブフレームの構成が、同報通信、または専用のＲＲＣシグナリングなどのシグナリングで提供され得る。
【０１３３】
ＷＴＲＵ特有のＳＲＳサブフレームは、ＳＲＳを特定のＷＴＲＵにより送信できるサブフレームとすることができ、それはセル特有のＳＲＳサブフレームのサブセットとすることができる。ＷＴＲＵ特有のサブフレームの構成は、専用のＲＲＣシグナリングなどのシグナリングにおいて、ＷＴＲＵに提供することができる。周期的なＳＲＳと非周期的なＳＲＳに対して、ＷＴＲＵ用に構成された別々のＷＴＲＵ特有のサブフレームがあり得る。
【０１３４】
非周期的なＳＲＳがサブフレームｎでトリガされたとき、ＷＴＲＵは、次の非周期的なＷＴＲＵ特有のＳＲＳサブフレームｎ＋ｋでＳＲＳを送信することができ、ここで、ｋは例えば、ｋ≧４など、特定の基準を満たす。１つのＳＲＳ（周期的または非周期的なＳＲＳ）と別のＳＲＳまたはチャネルが、共に同じサブフレームで送信されるようにスケジュールされた場合、ＷＴＲＵがそのスケジュールされたＳＲＳを送信できるかどうかは、ルールおよび／または構成パラメータにより支配され得る。本明細書では、非周期的ＳＲＳトリガおよび非周期的ＳＲＳ要求という用語は相互に交換可能に使用することができる。
【０１３５】
システムにおいて、制限された機能を有する全てのＷＴＲＵに対して１つの低減されたＢＷを使用することは、低減されたＢＷのＷＴＲＵをサポートするために容量制限を生ずることになり得る。容量制限は、低減されたＢＷのＷＴＲＵの数が、システム内で大きくなった場合、より重大なものとなり得る。
【０１３６】
マルチサブバンドベースの送信を使用して、ＵＬとＤＬ送信の両方に対する容量制限を補償することができ、その場合、ＢＷが制限されたＷＴＲＵは、ＷＴＲＵ特有の方法で構成された複数のサブバンドのうちの１つを使用する、使用するように意図する、またはその１つで構成することができる。特定のサブフレームのサブバンドにおけるアップリンク送信もしくはダウンリンク受信は、ＷＴＲＵがカバレッジ拡張（ＣＥ）動作モードにある場合、反復送信もしくは受信とすることができ、そうでなければ、ＷＴＲＵが通常のカバレッジ動作モードにある場合、反復のない個々の送信もしくは受信とすることができる。
【０１３７】
複数のサブバンド構成が、本明細書で開示される。サブバンドは、システムＢＷにおける周波数リソースのサブセットとして定義することができる。以下の１つまたは複数のものを適用することができる。システムＢＷ内の連続するＲ個の物理リソースブロック（ＰＲＢ）対を、サブバンドとして使用することができ、ここでＲは、例として６とすることができる。さらなる例では、サブバンドサイズ（例えば、Ｒ個のＰＲＢ対など）は、システムＢＷにかかわらず同じに定義することができる。他の例では、サブバンドサイズは、システムＢＷに応じて決定することができる。さらに例として、サブバンドサイズは、同報通信チャネルとは区別することができ、また最大のサブバンドサイズは、Ｒ個のＰＲＢ対に制限することができる。さらに他の例では、サブバンドサイズは、ＤＬまたはＵＬチャネルによって異なることができる。
【０１３８】
本明細書で開示されるように、サブバンドは、低減されたＢＷとして使用することができ、また低減されたＢＷのＷＴＲＵに対して構成される、または使用することができる。サブバンドは、Ｄ−サブバンド、Ｕ−サブバンド、または両方とすることができる。
【０１３９】
変更されていないＬＴＥ構成は、複数のサブバンドをサポートしない可能性がある。例では、２つ以上のＤＬおよび／またはＵＬサブバンドを、低減されたＢＷのＷＴＲＵに対して構成することができ、またＤＬおよび／またはＵＬサブバンドの数、並びにそれらの周波数位置は、１つまたは複数のシステムパラメータに応じて決定することができ、ここにおいて、システムパラメータは、物理セル識別子（ＰＣＩ）、マルチキャスト同報通信単一周波数ネットワーク（ＭＢＳＦＮ）構成、およびＵＬに対するシステムＢＷを含むことができる。
【０１４０】
図３は、低減されたＢＷのＷＴＲＵをサポートするシステムにおける複数のＤ−サブバンド構成の例の図である。例では、ダウンリンクシステム帯域幅３０１は、低減されたＢＷのＷＴＲＵ用に事前に構成される、または使用できる２つ以上のＤＬサブバンド３０２（例えば、Ｄ−サブバンド１、Ｄ−サブバンド２、Ｄ−サブバンド３、・・・Ｄ−サブバンドＭ）を含むことができる。各ＤＬサブバンドは、例えば、１．４ＭＨｚの低減されたＢＷを有することができる。低減されたＢＷのＷＴＲＵは、サブフレームにおける特定のＤ−サブバンドでＤＬ信号を受信することができる。図３は、低減されたＢＷのＷＴＲＵをサポートするシステムに対する複数のＤＬサブバンド構成（例えば、Ｍ個のサブバンド）の例を示している。
【０１４１】
例では、２つ以上のＤ−サブバンド３０２を、システムＢＷで構成することができ、またＤ−サブバンド３０２は、周波数で重なっていないはずである。従って、Ｄ−サブバンド３０２は、周波数ドメインにおいて相互に排他的なものであり得る。
【０１４２】
複数のＤ−サブバンド３０２の構成は、ネットワーク（例えば、ｅＮｏｄｅＢ）により決定され、かつ１つもしくは複数のＷＴＲＵに、同報通信チャネルで提供され、搬送され、または信号送信され得る。例えば、低減されたＢＷのＷＴＲＵおよび／またはカバレッジ拡張動作モードに使用される特定の同報通信チャネル（例えば、低コストシステム情報ブロック（ＳＩＢ）（ＬＣ−ＳＩＢ））は、複数のＤ−サブバンド構成情報を含むことができる。複数のＤ−サブバンド構成情報は、セル（例えば、ｅＮｏｄｅＢ）で構成される、または使用されるいくつかのＤ−サブバンド、１つまたは複数の構成されたＤ−サブバンドの周波数位置、１つまたは複数の構成されたＤ−サブバンドの時間位置、および１つまたは複数の構成されたＤ−サブバンドに関する参照信号構成情報のうちの少なくとも１つを含むことができる。
【０１４３】
セルにおいて構成された、または使用されるいくつかのＤ−サブバンドは、特定のシステムＢＷに対して事前に定義できる最大数のＤ−サブバンドを含むことができる。例えば、２０ＭＨｚのシステムＢＷに対する最大数のＤ−サブバンドは、１０個のＤ−サブバンドとすることができ、また１０ＭＨｚのシステムＢＷに対する最大数のＤ−サブバンドは、５個のＤ−サブバンドとすることができる。
【０１４４】
セルにおいて構成される、または使用されるＤ−サブバンドの数は、事前に定義され得る特定のシステムＢＷに対するＤ−サブバンドの候補数を含むことができ、候補数のうちの１つを、複数のＤ−サブバンド構成情報で示すことができる。例えば、｛ｎ１、ｎ２、ｎ３、ｎ４｝は、いくつかのＤ−サブバンド候補のセットとすることができ、各候補数は、システムＢＷに応じて異なって解釈され得る。
【０１４５】
セルにおいて構成される、または使用されるいくつかのＤ−サブバンドは、システムパラメータの１つまたは複数のものに応じて決定され得るいくつかのＤ−サブバンド、および／またはＤ−サブバンドの周波数位置を含むことができる。システムパラメータは、以下の少なくとも１つを含むことができる、すなわち、ＤＬのシステムＢＷ、フレーム構造（例えば、時分割二重通信（ＴＤＤ）またはＦＤＤ）、物理的なセルＩＤ、ＭＢＳＦＮ構成、ＴＤＤに対するＤＬ／ＵＬサブフレーム構成、および物理ハイブリッドＡＲＱ指示チャネル（ＰＨＩＣＨ：Physical HARQ Indicator Channel）構成である。
【０１４６】
構成されたＤ−サブバンドの周波数位置は、各Ｄ−サブバンドの周波数位置を示すために使用できる開始ＰＲＢ対の番号を示すことができる。開始ＰＲＢ対の番号は、暗黙的に、または明示的に示すことができる。
【０１４７】
構成されたＤ−サブバンドの周波数位置は、各Ｄ−サブバンドのインデックスを示すことができる。この場合、Ｄ−サブバンドの最大数、およびＤ−サブバンドの周波数位置は、事前に定義する、または事前に構成することができる。各Ｄ−サブバンドはインデックスとして定義することができ、従って、Ｄ−サブバンドの周波数位置は、Ｄ−サブバンドインデックスから示すことができる。例では、Ｄ−サブバンドインデックスのセットを示すことができる。例えば、同報通信チャネルは、Ｄ−サブバンドインデックスセット｛１、３、５｝を示すことができ、それは、Ｄ−サブバンド｛１、３、５｝が、低減されたＢＷのＷＴＲＵに対してセルで構成され得ることを示すことができる。
【０１４８】
構成されたＤ−サブバンドの時間位置は、各Ｄ−サブバンドが全てのサブフレームで構成されるように提供することができる。Ｄ−サブバンドは、サブフレームおよび／または無線フレームのサブセットで構成することができる。例えば、Ｄ−サブバンドｘは、サブフレーム｛０、４、５、９｝に位置することができるが、Ｄ−サブバンドｙは、サブフレーム｛１、２、３、６、７、８｝に位置することができ、ここで、Ｄ−サブバンドｘおよびｙは、構成されたＤ−サブバンドの１つとすることができる。
【０１４９】
他の例では、構成されたＤ−サブバンドの時間位置は、Ｄ−サブバンドｘが、条件Ａを満たすことのできる無線フレームに位置できるように、かつＤ−サブバンドｙが、条件Ｂを満たすことのできる無線フレームに位置できるように提供され得る。例えば、条件Ａは、偶数番号が付けられた無線フレームであり、また条件Ｂは、奇数番号が付けられた無線フレームとすることができる。無線フレーム番号は、ＳＦＮと同じとすることができる。
【０１５０】
構成されたＤ−サブバンドの時間位置は、構成されたＤ−サブバンドが、２つ以上のセットへとグループ化することができ、かつ各セットの時間位置を示すことができるように提供され得る。例えば、Ｄ−サブバンド｛１、２、３、４｝が構成され、２つのセットが、｛１、２｝はセット１、また｛３、４｝はセット２などと使用される場合、各セットの時間位置を示すことができる。従って、同じセットにおけるＤ−サブバンドは、同じ時間位置を有することができる。
【０１５１】
参照信号構成は、Ｄ−サブバンドにおけるＤＬ信号受信のための参照信号構造を示すことができるように提供され得る。例えば、２つ以上の参照信号構造を使用することができ、また参照信号構造は、各サブバンドに対して示すことができる。例えば、復調参照信号（ＤＭ−ＲＳ）およびセル特有の参照信号（ＣＲＳ）を使用することができ、また各Ｄ−サブバンドを、ＤＭ−ＲＳまたはＣＲＳと関連付けることができる。その構成は、全てのＤ−サブバンドに対して同じにすることができるが、各Ｄ−サブバンドに対して独立させることもできる。さらに参照信号構造は、参照信号タイプ（例えば、復調目的、測定目的など）、参照信号パターン（例えば、広帯域、狭帯域など）を含むことができる。
【０１５２】
他の例では、Ｄ−サブバンドの１つは、プライマリＤ−サブバンドとして定義することができ、それは、プライマリ同期信号（ＰＳＳ）／セカンダリ同期信号（ＳＳＳ）、および物理報知チャネル（ＰＢＣＨ）を運ぶことができる。プライマリＤ−サブバンドは、中心サブバンドとして、またはシステム帯域幅の中心の６個のＰＲＢからなるサブバンドとして事前に定義することができ、また他のセカンダリＤ−サブバンドは、同報通信チャネルにより構成することができる。この場合、以下の１つまたは複数のものを適用することができる。
【０１５３】
プライマリＤ−サブバンドは、同期信号（例えば、ＰＳＳ／ＳＳＳ）、マスター情報ブロック（ＭＩＢ）（例えば、ＰＢＣＨ）、共通の制御チャネル（例えば、ＰＤＣＣＨ共通探索空間）、およびＳＩＢのうちの少なくとも１つを含むＤＬ信号を受信するために使用することができる。プライマリＤ−サブバンドは、共通のＤ−サブバンドと見なすことができ、従って、全ての低減されたＢＷのＷＴＲＵは、少なくともサブフレームおよび／または無線フレームのサブセットで構成することができる。ＲＲＣ接続モードにおけるＷＴＲＵは、プライマリＤ−サブバンド、および１つまたは複数のセカンダリＤ−サブバンドで、ＤＬ信号を受信するように構成することができるが、ＲＲＣアイドルモードにあるＷＴＲＵは、プライマリＤ−サブバンドだけでＤＬ信号を受信することができる。
【０１５４】
図４は、低減されたＢＷのＷＴＲＵをサポートするシステムにおける複数のＵ−サブバンド構成の例の図である。例では、アップリンクのシステム帯域幅４０１は、低減されたＢＷのＷＴＲＵに対して事前に構成され得る、または使用できる２つ以上のＵＬサブバンド４０２（例えば、Ｕ−サブバンド１、Ｕ−サブバンド２、Ｕ−サブバンド３、・・・Ｕ−サブバンドＫ）を含むことができる。各ＵＬサブバンドは、例えば、１．４ＭＨｚの低減されたＢＷを有することができる。低減されたＢＷのＷＴＲＵは、サブフレームにおける特定のＵ−サブバンドでＵＬ信号を送信することができる。図４は、低減されたＢＷのＷＴＲＵをサポートするシステムに対するＫ個のＵ−サブバンド構成の例を示す。
【０１５５】
例では、各Ｕ−サブバンドは、連続する６個のＰＲＢ対で構成することができ、また２つ以上のＵ−サブバンドは、重ならないようにＵＬのシステムＢＷ内で構成することができる。Ｕ−サブバンドは、レガシーＰＵＣＣＨの重ならない周波数位置に配置され得る。
【０１５６】
Ｕ−サブバンドの構成は、１つまたは複数のＷＴＲＵへの同報通信チャネルにおいて、ネットワーク（例えば、ｅＮｏｄｅＢ）により決定され、かつ提供され得る。例えば、低減されたＢＷのＷＴＲＵに対して使用される同報通信チャネル（例えば、ＬＣ−ＳＩＢ）は、Ｕ−サブバンド構成情報を含むことができる。Ｕ−サブバンド構成情報は、セルで構成される、または使用されるいくつかのＵ−サブバンド、１つまたは複数の構成されたＵ−サブバンドの周波数位置、１つまたは複数の構成されたＵ−サブバンドの時間位置、および１つまたは複数の構成されたＵ−サブバンドに関する参照信号構成情報のうちの少なくとも１つを含むことができる。
【０１５７】
セルで構成される、または使用されるいくつかのＵ−サブバンドは、Ｄ−サブバンドの数とは独立して構成することができる。Ｕ−サブバンドの最大数は各システムＢＷに対して事前に定義することができる。例えば、システムＢＷが２０ＭＨｚである場合、最高で６個のＵ−サブバンドを構成することができ、システムＢＷが１０ＭＨｚである場合、最高３個のＵ−サブバンドが構成可能である。構成されるＵ−サブバンドの数は、システムパラメータの１つまたは複数のものに応じて決定することができる。システムパラメータは、ＵＬのシステムＢＷ、フレーム構造（例えば、ＴＤＤまたはＦＤＤ）、物理的なセルＩＤ、およびＴＤＤに対するＤＬ／ＵＬサブフレーム構成のうちの少なくとも１つを含むことができる。Ｕ−サブバンドの数を示すために、予約ビットを使用することができる。
【０１５８】
各構成されたＵ−サブバンドの周波数位置は、各Ｕ−サブバンドの周波数位置を示すために使用できる開始ＰＲＢ対の番号を示すことができる。
【０１５９】
構成されたＤ−サブバンドの周波数位置は、各Ｕ−サブバンドのインデックスを示すことができる。この場合、Ｕ−サブバンドの最大数およびその周波数位置は、事前に定義され得る。各Ｕ−サブバンドは、インデックスとして定義することができ、従って、Ｕ−サブバンドの周波数位置は、Ｕ−サブバンドインデックスから示すことができる。Ｕ−サブバンドインデックスのセットを示すことができる。例えば、同報通信チャネルは、Ｕ−サブバンドインデックスセット｛１、３、５｝を示すことができ、それは、Ｕ−サブバンド｛１、３、５｝が、低減されたＢＷのＷＴＲＵに対してセルで構成され得ることを示すことができる。
【０１６０】
構成されたＵ−サブバンドの時間位置は、構成されるＵ−サブバンドが、２つ以上のセットへとグループ化することができ、かつ各セットの時間位置を示すことができるように提供され得る。各Ｕ−サブバンドの時間位置は、Ｕ−サブバンドが、サブフレームおよび／または無線フレームのサブセットにおいて構成できるように構成され得る。例えば、Ｕ−サブバンドｘは、セル特有のＳＲＳを含むサブフレームに位置できるが、Ｕ−サブバンドｙは、他のサブフレームに位置することができ、その場合、Ｕ−サブバンドｘおよびｙは、構成されたＵ−サブバンドの１つとすることができる。
【０１６１】
例では、ＷＴＲＵは、ＷＴＲＵ特有のサブバンド構成を用いて構成することができる。複数のサブバンドが構成されるが、低減されたＢＷのＷＴＲＵは、（例えば、サブフレームで）１つのサブバンドにおいて送信または受信することができる。また、同じサブバンドが、全ての低減されたＢＷのＷＴＲＵに対して構成される場合、低減されたＢＷのＷＴＲＵをサポートするには容量制限があり得る。
【０１６２】
例では、ＷＴＲＵは、２つ以上のＤＬサブバンドを用いてネットワークにより構成することができ、またＷＴＲＵは、サブフレームにおける特定のＤＬサブフレームでＤＬ信号を受信することができ、ここで、特定のＤＬサブバンドは、ＷＴＲＵ−ＩＤ、サブフレーム番号、ＳＦＮ番号、ＰＲＡＣＨプリアンブル送信に使用されるＰＲＡＣＨリソース、およびカバレッジ拡張レベルのうちの少なくとも１つに応じて決定することができる。
【０１６３】
例では、低減されたＢＷのＷＴＲＵは、ＤＬ信号受信用のＤ−サブバンドを用いてネットワークにより構成することができる。低減されたＢＷのＷＴＲＵは、構成されたＤ−サブバンド内のＤ−サブバンドで構成することができ、またＷＴＲＵは、ＤＬ信号をそのＤ−サブバンドで受信することができる。従って、ＷＴＲＵ特有のＤ−サブバンドを使用することができる。
【０１６４】
ＷＴＲＵ特有のＤ−サブバンドは、送信されるＰＲＡＣＨプリアンブルに応じて決定することができる。例えば、Ｄ−サブバンドインデックスを、送信されるＰＲＡＣＨプリアンブルに基づいて決定することができ、またＷＴＲＵは、ＰＲＡＣＨプリアンブルに関連付けられたＤ−サブバンドインデックスで、対応するＲＡＲを受信することができる。
【０１６５】
Ｄ−サブバンドインデックスは、ＰＲＡＣＨプリアンブル送信に使用されるＰＲＡＣＨリソースに応じて決定することができ、ＰＲＡＣＨリソースの２つ以上のものは、事前に定義される、または事前に構成され得る。
【０１６６】
Ｄ−サブバンドに関連付けられたＰＲＡＣＨリソースは、時間／周波数リソースとして定義する、または構成することができる。例えば、Ｍ個のＰＲＡＣＨリソースを、重ならない時間／周波数リソースで定義する、または構成することができ、各ＰＲＡＣＨリソースは、Ｄ−サブバンドに関連付けることができる。
【０１６７】
ＰＲＡＣＨ区分化を使用して、関連するＤ−サブバンドを示すことができる。例えば、ＢＷが制限されたＷＴＲＵに対するＰＲＡＣＨリソースは、Ｍ個のサブセットへと区分され、各サブセットをＤ−サブバンドに関連付けることができる。区分化は、時間、周波数、および／またはコード（例えば、プリアンブル）ドメインで使用することができる。
【０１６８】
図５は、使用されるＰＲＡＣＨリソースに基づくＤ−サブバンドマッピングの例の図である。図５は、いくつかのＤ−サブバンド５０２（例えば、Ｄ−サブバンド１、Ｄ−サブバンド２、Ｄ−サブバンド３、・・・Ｄ−サブバンドＭなど）にマップされたいくつかのＰＲＡＣＨリソース５０１（例えば、ＰＲＡＣＨリソース１、ＰＲＡＣＨリソース２、ＰＲＡＣＨリソース３、・・・ＰＲＡＣＨリソースＭなど）を示している。ＰＲＡＣＨリソース５０１は、１つまたは複数のＤ−サブバンド５０２に関連付けることができる。例えば、図５で示すように、第１のＰＲＡＣＨリソース１は、１つのＤ−サブバンド１に関連付けることができ、第２のＰＲＡＣＨリソース２は、第２のＤ−サブバンド２に関連付けることができる。ＰＲＡＣＨリソース５０１が、１つのＤ−サブバンド５０２に関連付けられた場合、ＷＴＲＵは、ＰＲＡＣＨリソース５０１に関連付けられたＤ−サブバンド５０２で、対応するＲＡＲ５０３を受信することができる。ＰＲＡＣＨプリアンブル送信に使用されるＰＲＡＣＨリソース５０１とは無関係に、対応するＲＡＲ５０３は、特定のＤ−サブバンド５０２で受信され得る。ＲＡＲがモニタされ得る特定のＤ−サブバンドは、プライマリＤ−サブバンド、または共通のＤ−サブバンドとして定義することができる。
【０１６９】
ＷＴＲＵ特有のＤ−サブバンドは、上位レイヤのシグナリングにより構成することができる。従って、共通のＤ−サブバンドは、ＷＴＲＵがＤ−サブバンド構成に対する上位レイヤのシグナリングを受信するまで、ＷＴＲＵによって使用することができる。共通のＤ−サブバンドは、事前に決定される、事前に構成される、かつ／またはネットワークからの構成情報で受信され得る。例えば、共通のＤ−サブバンドは、同報通信チャネルから示すことができる。
【０１７０】
図６は、ＷＴＲＵ−ＩＤに基づくＤ−サブバンドのマッピングの例の図である。図６は、いくつかのＤ−サブバンド６０２（例えば、Ｄ−サブバンド１、Ｄ−サブバンド２、Ｄ−サブバンド３、・・・Ｄ−サブバンドＭ）にマップされたＰＲＡＣＨリソース６０１を示す。例では、ＷＴＲＵ特有のＤ−サブバンドが、ＷＴＲＵ−ＩＤ（例えば、Ｃ−ＲＮＴＩ、国際移動体加入者識別番号（ＩＭＳＩ）など）に応じて決定することができる。例えば、モジュロ演算を使用して、ＷＴＲＵ特有のＤ−サブバンドを決定することができる。この場合、以下の１つまたは複数のものを適用することができる。
【０１７１】
低減されたＢＷのＷＴＲＵは、低減されたＢＷのＷＴＲＵに対して構成されたＰＲＡＣＨリソース６０１でＰＲＡＣＨプリアンブルを送信することができ、またＷＴＲＵは、対応するＲＡＲ６０３を、ＷＴＲＵに対して構成されたＤ−サブバンド６０２で受信することができる。ＲＡＲ６０３は、関連するＤＬ制御チャネルなしに送信することができる。従って、事前定義の変調符号化方式（ＭＣＳ）レベルおよびＰＲＢを使用することができる。
【０１７２】
他の解決策では、低減されたＢＷのＷＴＲＵは、ＤＬ信号受信用にＤ−サブバンドのセットで構成することができる。低減されたＢＷのＷＴＲＵは、２つ以上のＤ−サブバンドで構成することができ、その場合、ＷＴＲＵに対して構成されるＤ−サブバンドは、システムに使用されるＤ−サブバンド６０２内のＤ−サブバンドのサブセットとすることができ、またはシステムに使用されるＤ−サブバンド６０２の同じセットを、ＷＴＲＵに対して使用することができる。
【０１７３】
図７は、使用されるＰＲＡＣＨリソースに基づく複数のＤ−サブバンドマッピングの例の図である。図７は、いくつかのＤ−サブバンド７０２（例えば、Ｄ−サブバンド１、Ｄ−サブバンド２、Ｄ−サブバンド３、・・・Ｄ−サブバンドＭ）にマップされたいくつかのＰＲＡＣＨリソース７０１（例えば、ＰＲＡＣＨリソース１、ＰＲＡＣＨリソース２、・・・ＰＲＡＣＨリソースＮ）を示している。例では、ＰＲＡＣＨプリアンブル送信に使用されたＰＲＡＣＨリソース７０１に応じて２つ以上のＤ−サブバンドを構成することができる。ＰＲＡＣＨリソース７０１の１つまたは複数のものを２つ以上のＤ−サブバンド７０２に関連付けることができる。図７では、ＰＲＡＣＨリソース２を２つのＤ−サブバンド（例えば、Ｄ−サブバンド２およびＤ−サブバンド３）に関連付けることができる。
【０１７４】
ＰＲＡＣＨリソース７０１が２つ以上のＤ−サブバンド７０２に関連付けられる場合、ＷＴＲＵは、ＰＲＡＣＨリソースに関連付けられたＤ−サブバンドの事前に構成された、または事前に定義されたＤ−サブバンド７０２で、対応するＲＡＲ７０３を受信することができる。事前に構成された、または事前に定義されたＤ−サブバンド７０２は、ＰＲＡＣＨリソース７０１に関連付けられたＤ−サブバンドの中で、最も低いインデックスを有するＤ−サブバンドとすることができる。さらなる例では、プライマリＤ−サブバンドを、ＰＲＡＣＨリソースに関連付けられたＤ−サブバンドの中で事前に定義することができ、また対応するＲＡＲ７０３は、プライマリＤ−サブバンドで送信することができる。
【０１７５】
ＰＲＡＣＨリソース７０１が、２つ以上のＤ−サブバンド７０２に関連付けられる場合、対応するＲＡＲ７０３は、Ｄ−サブバンドのうちの１つで送信することができる。対応するＲＡＲ７０３を受信するものとＷＴＲＵが予想できるＤ−サブバンド７０２は、関連するＤ−サブバンド内の所定のＤ−サブバンドとして決定することができる。所定のＤ−サブバンドは、最低または最高のサブバンドインデックスを有するＤ−サブバンドとすることができる。また、対応するＲＡＲをＷＴＲＵ−ＩＤに応じて決定することができる。モジュロ演算を使用して、ＲＡＲ受信のためのＤ−サブバンドを決定することができる。
【０１７６】
他の例では、２つ以上のサブバンドを構成することができ、また特定のサブフレームで使用されるサブバンドは、サブフレーム番号、無線フレーム番号（例えば、ＳＦＮ）、ハイブリッド自動再送要求（ＨＡＲＱ）（再）送信番号、およびＷＴＲＵ−ＩＤ（例えば、Ｃ−ＲＮＴＩまたはＩＭＳＩ）のうちの少なくとも１つに応じて決定することができる。ハッシュ関数を使用して、ＷＴＲＵに対して構成されたサブバンドの中で、ＷＴＲＵ特有のサブバンドを決定することができる。
【０１７７】
例では、Ｃ−ＲＮＴＩに関連付けられたＤＬ信号を、ＷＴＲＵ−ＩＤ、サブフレーム番号、および／または無線フレーム番号に基づいて決定されたＤ−サブバンドで受信することができるが、他のＤＬ信号は、特定の所定のＤ−サブバンドで受信することができる。特定の所定のＤ−サブバンドは、プライマリＤ−サブバンド、または共通のＤ−サブバンドとすることができる。
【０１７８】
さらなる例では、Ｃ−ＲＮＴＩに関連付けられたＵＬ信号は、ＷＴＲＵ−ＩＤ、サブフレーム番号、ＨＡＲＱ（再）送信番号、および／または無線フレーム番号に基づいて決定されたＵ−サブバンドで送信することができるが、他のＵＬ信号は、特定のＵ−サブバンドで送信することができる。Ｕ−サブバンドは事前に決定することができる。さらにＵ−サブバンドは同報通信され得る。
【０１７９】
ＨＡＲＱ（再）送信を使用して、ＷＴＲＵがアップリンク信号を送信できるサブバンドを決定することができる。例えば、第１のＨＡＲＱ送信は、決定された第１のサブバンドで行うことができ、また第２のＨＡＲＱ再送信は、決定された第２のサブバンドで行うことができる。
【０１８０】
例では、低減されたＢＷのＷＴＲＵがサブバンドで構成され、構成されたサブバンドの周波数位置が、時間経過と共に変化しない場合、ＷＴＲＵの性能は、制限された周波数ダイバーシティ利得に起因して、レガシーＷＴＲＵと比較して劣化する可能性がある。さらなる例では、ＷＴＲＵは、論理（または第１の）サブバンドで構成することができ、また論理サブバンドの周波数位置は、物理（または第２の）サブバンドインデックスと論理サブバンドインデックスとの間の事前定義のマッピングルールに基づいて決定することができ、ここにおいて、物理サブバンドインデックスは、システムＢＷ内の周波数位置に関連付けることができる。
【０１８１】
例では、低減されたＢＷのＷＴＲＵは、サブバンドで構成することができるが、そのサブバンドの周波数位置は、時間経過と共に変化する可能性がある。例えば、論理サブバンド（Ｌ−サブバンド）および物理サブバンド（Ｐ−サブバンド）を定義することができ、また論理サブバンドと物理サブバンドの間のマッピングルールは、サブフレーム番号および／または無線フレーム番号に従って変化する可能性があり、ここで、物理サブバンドは、他の場合のサブバンドと見なすことができる。
【０１８２】
本明細書で開示されるように、論理サブバンドは、論理ＤＬサブバンド（ＬＤ−サブバンド）、論理ＵＬサブバンド（ＬＵ−サブバンド）、または両方とすることができる。さらに、物理サブバンドは、物理ＤＬサブバンド（ＰＤ−サブバンド）、物理ＵＬサブバンド（ＰＵ−サブバンド）、または両方とすることができる。
【０１８３】
例えば、物理サブバンド（Ｐ−サブバンド）は、固定された周波数位置に位置することができるが、論理サブバンド（Ｌ−サブバンド）周波数位置は、サブフレームにおけるＬ−サブバンドへとマップされたＰ−サブバンドにより決定することができる。表１および表２は、それぞれ、サブフレーム番号およびＳＦＮに従ってＰ−サブバンドに対するＬ−サブバンドのマッピングルールの例を示している。
【０１８４】
Ｌ−サブバンドの番号は、Ｐ−サブバンドの番号と同じこともある。Ｐ−サブバンドに対するＬ−サブバンドのマッピングは、サブフレーム番号、ＳＦＮ番号、ＤＬチャネルタイプ、動作モード（例えば、通常のカバレッジモードまたはカバレッジ拡張モードなど）およびＨＡＲＱ（再）送信番号のうちの少なくとも１つに応じて決定することができる。
【０１８５】
Ｌ−サブバンドは、例えば、Ｃ−ＲＮＴＩまたはＩＭＳＩなどの少なくともＷＴＲＵ−ＩＤに応じて、ＷＴＲＵに対して決定することができる。Ｃ−ＲＮＴＩは、Ｃ−ＲＮＴＩに関連付けられたＤＬチャネルに対して使用することができる。他のＷＴＲＵ−ＩＤ（例えば、ＩＭＳＩなど）を、ページングＲＮＴＩ（Ｐ−ＲＮＴＩ）またはページングチャネルに関連付けられたＤＬチャネルに使用することができる。
【０１８６】
Ｌ−サブバンドは、サブバンド決定に使用される方法に基づいて、ＷＴＲＵに対して決定することができる。Ｌ−サブバンドは、関連するＤＣＩがＷＴＲＵにより受信され得るＮＢ−ＥＰＤＣＣＨ候補番号（または開始ＮＢ−ＥＰＤＣＣＨ拡張制御チャネル要素（ＥＣＣＥ）番号）に基づいて決定することができる。
【０１８７】
Ｌ−サブバンドは、関連するＤＣＩから受信することができる。ブロックインターリーバ、またはランダムインターリーバを、Ｐ−サブバンドに対するＬ−サブバンドのマッピングに使用することができる。
【０１８８】
表１は、サブフレーム番号によるＰ−サブバンドに対するＬ−サブバンドのマッピングの例を示す。表２は、ＳＦＮ番号によるＰ−サブバンドに対するＬ−サブバンドのマッピングの例を示す。
【０１８９】
Ｌ−サブバンドおよびＰ−サブバンドのマッピングルールは、周波数ホッピングパターンとして定義することができる。例では、表１で、｛１、４、３、２｝が、Ｌ−サブバンド１に対する周波数ホッピングパターンとして使用することができ、また｛２、１、４、３｝が、Ｌ−サブバンド２に対する周波数ホッピングパターンとして使用することができる。本明細書では、周波数ホッピングパターン、周波数ホッピングシーケンス、ホッピングパターン、サブバンドホッピングパターン、およびサブバンドホッピングシーケンスという用語は、相互に交換可能に使用することができる。
【０１９０】
【表１】
2018512013.tif 000034
【０１９１】
【表２】
2018512013.tif 000035
【０１９２】
本明細書では、サブバンド（例えば、Ｄ−サブバンドおよび／またはＵ−サブバンド）は、これだけに限らないが、Ｌ−サブバンドまたはＰ−サブバンドと見なすことができる。Ｄ−サブバンドは、ＬＤ−サブバンドまたはＰＤ−サブバンドと見なすことができる。Ｕ−サブバンドは、ＬＵ−サブバンドまたはＰＵ−サブバンドと見なすことができる。
【０１９３】
例では、複数のサブバンドを有するＤＬ制御チャネルを使用することができる。ＤＬ制御チャネルは、事前に構成された、または事前に定義された特定のＤ−サブバンドでモニタ、かつ／または受信することができ、また関連するＰＤＳＣＨの時間／周波数位置は、ＤＬ制御チャネルから示すことができる。ＷＴＲＵがＤＬ制御チャネルをモニタ、または受信することのできる特定のＤ−サブバンドは、ＤＬ制御サブバンド（ＤＣ−サブバンド）と呼ばれることがある。さらにマシンタイプ通信物理ダウンリンク制御チャネル（ＭＴＣ−ＰＤＣＣＨまたはＭ−ＰＤＣＣＨ）、ＥＰＤＣＣＨ、狭帯域（ＮＢ）−ＥＰＤＣＣＨ、ＮＢ−ＰＤＣＣＨ、および低コストマシンタイプ通信物理ダウンリンク制御チャネル（ＬＣ−ＭＴＣ−ＰＤＣＣＨ）は、特定のＤ−サブバンドで送信されるＤＬ制御チャネルに対して、本明細書では、相互に交換可能に使用することができる。
【０１９４】
例では、ＢＷが制限されたＷＴＲＵは、複数のＤＬサブバンドで構成され得るが、ＷＴＲＵは、サブフレームにおいて１つのサブバンドでＤＬ信号を受信できるだけである。しかし、ＤＬ制御チャネルが、同じサブフレームの２つ以上のサブバンドで送信される場合、ＷＴＲＵは、１つまたは複数のＤＬ制御チャネルを見逃す可能性がある。
【０１９５】
さらなる例では、ＷＴＲＵは、２つ以上のＤＬサブバンドで構成することができ、構成されたＤＬサブバンドの１つは、ＮＢ−ＥＰＤＣＣＨに使用することができ、その場合、ＮＢ−ＥＰＤＣＣＨに使用されるＤＬサブバンドは、ＷＴＲＵ−ＩＤ、サブフレーム番号、無線フレーム番号、使用される区分されたＰＲＡＣＨリソース、およびカバレッジ拡張レベルのうちの少なくとも１つに応じて決定することができる。
【０１９６】
ＮＢ−ＥＰＤＣＣＨは、ＵＳＳおよびＣＳＳなどの２つのタイプに分類することができ、ここで、ＮＢ−ＥＰＤＣＣＨ  ＵＳＳは、ＷＴＲＵ特有の情報を運ぶＤＬ制御チャネルとすることができ、またＮＢ−ＥＰＤＣＣＨ  ＣＳＳは、共通の情報を運ぶＤＬ制御チャネルとすることができる。従って、ＮＢ−ＥＰＤＣＣＨは、ＮＢ−ＥＰＤＣＣＨ  ＵＳＳ、ＮＢ−ＥＰＤＣＣＨ  ＣＳＳ、または両方とすることができる。
【０１９７】
図８は、サブフレームｎ８０１、およびそこで構成された複数のＤ−サブバンド８０２を用いたＮＢ−ＥＰＤＣＣＨ  ＵＳＳ／ＣＳＳ構成の例の図である。制御チャネル（例えば、ＰＤＣＣＨ）によるＤＬ制御（Ｃｔｒｌ）情報、およびデータチャネル（例えば、ＰＤＳＣＨ）によるその対応するデータは、同じサブフレームおよび同じＤ−サブバンド中で、ＷＴＲＵにより、受信されるように構成される、かつ／または受信される。本明細書では、「受信される」と、「受信されるように構成される」という用語は、相互に交換可能に使用することができる。
【０１９８】
ＮＢ−ＥＰＤＣＣＨ  ＵＳＳは、レガシー（Ｅ）ＰＤＣＣＨ  ＵＳＳで運ばれるのと同じ情報、または情報のサブセットを運ぶことができ、またＮＢ−ＥＰＤＣＣＨ  ＣＳＳは、レガシー（Ｅ）ＰＤＣＣＨ  ＣＳＳで運ばれるのと同じ情報、または情報のサブセットを運ぶことができる。ＮＢ−ＥＰＤＣＣＨ  ＵＳＳは、以下の１つまたは複数のものに対してＷＴＲＵにより使用され得る、すなわち、Ｃ−ＲＮＴＩとスクランブルされた巡回冗長検査（ＣＲＣ）を有するダウンリンク制御情報（ＤＣＩ）をモニタすること、ＵＬ送信に対応するＡＣＫ／ＮＡＣＫを受信すること、および関連付けられた制御チャネルを用いずに、ページング、ＲＡＲ、またはＳＩＢを含むＰＤＳＣＨを受信することである。
【０１９９】
ＮＢ−ＥＰＤＣＣＨ  ＣＳＳは、以下の１つまたは複数のものに対してＷＴＲＵにより使用され得る、すなわち、Ｐ−ＲＮＴＩとスクランブルされたＣＲＣを有するＤＣＩをモニタすること、ＲＡ−ＲＮＴＩとスクランブルされたＣＲＣを有するＤＣＩをモニタすること、システム情報無線ネットワーク識別子（ＳＩ−ＲＮＴＩ）とスクランブルされたＣＲＣを有するＤＣＩをモニタすること、および関連付けられた制御チャネルを用いずに、ページング、ＲＡＲ、またはＳＩＢを含むＰＤＳＣＨを受信することである。ＮＢ−ＥＰＤＣＣＨ  ＵＳＳおよびＮＢ−ＥＰＤＣＣＨ  ＣＳＳは、同じＤ−サブバンドで完全に、または部分的に重なる可能性がある。さらなる例では、ＮＢ−ＥＰＤＣＣＨは、ＷＴＲＵ特有の探索空間に対してだけ使用することができ、また全てのＤＣＩは、ＮＢ−ＥＰＤＣＣＨ  ＵＳＳでモニタすることができる。
【０２００】
例では、複数のＤ−サブバンド８０２が、同報通信チャネル（例えば、ＬＣ−ＳＩＢ）により構成することができ、また構成されたＤ−サブバンドの１つは、ＮＢ−ＥＰＤＣＣＨ  ＣＳＳに対するＤＣ−サブバンド８０２ａとして使用することができる。ＮＢ−ＥＰＤＣＣＨ  ＣＳＳに関連付けられたＤＣ−サブバンド８０２ａは、プライマリＤＣ−サブバンドと呼ばれることがある。プライマリＤＣ−サブバンドは、以下のパラメータの少なくとも１つに基づいて決定することができる、すなわち、物理的なセルＩＤ、構成された、または使用されるＤ−サブバンドの数、およびＭＩＢから示されたＤＬシステムのＢＷである。
【０２０１】
プライマリＤＣ−サブバンドは、同報通信チャネル（例えば、ＬＣ−ＳＩＢ）から示すことができる。従って、同報通信チャネルは、Ｄ−サブバンド構成、およびＮＢ−ＥＰＤＣＣＨ  ＣＳＳに関連付けられたＤＣ−サブバンドを示すことができる。プライマリＤＣ−サブバンドは、構成されたＤ−サブバンドにおける最低または最高のインデックスを有するＤ−サブバンドとすることができる。
【０２０２】
プライマリＤＣ−サブバンドは、ＰＲＡＣＨプリアンブル送信に使用されるＰＲＡＣＨリソースに応じて暗黙的に決定することができる。例えば、２つ以上のＰＲＡＣＨリソースは、（例えば、時分割多重（ＴＤＭ）、周波数分割多重（ＦＤＭ）および／または符号分割多重（ＣＤＭ）を用いて）複数のサブセットへと区分することができ、また各サブセット（例えば、各区分されたＰＲＡＣＨリソース）は、ＤＣ−サブバンドに関連付けることができる。区分されたＰＲＡＣＨリソースは、カバレッジ拡張レベルに対応することができる。例えば、第１の区分されたＰＲＡＣＨリソースは、通常のカバレッジレベル（例えば、ＣＥレベル−０）に関連付けることができ、第２の区分されたＰＲＡＣＨリソースは、カバレッジ拡張レベル１（例えば、ＣＥレベル−１）に関連付けることができ、以下同様である。区分されたＰＲＡＣＨリソースは、動作モードに関連付けることができる。例えば、第１の区分されたＰＲＡＣＨリソースは、通常の動作モードに関連付けることができ、また第２の区分されたＰＲＡＣＨリソースは、カバレッジ拡張動作モードに関連付けることができる。
【０２０３】
プライマリＤＣ−サブバンドは、中心の６個のＰＲＢ対に位置するＤ−サブバンドとして事前に定義することができる。ＷＴＲＵはまた、ＰＳＳ／ＳＳＳおよびＰＢＣＨをプライマリＤＣ−サブバンドで受信することができる。
【０２０４】
他の例では、複数のＤ−サブバンド８０２を、同報通信チャネル（例えば、ＬＣ−ＳＩＢ）により構成することができ、また構成されたＤ−サブバンド（例えば、Ｄ−サブバンド８０２ｂおよび８０２ｃ）の少なくとも１つは、ＮＢ−ＥＰＤＣＣＨ  ＵＳＳに対するＤＣ−サブバンドとして使用することができる。ＮＢ−ＥＰＤＣＣＨ  ＵＳＳに関連付けられたＤＣ−サブバンド８０２ｂおよび８０２ｃは、セカンダリＤＣ−サブバンドと呼ばれることがある。
【０２０５】
セカンダリＤＣ−サブバンドは、以下のパラメータの少なくとも１つに基づいて決定することができる、すなわち、物理的なセルＩＤ、構成された、または使用されるＤ−サブバンドの数、プライマリＤＣ−サブバンドに使用されるＤ−サブバンドインデックス、ＭＩＢから示されたＤＬシステムＢＷ、およびＷＴＲＵ−ＩＤである。セカンダリＤＣ−サブバンドはＲＡＣＨ手順中に示すことができる（例えばｍｓｇ２またはｍｓｇ４など）。
【０２０６】
セカンダリＤＣ−サブバンドは、ＰＲＡＣＨプリアンブル送信に使用されるＰＲＡＣＨリソースに応じて暗黙的に決定することができる。例えば、２つ以上のＰＲＡＣＨリソースを、（例えば、ＴＤＭ、ＦＤＭ、および／またはＣＤＭを用いて）複数のサブセットに区分することができ、また各サブセット（例えば、各区分されたＰＲＡＣＨリソース）は、ＤＣ−サブバンドに関連付けることができる。区分されたＰＲＡＣＨリソースは、カバレッジ拡張レベルに対応することができる。例えば、第１の区分されたＰＲＡＣＨリソースは、通常のカバレッジレベル（例えば、ＣＥレベル−０）に関連付けることができ、また第２の区分されたＰＲＡＣＨリソースは、カバレッジ拡張レベル１（例えば、ＣＥレベル−１）に関連付けることができ、以下同様である。区分されたＰＲＡＣＨリソースは、動作モードに関連付けることができる。例えば、第１の区分されたＰＲＡＣＨリソースは、通常の動作モードに関連付けることができ、また第２の区分されたＰＲＡＣＨリソースは、カバレッジ拡張動作モードに関連付けることができる。セカンダリＤＣ−サブバンドは、上位レイヤのシグナリングにより示すことができる。
【０２０７】
他の例では、複数のＤ−サブバンド８０２を、同報通信チャネルにより構成することができ、また構成されたＤ−サブバンドの少なくとも１つは、プライマリＤＣ−サブバンドとして使用することができ、また構成されたＤ−サブバンドの少なくとも１つをセカンダリＤＣ−サブバンドとして使用することができる。この場合、以下の１つまたは複数のものを適用することができる。
【０２０８】
プライマリＤＣ−サブバンドは、システムパラメータの少なくとも１つに応じて決定することができる。セカンダリＤＣ−サブバンドは、ＰＲＡＣＨプリアンブル送信に使用されたＰＲＡＣＨリソースに応じて決定することができる。またセカンダリＤＣ−サブバンドは、上位レイヤのシグナリングにより示すことができる。さらにセカンダリＤＣ−サブバンドは、ＷＴＲＵ特有のパラメータ（例えば、ＷＴＲＵ−ＩＤ、Ｃ−ＲＮＴＩなど）のうちの少なくとも１つに応じて決定することができる。
【０２０９】
プライマリＤＣ−サブバンドは、特定の位置に位置するＤ−サブバンドに固定することができる（例えば、中心の６個のＰＲＢ）。セカンダリＤＣ−サブバンドは、ＰＲＡＣＨプリアンブル送信に使用されるＰＲＡＣＨリソースに応じて決定することができる。またセカンダリＤＣ−サブバンドは、上位レイヤのシグナリングにより示すことができる。さらにセカンダリＤＣ−サブバンドは、ＷＴＲＵ特有のパラメータ（例えば、ＷＴＲＵ−ＩＤ、Ｃ−ＲＮＴＩ）のうちの少なくとも１つに応じて決定することができる。
【０２１０】
プライマリＤＣ−サブバンドおよびセカンダリＤＣ−サブバンドは、重ならないサブフレームおよび／または無線フレーム８０１で構成することができる。例えば、プライマリＤＣ−サブバンドは、サブフレームおよび／または無線フレームの第１のサブセットで構成することができ、セカンダリＤＣ−サブバンドは、サブフレームおよび／または無線フレームの第２のサブセットで構成することができる。サブフレームおよび／または無線フレームの第１のサブセット、並びにサブフレームおよび／または無線フレームの第２のサブセットは、相互に排他的なものとすることができ、従って、プライマリＤＣ−サブバンドとセカンダリＤＣ−サブバンドの両方を含むサブフレームは存在しないはずである。プライマリＤＣ−サブバンドおよびセカンダリＤＣ−サブバンドは、同じＤ−サブバンドに位置することができる。
【０２１１】
図９は、プライマリおよびセカンダリＤＣ−サブバンドに対するＬＤ−サブバンドおよびＰＤ−サブバンドマッピングの例の図である。図９は、複数のサブフレーム９０３において構成された複数のサブバンド９０２を含むＤＬシステム帯域幅９０１を示している。各サブフレーム９０３は、少なくともプライマリＤＣ−サブバンド９０２ａ、およびセカンダリＤＣ−サブバンド９０２ｂを、他のサブフレーム９０３に対して異なる周波数位置で含んでいる。プライマリＤＣ−サブバンド９０２ａおよび／またはセカンダリＤＣ−サブバンド９０２ｂは、論理的なＤ−サブバンド（ＬＤ−サブバンド）として定義することができ、またＬＤ−サブバンドと物理Ｄ−サブバンド（ＰＤ−サブバンド）との間のマッピングルールは、事前に定義される、または事前に構成され得る。さらに、またはあるいは、プライマリＤＣ−サブバンド９０２ａおよびセカンダリＤＣ−サブバンド９０２ｂは異なるＬＤ−サブバンドで定義することができる。図９は、プライマリおよびセカンダリＤＣ−サブバンドに対するＬＤ−サブバンドとＰＤ−サブバンドの間のマッピングの例を示している。
【０２１２】
例では、ＢＷが制限されたＷＴＲＵは、複数のＤＬサブバンドで構成することができ、また２つの異なるタイプのＤＬ制御チャネル（例えば、ＮＢ−ＥＰＤＣＣＨ  ＵＳＳおよびＮＢ−ＥＰＤＣＣＨ  ＣＳＳなど）が異なるＤＬサブバンドに位置することができる。ＷＴＲＵは、一度に１つのＤＬサブバンドを受信するだけなので、ＷＴＲＵは、ＤＬ制御チャネルの一方を受信できない可能性がある。
【０２１３】
さらなる例では、ＷＴＲＵが、同じサブフレームにあるＮＢ−ＥＰＤＣＣＨ  ＣＳＳおよびＮＢ−ＥＰＤＣＣＨ  ＵＳＳをモニタするように構成される場合、ＷＴＲＵは、ＮＢ−ＥＰＤＣＣＨ  ＣＳＳ用に第１のサブバンド、およびＮＢ−ＥＰＤＣＣＨ  ＵＳＳ用に第２のサブバンドを用いて構成することができる。第１のサブバンドが第２のサブバンドとは異なる周波数位置に位置する場合、優先順位ルールを使用して、サブフレーム内のどのサブバンドをモニタすべきかを決定することができる。その他の場合、ＷＴＲＵは両方のサブバンドをモニタすることができる。
【０２１４】
他の例では、プライマリＤＣ−サブバンドは、サブフレームまたは無線フレームのサブセットで構成され得るが、セカンダリＤＣ−サブバンドは、全てのＤＬサブフレームで構成することができる。プライマリＤＣ−サブバンドとセカンダリＤＣ−サブバンドの両方を含むサブフレームにおいては、以下の１つまたは複数のものを適用することができる。
【０２１５】
プライマリＤＣ−サブバンドおよびセカンダリＤＣ−サブバンドが異なる周波数位置（例えば、異なる物理Ｄ−サブバンド、または異なるＬ−サブバンド）にある場合、優先順位ルールを適用することができる。例えば、プライマリＤＣ−サブバンドは、セカンダリＤＣサブバンドよりも高い優先順位を有することができる。特定のＤＬチャネルを運ぶプライマリＤＣ−サブバンドは、セカンダリＤＣサブバンドよりも高い優先順位を有することができる。例えば、同報通信チャネル（例えば、ＬＣ−ＳＩＢ）を運ぶプライマリＤＣ−サブバンドは、セカンダリＤＣサブバンドよりも高い優先順位を有することができるが、他の信号を運ぶプライマリＤＣ−サブバンドは、セカンダリＤＣサブバンドよりも低い優先順位を有することができる。
【０２１６】
プライマリＤＣ−サブバンドおよびセカンダリＤＣ−サブバンドが、異なる周波数位置（例えば、異なる物理Ｄ−サブバンドまたは異なるＬ−サブバンド）にある場合、切替えルールを適用することができる。ＷＴＲＵが、第１のＤ−サブバンド（または第１のＰＤ−サブバンド）から第２のＤ−サブバンド（または第２のＰＤ−サブバンド）に変更する必要があり、第１および第２のＤ−サブバンドが異なる周波数位置に位置する可能性がある場合、切替え時間（例えば、周波数再調整時間）を適用することができる。切替え時間は、第２のＤ−サブバンドを含むサブフレームの隣のサブフレームに適用することができる。例えば、サブフレームｎが第２のＤ−サブバンドを含む場合、サブフレームｎ−１、および／またはサブフレームｎ＋１は、切替え時間を含むことができる。切替え時間を含むサブフレームにおいては、ＷＴＲＵは、ＤＬ制御チャネルのモニタリングまたは受信をスキップすることができる。さらなる例では、ＷＴＲＵは、サブフレームにおいて直交周波数分割多重（ＯＦＤＭ）シンボルの１つまたは複数のものの受信をスキップすることができる。
【０２１７】
プライマリＤＣ−サブバンドおよびセカンダリＤＣ−サブバンドが同じ周波数位置（例えば、同じ物理Ｄ−サブバンドまたは同じＬ−サブバンド）にある場合、ＷＴＲＵは、両方のＤＣ−サブバンドでＤＬ制御チャネルをモニタする、または受信することができる。
【０２１８】
制御チャネルとデータチャネルの間の関連付けを使用することができる。例では、データチャネルに関連付けられた制御チャネルが同じサブフレームに位置するように１つまたは複数のＤ−サブバンドを用いた、サブフレーム内の制御チャネルおよびデータチャネル関連付けが存在し得る。対照的に、関連付けられた制御およびデータチャネルが異なるサブフレームに位置するように１つまたは複数のＤ−サブバンドを用いた、クロスサブフレームの制御チャネルおよびデータチャネル関連付けが存在し得る。本明細書では、サブフレーム内関連付け、同じサブフレーム関連付け、サブフレーム内制御チャネル、およびデータチャネル関連付けという用語は、相互に交換可能に使用することができる。同様に、クロスサブフレーム関連付け、異なるサブフレーム関連付け、クロスサブフレーム制御チャネル、およびデータチャネル関連付けという用語は、相互に交換可能に使用することができる。
【０２１９】
例では、ＢＷが制限されたＷＴＲＵは、複数のＤＬサブバンドで構成することができ、ＤＬサブバンドが１つのサブフレームから他のものへと変化した場合、ＷＴＲＵは、周波数再調整時間（最高で１ｍｓになり得る）が必要になり得るので、サブバンド位置が変化したサブフレームの隣の部分的または完全なサブフレームを受信できない可能性がある。
【０２２０】
さらなる例では、ＷＴＲＵは、第１のサブフレームにおいて構成された複数のＤＬサブバンド内のＤＬサブバンドを決定することができ、またＷＴＲＵは、第１のサブフレームおよび第２のサブフレームに対して決定されたＤＬサブバンドが同じであり、第２のサブフレームが第１のサブフレームの隣のサブフレームである場合、第１のＤＬサブフレームの決定されたＤＬサブバンドにおけるＤＬ制御チャネルをモニタすることができる。
【０２２１】
例では、２つ以上のＤ−サブバンドを、ＰＤＳＣＨ送信に対して構成することができ、またＷＴＲＵは、同じＤ−サブバンドにおいて、ＤＬ制御チャネルおよび関連するＰＤＳＣＨをモニタ、かつ／または受信することができる。この場合、以下の１つまたは複数のものを適用することができる。
【０２２２】
２つ以上の送信モードを使用することができる。例えば、周波数ホッピングモードおよび非周波数ホッピングモードを定義することができる。本明細書では、周波数ホッピングモード、周波数ダイバーシティモード、および分散されたリソース割り振りモードという用語は、相互に交換可能に使用することができる。非周波数ホッピングモード、局所化されたモード、および周波数選択スケジューリングモードという用語は、相互に交換可能に使用することができる。
【０２２３】
ＷＴＲＵは、２つ以上の構成されたＤ−サブバンドを用いた周波数ホッピングモードで構成することができ、構成されたＤ−サブバンドの１つを、ＤＬ信号受信のために各サブフレームで選択する、または決定することができる。従って、Ｄ−サブバンドは、サブフレームごとに変えることができる。Ｄ−サブバンドの決定は、サブフレーム番号および／または無線フレーム番号、構成されたＤ−サブバンドの数、ＷＴＲＵ−ＩＤ、並びに周波数ホッピングシーケンスのうちの少なくとも１つに基づくことができる。
【０２２４】
非周波数ホッピングモードでは、Ｄ−サブバンドは、半静的に（例えば、単一のサブバンドを用いて）構成することができる。Ｄ−サブバンドは、以下の少なくとも１つにより決定することができる。
【０２２５】
上位レイヤのシグナリングを使用して、Ｄ−サブバンドを構成することができる。従って、Ｄ−サブバンドは、ＷＴＲＵ特有の方法で決定することができる。
【０２２６】
ＷＴＲＵ−ＩＤ（例えば、Ｃ−ＲＮＴＩ）を使用して、Ｄ−サブバンドを決定することができる。例えば、Ｄ−サブバンドは、Ｃ−ＲＮＴＩに応じて決定することができる。ＰＲＡＣＨプリアンブル送信に使用されたＰＲＡＣＨリソースが、Ｄ−サブバンドを決定することができる。
【０２２７】
周波数ホッピング動作モードでは、ＷＴＲＵは、サブフレームおよび／または無線フレームのサブセットにおいて、ＤＬ制御チャネルをモニタする、または受信することができる。ＷＴＲＵが、ＤＬ制御チャネルを受信またはモニタできないサブフレームは、以下の少なくとも１つにより決定することができる。
【０２２８】
上位レイヤのシグナリングがサブフレームを示すことができる。さらに、サブフレームは、周波数ホッピングに基づくことのできる事前定義の条件に基づき、決定することができる。例えば、事前定義の条件は、Ｄ−サブバンド位置が、前のＤ−サブバンド位置から変化しているサブフレームの次に隣接したサブフレームとすることができる。例では、ＷＴＲＵが、サブフレームｎにおけるダウンリンク信号をＤ−サブバンドｍで受信、またはモニタしており、かつＷＴＲＵが、サブフレームｎ＋ｋにおけるダウンリンク信号をＤ−サブバンドｍ＋ｉで受信、またはモニタする必要がある場合、サブフレームｎ＋ｋの隣のサブフレーム（例えば、サブフレームｎ＋ｋ−１および／またはサブフレームｎ＋ｋ＋１）が隣接するサブフレームであり得る。
【０２２９】
図１０は、サブフレーム１００１が複数のサブバンド１００２で構成された例示的なサブフレーム内関連付けの図である。図１０は、周波数ホッピングを用いた、または用いないサブフレーム内制御チャネルおよびデータチャネルの関連付けの例を示しており、ＷＴＲＵ−１は、２つの構成されたＤ−サブバンド（例えば、Ｄ−サブバンドｍおよびｍ＋ｉ）を用いて周波数ホッピング動作モードで構成することができ、またＷＴＲＵ−２は、１つの構成されたＤ−サブバンド（例えば、Ｄ−サブバンドｍ＋ｊ）を用いて非周波数ホッピングモードで構成することができる。従って、ＷＴＲＵ１は、複数のサブフレームにわたって複数のＤ−サブバンドを用いて、複数の関連付けられた制御およびデータ信号対を受信し、またＷＴＲＵ２は、複数のサブフレームにわたって１つのＤ−サブバンドを用いて、複数の関連付けられた制御およびデータ信号対を受信する。
【０２３０】
他の例では、ＷＴＲＵは、第１のサブフレームで構成された、構成された複数のＤ−サブバンド内のＤ−サブバンドを決定することができ、また第１のサブフレームおよび第２のサブフレームに対して決定されたダウンリンクサブバンドが同じであり、第２のサブフレームは、第１のサブフレームの隣のサブフレームであり得る場合、ＷＴＲＵは、第１のダウンリンクサブフレームにおける決定されたダウンリンクサブバンドのダウンリンク制御チャネル（例えば、ＮＢ−ＥＰＤＣＣＨ）をモニタすることができる。
【０２３１】
第１のサブフレームは、サブフレームｎとすることができる。第２のサブフレームは、サブフレームｎ−１および／またはサブフレームｎ＋１とすることができる。ＷＴＲＵが、ダウンリンク制御チャネルの受信またはモニタリングをスキップできるサブフレームは、周波数帯域切替えのためのガードサブフレームと見なすことができる。
【０２３２】
例では、複数のサブバンドを用いたクロスサブフレームの制御チャネルおよびデータチャネル関連付けを使用することができる。本明細書では、クロスサブフレーム関連付け、クロスサブフレームの制御チャネルおよびデータチャネル関連付けという用語は、相互に交換可能に使用することができる。
【０２３３】
クロスサブフレーム関連付けによれば、ダウンリンク制御チャネルは、第１のサブフレームにおいて、ＷＴＲＵによりモニタ、かつ／または受信することができ、また関連するデータチャネル（例えば、ＰＤＳＣＨ）は、第２のサブフレームで受信することができ、ここで、ダウンリンク制御チャネル、および関連するデータチャネルは、同じＤ−サブバンドに、かつ／または異なるＤ−サブバンドに存在することができる。例では、第１のサブフレームにおけるダウンリンク制御チャネルは、第２のサブフレームにおける関連するＰＤＳＣＨのスケジューリング情報を含むことのできるＤＣＩを運ぶことができる。ＤＣＩは以下の情報の１つまたは複数のものを含むことができる。
【０２３４】
図１１は、ＤＣＩからのクロスサブフレームスケジューリング指示の例の図である。図１１は、複数のサブバンド１１０２で構成されたサブフレーム１１０１を示している。ＤＣＩは、第２のサブフレームにおけるＰＤＳＣＨの周波数位置を含むことができる。以下の情報の少なくとも１つが、第２のサブフレームにおける関連するＰＤＳＣＨの周波数位置を示すためにＷＴＲＵに提供され得る。Ｄ−サブバンドのＰＲＢ対の位置が提供され得る。Ｄ−サブバンドインデックスを示すことができる。ＤＣＩが受信され得る現在のＤ−サブバンドからのＤ−サブバンドインデックスのオフセット。例えば、図１１で、現在のＤ−サブバンドがｍであり、関連付けられたＰＤＳＣＨが送信されるＤ−サブバンドに対するオフセットはｉである。開始ＰＲＢ対の番号を示すことができる。開始ＰＲＢ対の番号は、システムＢＷ内のＰＲＢ対番号のサブセットであり得る。
【０２３５】
Ｄ−サブバンド内の関連するＰＤＳＣＨのＰＲＢ対の位置を提供することができる。関連するＰＤＳＣＨに対して割り振られたＰＲＢ対は、ＤＣＩから示すことができる。
【０２３６】
ＤＣＩは、第２のサブフレームの時間位置を含むことができる。時間位置はオフセットにより示すことができる。例えば、第１のサブフレームがサブフレームｎに位置している場合、関連するＰＤＳＣＨ受信のための第２のサブフレームは、サブフレームｎ＋ｋに位置し、ここで、ｋはＤＣＩから示すことができる。この場合、ｋはオフセットであると見なすことができる。
【０２３７】
時間位置は、ＤＣＩにおけるオフセットパラメータ、および関連するＰＤＳＣＨの周波数位置の少なくとも一方に応じて決定することができる。例えば、第１のサブフレームがサブフレームｎに位置し、また関連するＰＤＳＣＨの周波数位置が、ＷＴＲＵがＤＣＩを受信した同じＤ−サブバンドである場合、第２のサブフレームは、ｎ＋ｋに位置することができる。しかし、関連するＰＤＳＣＨの周波数位置が、ＷＴＲＵがＤＣＩを受信したサブバンドとは異なるＤ−サブバンドである場合、第２のサブフレームは、ｎ＋ｋ＋δに位置することができる。ｋはＤＣＩから示すことができる。δは、事前定義の数とすることができる。例えば、δ＝１である。δは、周波数再調整時間と見なすことができる。
【０２３８】
時間位置（例えば、ｋ）は、関連するＰＤＳＣＨを含むＤ−サブバンドの周波数位置に応じて決定することができる。時間位置ｋは、関連するＰＤＳＣＨを含むサブバンドが、対応するＤＣＩをＷＴＲＵが受信したサブバンドと同じである場合、事前定義の数ｋ１とすることができる。その他の場合にはｋ２が使用される。時間位置ｋ１および時間位置ｋ２は、異なる数とすることができる。時間位置ｋは、サブバンドインデックスに応じて決定することができる。
【０２３９】
時間位置は、第１のサブフレームと固定されたタイミング関係を有することのできる特定のサブフレームのサブフレームタイプに基づいて決定することができる。例えば、第１のサブフレームは、ＷＴＲＵがＤＣＩを受信できるサブフレームｎに位置することができ、また固定されたタイミング関係を有することのできる特定のサブフレームは、サブフレームｎ＋ｋに位置することができる。この場合、第２のサブフレームの時間位置は、サブフレームｎ＋ｋのサブフレームタイプに応じて決定することができる。第２のサブフレームは、ｎ＋ｋ＋δに位置することができ、ここで、δは、サブフレームｎ＋ｋのサブフレームタイプに応じて決定することができる。例では、サブフレームｎ＋ｋがサブフレームタイプＡである場合、δ＝０であり、またサブフレームｎ＋ｋがサブフレームタイプＢである場合、δ＞０であり、ここで、サブフレームタイプＡは、ＰＤＳＣＨを送信できるサブフレームとすることができ、またサブフレームタイプＢは、ＰＤＳＣＨを送信できないサブフレームとすることができる。他の例では、サブフレームタイプＡは、ＰＤＳＣＨを送信できる通常のサブフレームとすることができ、またサブフレームタイプＢは、物理マルチキャストチャネル（ＰＭＣＨ）、アップリンク、および再調整のうちの少なくとも１つに使用されるサブフレームとすることができる。
【０２４０】
時間位置は、特定のタイミングオフセットより後のＰＤＳＣＨ送信に利用可能な次のサブフレームの位置に基づいて決定することができる。例えば、第１のサブフレームは、ＷＴＲＵがＤＣＩを受信できるサブフレームｎに位置することができ、また特定のタイミングオフセットはｋ−１とすることができ、ここで、ｋは、上位レイヤのシグナリングにより構成された、または同報通信された事前定義の数とすることができる。従って、サブフレームｋがＰＤＳＣＨ送信に利用可能なサブフレームである場合、ＷＴＲＵが関連するＰＤＳＣＨを受信できる第２のサブフレームの時間位置は、サブフレームｎ＋ｋとすることができる。サブフレームｋがＰＤＳＣＨ送信に利用可能なサブフレームではなく、サブフレームｋ＋δがＰＤＳＣＨ送信に利用可能な次のサブフレームである場合、ＷＴＲＵが関連するＰＤＳＣＨを受信できる第２のサブフレームの時間位置は、サブフレームｎ＋ｋ＋δとすることができ、ここで、ＰＤＳＣＨ送信に利用可能なサブフレームではない可能性のあるサブフレームは、これだけに限らないが、ＰＭＣＨを運ぶＭＢＳＦＮサブフレーム、アップリンクサブフレーム、専用のサブフレーム、および再調整に使用できるガードサブフレームのうちの少なくとも１つとすることができる。
【０２４１】
他の例では、第１のサブフレームおよび第２のサブフレームに対するＤ−サブバンドの周波数位置は、事前に決定される、または事前に構成することができる。この場合、以下の１つまたは複数のものを適用することができる。
【０２４２】
Ｄ−サブバンドホッピングに対する周波数ホッピングパターンを使用して、ＷＴＲＵがダウンリンク信号をモニタまたは受信できるサブフレームにおいて、Ｄ−サブバンド周波数位置（例えば、Ｄ−サブバンドインデックス）を決定することができる。周波数ホッピングパターンのセットは、事前に定義することができ、また周波数ホッピングパターンの１つは、ＷＴＲＵ−ＩＤ（例えば、Ｃ−ＲＮＴＩ）、上位レイヤにより構成できるＷＴＲＵグループＩＤ、動作モード（例えば、通常カバレッジモード、カバレッジ拡張モード）、およびカバレッジ拡張レベルのうちの少なくとも１つに基づいて、ネットワークにより決定および／または選択することができる。さらに周波数ホッピングパターンの１つは、上位レイヤ構成（例えば、ＲＲＣ構成）により決定することができる。さらに、周波数ホッピングパターンの１つは、ＰＲＡＣＨプリアンブル送信に使用されるＰＲＡＣＨリソースに応じて決定することができ、ここで、ＰＲＡＣＨリソースは、２つ以上のサブセットに区分することができ、また各サブセットは、周波数ホッピングパターンに関連付けることができる。
【０２４３】
周波数ホッピングパターンは、同じＤ−サブバンドを全てのサブフレームにおいて使用することができる、非周波数ホッピングの場合を含むことができる。周波数ホッピングパターンは、ＷＴＲＵがダウンリンク信号を受信またはモニタできないガードサブフレームを含むことができる。
【０２４４】
周波数ホッピングパターンは、無線フレームにおけるサブフレーム番号、または無線フレーム番号に基づいて定義することができる。例では、複数のＤ−サブバンドがＤ−サブバンドホッピングに対して構成される場合、｛ｎ０、ｎ１、ｎ２、ｎ３、ｎ４、ｎ５、ｎ６、ｎ７、ｎ８、ｎ９｝を、サブフレーム番号に基づく周波数ホッピングパターンとして使用することができ、ここで、第１の番号（例えば、ｎ０）は、無線フレームにおける第１のサブフレームに対するＤ−サブバンドインデックスとすることができ、また第２の番号（例えば、ｎ１）は、無線フレームにおける第２のサブフレームに対するＤ−サブバンドインデックスとすることができ、以下同様である。
【０２４５】
図１２は、第２のサブフレームのＤ−サブバンド周波数位置によるオフセットｋの例の図である。図１２は、複数のサブバンド１２０２で構成されたサブフレーム１２０１を示す。例では、オフセットは、第１のサブフレームと第２のサブフレームとの間の関連付けを決定するために使用することができる。例えば、第１のサブフレームがサブフレームｎに位置する場合、第２のサブフレームは、サブフレームｎ＋ｋに位置することができ、ここで、ｋはオフセットであると見なすことができる。
【０２４６】
オフセットｋは、固定された数とすることができる。オフセットｋは、ＤＣＩから示すことができる。オフセットｋは０とすることができ、それは、サブフレーム内関連付けと見なすことができる。ｋ＞０である場合、クロスサブフレーム関連付けを使用することができる。
【０２４７】
オフセットｋは事前定義の条件に基づいて決定することができる。Ｄ−サブバンドの周波数位置（例えば、Ｄ−サブバンドインデックス）が、第１のサブフレームと第２のサブフレームの両方で同じである場合、オフセットｋは１とすることができ、かつベースオフセット値である見なすことができる。Ｄ−サブバンドの周波数位置（例えば、Ｄ−サブバンドインデックス）が、第１のサブフレームと第２のサブフレームに対して異なっている場合、オフセットｋはベースオフセット値よりも大きい事前定義の数（例えば、２または３）とすることができる。例えば、図１２は、関連する制御信号およびデータ信号を受信するための周波数間関連付け、および周波数内関連付けに対する異なるオフセットを示している。具体的には、同じ周波数において、サブフレームｎ＋１のデータチャネルは、１つのサブフレームだけオフセットされたサブフレームｎの制御チャネルに関連付けられる。他方で、異なる周波数においては、サブフレームｎ＋１の制御チャネルに関連付けられたサブフレームｎ＋３のデータチャネルは、２つのサブフレームだけオフセットされる。
【０２４８】
構成されたＤ−サブバンド内のＤ−サブバンドは、サブフレーム内で決定することができ、またＷＴＲＵは、Ｄ−サブバンドでダウンリンク制御チャネルをモニタ、または受信することができる。ＷＴＲＵがＰＤＳＣＨスケジューリングに対するＤＣＩを受信した場合、サブフレームは第１のサブフレームとなり得、また第２のサブフレームに対するＤ−サブバンドは、第２のサブフレーム時間位置に基づいて決定することができる。
【０２４９】
別の例では、第１のサブフレームに対するＤ−サブバンドの周波数位置は、事前に決定する、または事前に構成することができ、また第２のサブフレームに対するＤ−サブバンドの周波数位置は、第１のサブフレームにおけるダウンリンク制御チャネルから示すことができる。この場合、以下の１つまたは複数のものを適用することができる。
【０２５０】
２つ以上のＤ−サブバンドを構成することができ、また構成されたＤ−サブバンドの１つは、ＮＢ−ＥＰＤＣＣＨ（例えば、ＤＣ−サブバンド）として使用することができる。ＤＣ−サブバンドは、ＮＢ−ＥＰＤＣＣＨ  ＵＳＳおよび／またはＮＢ−ＥＰＤＣＣＨ  ＣＳＳに対して使用することができる。ＤＣ−サブバンドは、上位レイヤのシグナリングにより、または同報通信チャネルにより構成することができる。ＷＴＲＵは、ＤＣ−サブバンドだけでＣ−ＲＮＴＩを有するＤＣＩをモニタ、または受信することができる。
【０２５１】
ＷＴＲＵは、以下の条件の１つまたは複数のものを満たすことのできるサブフレームにおいてＣ−ＲＮＴＩを有するＤＣＩを受信、またはモニタすることができる。サブフレームは、サブフレームがＤＣ−サブバンドを含むように構成される条件を満たすことができる。サブフレームは、サブフレームが、ＤＣ−サブバンドのものとは周波数位置が異なる可能性のあるＤ−サブバンドでＰＤＳＣＨを受信するために使用できないという条件を満たすことができる。サブフレームは、サブフレームが、ＤＣ−サブバンドのものとは周波数位置が異なる可能性のあるＤ−サブバンドで、Ｃ−ＲＮＴＩを有するＤＣＩよりも高い優先順位を有することのできるダウンリンク信号の受信に対して使用できないという条件を満たすことができる。
【０２５２】
図１３は、複数のＷＴＲＵ（例えば、ＷＴＲＵ１およびＷＴＲＵ２）に対する第２のサブフレームのＤ−サブバンド周波数位置によるオフセットｋの例の図である。図１３は、複数のサブバンド１３０２で構成されたサブフレーム１３０１を示す。オフセットｋは０とすることができ、それはサブフレーム内関連付けと見なすことができる。オフセットｋ＞０の場合、クロスサブフレーム関連付けを使用することができ、ここで、クロスサブフレーム関連付けに対するオフセットｋは、サブフレーム内関連付けに対するオフセットｋよりも大きくすることができる。
【０２５３】
例えば、関連付けられた制御信号およびデータ信号が同じサブフレームで受信される場合、またＤ−サブバンドの周波数位置（例えば、Ｄ−サブバンドインデックス）が両方の受信された信号に対して同じである場合、オフセットｋは０とすることができ、ベースオフセット値と見なすことができる。図１３は、ＷＴＲＵ２に対して、関連付けられた制御信号およびデータ信号がサブフレームｎ＋３、Ｄ−サブバンドｍで受信された場合、オフセットｋが０であることを示している（すなわち、サブフレーム内関連付け）。
【０２５４】
ＷＴＲＵ１の場合、図１３は、Ｄ−サブバンドの周波数位置（例えば、Ｄ−サブバンドインデックス）が、第１のサブフレームと第２のサブフレームで同じである場合（すなわち、クロスサブフレーム関連付け）、オフセットｋは１とすることができ、クロスサブフレーム関連付けに対するベースオフセット値と見なし得ることを示している。Ｄ−サブバンドの周波数位置（例えば、Ｄ−サブバンドインデックス）が、第１のサブフレームおよび第２のサブフレームに対して異なっている場合（すなわち、クロスサブフレーム関連付け）、オフセットｋは、クロスサブフレーム関連付けに対するベースオフセット値よりも大きい事前定義の数（例えば、２または３）とすることができる。図１３は、同じＤ−サブバンド内のクロスサブフレーム関連付けの場合のＷＴＲＵ１に対してオフセットｋが１であることを示している（例えば、サブフレームｎ、Ｄ−サブバンドｍでＷＴＲＵ１により受信された制御信号、およびサブフレームｎ＋１、Ｄ−サブバンドｍでＷＴＲＵ１により受信されたデータ信号）。さらに、異なるＤ−サブバンドにわたって行われたクロスサブフレーム関連付けの場合のＷＴＲＵ１に対して、オフセットｋは２である（例えば、サブフレームｎ＋１、ＤサブバンドｍでＷＴＲＵ１により受信された制御信号、およびサブフレームｎ＋３、Ｄ−サブバンドｍ＋ｉでＷＴＲＵ１により受信されたデータ信号）。
【０２５５】
図１４は、クロスサブフレーム関連付けを用いるＷＴＲＵ受信挙動の例の図である。図１４は、複数のサブバンド１４０２で構成されたサブフレーム１４０１を示しており、サブフレームｎ、Ｄ−サブバンドｍでＷＴＲＵにより受信されたＤＬ制御信号は、サブフレームｎ＋ｋ１、Ｄ−サブバンドｍ＋ｉでＷＴＲＵにより受信されたＤＬデータ信号に関連付けられ、またサブフレームｎ＋ｋ２、Ｄ−サブバンドｍでＷＴＲＵにより受信されたＤＬ制御信号は、サブフレームｎ＋ｋ３、Ｄ−サブバンドｍでＷＴＲＵにより受信されたＤＬデータ信号に関連付けられる。従って、図１４は、第１のサブフレームに対するＤ−サブバンドの周波数位置が事前に決定される、または事前に構成され得る場合、制御チャネルとデータチャネルの間のクロスサブフレーム関連付けの例を示しており、Ｄ−サブバンドｍは、ＤＣ−サブバンドとして構成される。
【０２５６】
例では、ＷＴＲＵは、サブフレームにおいてＤＣ−サブバンドとは異なるＤ−サブバンドで、関連するＰＤＳＣＨを受信する場合、ＮＢ−ＥＰＤＣＣＨのモニタリングおよび／または受信をスキップすることができる。さらなる例では、ＷＴＲＵは、サブフレームにおけるＤＣ−サブバンドでＰＤＳＣＨを受信する場合、ＮＢ−ＥＰＤＣＣＨをモニタ、かつ／または受信することができる。他の例では、ＷＴＲＵは、ダウンリンク信号が、サブフレームの他のＤ−サブバンドに割り振られていない場合、ＮＢ−ＥＰＤＣＣＨをモニタ、かつ／または受信することができる。
【０２５７】
他の例では、複数のサブバンドを用いたハイブリッド制御チャネルおよびデータチャネル関連付け法を使用することができる。２つ以上のＤ−サブバンドを構成することができ、また構成されたＤ−サブバンドの１つをＮＢ−ＥＰＤＣＣＨ  ＵＳＳに使用することができ、また構成されたＤ−サブバンドの１つをＮＢ−ＥＰＤＣＣＨ  ＣＳＳに使用することができる。
【０２５８】
さらに他の例では、ＢＷが制限されたＷＴＲＵを、複数のダウンリンクサブバンドで構成することができ、またダウンリンク制御チャネルの２つの異なるタイプ（例えば、ＮＢ−ＥＰＤＣＣＨ  ＵＳＳおよびＮＢ−ＥＰＤＣＣＨ  ＣＳＳなど）は、異なるダウンリンクサブバンドに位置することができる。ＷＴＲＵは、一度に１つのダウンリンクサブバンドを受信するだけなので、ＷＴＲＵは、ダウンリンク制御チャネルの一方を受信することができず、両方に使用されるクロスサブフレーム関連付けは、ＷＴＲＵスループット性能を減少させるおそれがある。
【０２５９】
さらなる例では、ＷＴＲＵは、ＮＢ−ＥＰＤＣＣＨ  ＣＳＳに対して第１のサブバンドを、ＮＢ−ＥＰＤＣＣＨ  ＵＳＳに対して第２のサブバンドを用いて構成することができ、またサブフレーム関連付けタイプ（例えば、サブフレーム内関連付け、またはクロスサブフレーム関連付け）は、ＷＴＲＵがサブバンドにおいてモニタするＮＢ−ＥＰＤＣＣＨ探索空間に基づいて決定することができる。
【０２６０】
例では、サブフレーム内関連付け、またはクロスサブフレーム関連付けは、ＮＢ−ＥＰＤＣＣＨ探索空間に基づいて使用することができる。ＷＴＲＵが、ＮＢ−ＥＰＤＣＣＨ  ＵＳＳでＤＣＩを受信した場合、制御チャネルおよびデータチャネルが異なるサブフレームで受信され得るクロスサブフレーム関連付けを使用することができる。ＷＴＲＵが、ＮＢ−ＥＰＤＣＣＨ  ＣＳＳでＤＣＩを受信した場合、制御チャネルおよびデータチャネルが同じサブフレームで受信され得るサブフレーム内関連付けを使用することができる。
【０２６１】
ＮＢ−ＥＰＤＣＣＨ  ＵＳＳに対するＤ−サブバンドと、ＮＢ−ＥＰＤＣＣＨ  ＣＳＳに対するＤ−サブバンドとは異なることができる。Ｄ−サブバンドインデックスを使用して、サブフレーム関連付けタイプ（例えば、サブフレーム内関連付け、またはクロスサブフレーム関連付け）を決定することができる。ダウンリンク制御チャネルタイプを含むＤ−サブバンド（例えば、ＮＢ−ＥＰＤＣＣＨ  ＵＳＳまたはＮＢ−ＥＰＤＣＣＨ  ＣＳＳ）を使用して、サブフレーム関連付けタイプを決定することができる。ＮＢ−ＥＰＤＣＣＨ  ＵＳＳに対するＤ−サブバンド、およびＮＢ−ＥＰＤＣＣＨ  ＣＳＳに対するＤ−サブバンドは、同じにすることができる。
【０２６２】
図１５は、ＮＢ−ＥＰＤＣＣＨ  ＵＳＳおよびＮＢ−ＥＰＤＣＣＨ  ＣＳＳに対するＤ−サブバンド構成の例の図である。図１５は、サブフレーム内関連付けおよびクロスサブフレーム関連付けを用いた、ＮＢ−ＥＰＤＣＣＨ  ＵＳＳおよびＮＢ−ＥＰＤＣＣＨ  ＣＳＳに対するＤ−サブバンド構成を有する複数のサブバンド１５０２で構成されたサブフレーム１５０１の例を示す。例では、クロスサブフレーム関連付けは、逆も同様であるが、ＮＢ−ＥＰＤＣＣＨ  ＵＳＳに対して使用することができ、またサブフレーム内関連付けは、ＮＢ−ＥＰＤＣＣＨ  ＣＳＳに対して使用することができる。従って、サブフレームｎ、Ｄ−サブバンドｍにおいて、ＷＴＲＵにより受信されるＤＬ制御信号は、サブフレームｎ＋ｋ１、Ｄ−サブバンドｍ＋ｉにおいて、ＷＴＲＵにより受信されるＤＬデータ信号に関連付けられ、サブフレームｎ＋ｋ２、Ｄ−サブバンドｍにおいて、ＷＴＲＵにより受信されるＤＬ制御信号は、サブフレームｎ＋ｋ３、Ｄ−サブバンドｍにおいて、ＷＴＲＵにより受信されるＤＬデータ信号に関連付けられ、かつサブフレームｎ＋ｋ３、Ｄ−サブバンドｍ＋ｊにおいて、ＷＴＲＵにより受信されるＤＬ制御信号は、サブフレームｎ＋ｋ３、Ｄ−サブバンドｍ＋ｊにおいて受信されるＤＬデータ信号に関連付けられる。
【０２６３】
他の例では、サブフレーム内関連付け、またはクロスサブフレーム関連付けは、Ｄ−サブバンドに従って使用することができる。各Ｄ−サブバンドは、サブフレーム内関連付け、またはクロスサブフレーム関連付けを用いて構成することができる。その構成は、上位レイヤのシグナリング、または同報通信チャネルに基づくことができる。
【０２６４】
プライマリＤ−サブバンドは、サブフレーム内関連付けまたはクロスサブフレーム関連付けとして事前に定義される、または事前に構成され得る。セカンダリＤ−サブバンドは、上位レイヤのシグナリングにより、サブフレーム内関連付けまたはクロスサブフレーム関連付けを用いて構成することができる。
【０２６５】
サブフレーム関連付けタイプは、プライマリＤ−サブバンドに対する同報通信チャネルを介して示すことができるが、セカンダリＤ−サブバンドに対するサブフレーム関連付けタイプは、上位レイヤのシグナリングにより構成することができる。あるいは、セカンダリＤ−サブバンドに対するサブフレーム関連付けタイプは、ＤＣＩから示すことができる。例えば、オフセットｋをＤＣＩで使用することができ、ＤＣＩで、オフセットｋは、サブフレーム内関連付け（ｋ＝０）およびクロスサブフレーム関連付け（ｋ＞０）を示すことができる。
【０２６６】
他の例では、サブフレーム内関連付けまたはクロスサブフレーム関連付けは、ＷＴＲＵの機能に基づいて使用することができる（例えば、図１３を参照のこと）。全二重通信機能を有する低減されたＢＷのＷＴＲＵは、クロスサブフレーム関連付けを使用することができるが、半二重通信機能（ＨＤ−ＦＤＤ）を有する低減されたＢＷのＷＴＲＵは、サブフレーム内関連付けを使用することができる。ＦＤＤおよび／またはＴＤＤモードで動作する低減されたＢＷのＷＴＲＵは、クロスサブフレーム関連付け、または両方をサポートすることができる。ＨＤ−ＦＤＤ機能を有する低減されたＢＷのＷＴＲＵは、サブフレーム内関連付けを使用することができる。
【０２６７】
ＨＤ−ＦＤＤタイプは、サブフレーム関連付けを決定することができる。例えば、第１のタイプのＨＤ−ＦＤＤ（例えば、２つの発振器、１つは送信（Ｔｘ）用であり、１つは受信（Ｒｘ）用である）は、クロスサブフレーム関連付けを使用することができるが、第２のタイプのＨＤ−ＦＤＤ（例えば、ＴｘおよびＲｘの両方に対して単一の発振器）は、サブフレーム内関連付けを使用することができる。第１のタイプのＨＤ−ＦＤＤ、および第２のタイプのＨＤ−ＦＤＤは、使用される発振器の数に基づいて決定することができる。例えば、第１のタイプのＨＤ−ＦＤＤは、ＴｘおよびＲｘ用に２つの発振器を使用することができ、また第２のタイプのＨＤ−ＦＤＤは、ＴｘおよびＲｘ用に単一の発振器を使用することができる。第１のタイプのＨＤ−ＦＤＤ、および第２のタイプのＨＤ−ＦＤＤは、サブバンドホッピングのための切替え時間に基づいて決定することができる。
【０２６８】
低減されたＢＷのＷＴＲＵは、ネットワーク（例えば、ｅＮｏｄｅＢ）に対して信号で、クロスサブフレーム関連付けおよびサブフレーム内関連付けの少なくとも一方を示すことができる。ＷＴＲＵは、ネットワーク（例えば、ｅＮｏｄｅＢ）に対して信号で、サポートされるサブフレーム関連付けタイプを示すことができる。
【０２６９】
Ｄ−サブバンドを構成し、その構成を１つまたは複数のＷＴＲＵに適用するための、本明細書で述べられる方法は、Ｄ−サブバンドを構成し、その構成を１つまたは複数のＷＴＲＵに適用するための、本明細書で述べられる任意の他の方法の１つまたは複数のものと組み合わせることが可能であることが理解されよう。
【０２７０】
例では、複数のＤ−サブバンドと複数のＵ−サブバンドとの間の関連付けを使用することができる。２つ以上のＵ−サブバンドをＷＴＲＵに対して構成することができ、またＷＴＲＵは、サブフレームにおける特定のＵ−サブバンドでアップリンク信号を送信することができる。２つ以上のＵ−サブバンドを１つまたは複数のＤ−サブバンドに関連付けることができる。Ｄ−サブバンドを構成するための上記で述べた同様の原理を、Ｕ−サブバンドを構成するために適用することができる。
【０２７１】
さらなる例では、ＢＷが制限されたＷＴＲＵは、複数のダウンリンクサブバンド、および複数のアップリンクサブバンドで構成することができる。しかし、ＷＴＲＵは、アップリンク信号送信に対して、またはダウンリンク信号受信に対して、どのサブバンドを使用すべきかを知らない可能性がある。
【０２７２】
他の例では、ＷＴＲＵは、２つ以上のアップリンクサブバンドで構成することができ、またＷＴＲＵは、サブフレームにおいて決定されたアップリンクサブバンドで、アップリンク信号を送信することができ、その場合、アップリンクサブバンドは、ＷＴＲＵが関連するＤＣＩを受信したダウンリンクサブバンドに基づいて決定することができる。さらなる例では、ＷＴＲＵは、２つ以上のアップリンクサブバンドで構成することができ、またＷＴＲＵは、サブフレームにおいて決定されたアップリンクサブバンドでアップリンク信号を送信することができ、その場合、アップリンクサブバンドは、関連するＤＣＩから示すことができる。
【０２７３】
例では、１つまたは複数のアップリンクチャネル（例えば、ＰＵＣＣＨ、ＰＵＳＣＨなど）に対する特定のＵ−サブバンドを、ＷＴＲＵが関連するＤＣＩを受信したＤ−サブバンドに応じて決定することができる。Ｄ−サブバンドインデックスを使用して、特定のＵ−サブバンドを決定することができ、ＷＴＲＵは、関連するＤＣＩにより割り振られたアップリンク信号を送信することができる。例えば、ＷＴＲＵが、Ｄ−サブバンドｘで、アップリンク許可に対するＣ−ＲＮＴＩを有するＤＣＩを受信した場合、Ｄ−サブバンドインデックスｘを使用して、アップリンクリソースを割り振ることのできるＵ−サブバンドインデックスを決定することができる。
【０２７４】
図１６は、複数のＤ−サブバンド１６０１、および複数のＵ−サブバンド１６０２で構成されたシステムにおけるＤ−サブバンドとＵ−サブバンドのリンクの例の図である。Ｄ−サブバンド１６０１は、１つまたは複数のアップリンクチャネルに対して、Ｕサブバンド１６０２を用いて事前に構成することができる。アップリンクリソース割り振り（例えば、ＰＵＳＣＨおよびＰＵＣＣＨ用）に使用されるＤＣＩを運ぶ各Ｄ−サブバンド１６０１は、１つまたは複数のＵ−サブバンド１６０２を用いて事前に構成することができる。これは、Ｄ−サブバンド１６０１とＵ−サブバンド１６０２の間の事前に構成されたリンクの例と見なすことができる。図１６は、複数のＤ−サブバンド１６０１と複数のＵ−サブバンド１６０２の間のリンクの例を示している。
【０２７５】
図１６は、Ｄ−サブバンド１がＵ−サブバンド２にリンクし、Ｄ−サブバンド２がＵ−サブバンド２にリンクし、Ｄ−サブバンド３もまたＵ−サブバンド２にリンクし、かつＤ−サブバンドＭがＵ−サブバンドＫにリンクすることを示している。
【０２７６】
リンクは、ダウンリンクおよび／またはアップリンクチャネルに従って構成され、または事前に決定され得る。例えば、Ｄ−サブバンドは、アップリンクチャネル（例えば、ＰＵＳＣＨ）に対して第１のＵ−サブバンドとリンクすることができ、また別のアップリンクチャネル（例えば、ＰＵＣＣＨ）に対して第２のＵ−サブバンドとリンクすることができる。Ｄ−サブバンドと複数のＵ−サブバンドとの間のリンクは、同報通信チャネル（例えば、ＬＣ−ＳＩＢ）、または上位レイヤのシグナリングにより、事前に定義される、または構成され得る。
【０２７７】
他の例では、１つまたは複数のアップリンクチャネル（例えば、ＰＵＣＣＨ、ＰＵＳＣＨ）に対する特定のＵ−サブバンドは、アップリンクリソース割り振りのための関連するＤＣＩから示すことができる。アップリンクリソース割り振りに使用されるＤＣＩは、Ｕ−サブバンドインデックスの指示を含むことができる。Ｕ−サブバンドインデックスと、Ｕ−サブバンド内に割り振られたアップリンクリソースとを共に示すために、アップリンクリソース割り振りフィールドを定義することができる。
【０２７８】
他の例では、ＷＴＲＵは、特定のアップリンクチャネル（例えば、ＰＵＳＣＨ送信）に対して２つ以上のＵ−サブバンドを用いて構成することができ、また特定のアップリンクチャネルに対して構成されたＵ−サブバンドの１つは、関連するＤＣＩからの指示により、および／またはサブフレーム番号、無線フレーム番号、およびＷＴＲＵ−ＩＤの少なくとも１つに応じて、決定することができる。
【０２７９】
本明細書では、ＰＵＳＣＨ送信に使用されるＵ−サブバンドは、アップリンクデータサブバンド（ＵＤ−サブバンド）と呼ぶことができ、またＰＵＣＣＨおよびＰＲＡＣＨに使用されるＵ−サブバンドは、アップリンク制御サブバンド（ＵＣ−サブバンド）と呼ばれることがある。
【０２８０】
図１７は、ＷＴＲＵ特有のＵＤ−サブバンドを用いた共通のＵＣ−サブバンド構成の例の図である。具体的には、図１７は、Ｕ−サブバンド１７０２にリンクされたＤ−サブバンド１７０１を示している。図１７は、ＷＴＲＵ特有のＵＤ−サブバンドを用いた共通のＵＣ−サブバンド構成の例を示しており、ここで、ＷＴＲＵは、ＤＣ−サブバンドで構成され、またＤＣ−サブバンドは、ＵＤ−サブバンドとＵＣ−サブバンドのセットに関連付けることができる。ＵＤ−サブバンドは、ＤＣ−サブバンドの周波数位置に応じて決定することができるが、ＵＣ−サブバンドは、全てのＤＣ−サブバンドに対して事前に構成される、または共通であり得る。
【０２８１】
特に、図１７は、ＷＴＲＵ１に対するＤＣ−サブバンド（Ｄ−サブバンド１）は、Ｕ−サブバンド１、２、４および５にリンクされ、またＷＴＲＵ２に対するＤＣ−サブバンド（Ｄ−サブバンド２）は、Ｕ−サブバンド２〜５にリンクされる。Ｕ−サブバンド１〜３はＵＤ−サブバンドであり、Ｕ−サブバンド４はＰＵＣＣＨに使用されるＵＣ−サブバンドであり、またＵ−サブバンド５はＰＲＡＣＨに使用されるＵＣ−サブバンドである。
【０２８２】
他の例では、２つ以上のＵ−サブバンドを特定のアップリンクチャネル（例えば、ＰＵＣＣＨ）に対して構成することができ、Ｕ−サブバンドの１つを、以下の１つまたは複数のものに基づいて、サブフレームで決定することができる。Ｕ−サブバンドの１つを、関連するＤＣＩから示された指示に基づき、サブフレームで決定することができる。Ｕ−サブバンドの１つを、サブフレーム番号、無線フレーム番号、ＷＴＲＵ−ＩＤ、アップリンクチャネルに対して構成されたＵ−サブバンドの数、および関連するＤＣＩが受信されるＤ−サブバンドインデックスのうちの少なくとも１つの機能に基づいて、サブフレームで決定することができる。Ｕ−サブバンドの１つを、関連するＤＣＩが受信されたＮＢ−ＥＰＤＣＣＨ候補の開始ＥＣＣＥインデックスの機能に基づいてサブフレームで決定することができる。Ｕ−サブバンドの１つを、関連するＤＣＩが受信されたＮＢ−ＥＰＤＣＣＨ候補の機能に基づいてサブフレームで決定することができる。
【０２８３】
図１８は、特定のアップリンクチャネルに対する複数のＵＣ−サブバンド構成、および複数のＤＣ−サブバンドとの関連付けの例の図である。具体的には、図１８は、Ｕ−サブバンド１８０２にリンクされたＤ−サブバンド１８０１を示す。図１８は、特定のアップリンクチャネル（例えば、ＰＵＣＣＨ）に対する複数のＵＣ−サブバンド構成、および特定のアップリンクチャネルに対する複数のＵＣ−サブバンドと複数のＤＣ−サブバンドとの間のリンクの例を示している。
【０２８４】
特に、図１８は、ＷＴＲＵ１に対するＤＣ−サブバンド（Ｄ−サブバンド１）はＵ−サブバンド１、３および４にリンクされ、またＷＴＲＵ２に対するＤＣ−サブバンド（Ｄ−サブバンド２）はＵ−サブバンド２、３および５にリンクされる。Ｕ−サブバンド１および２はＵＤ−サブバンドであり、Ｕ−サブバンド３はＰＲＡＣＨに使用されるＵＣ−サブバンドであり、またＵ−サブバンド４および５はＰＵＣＣＨに使用されるＵＣ−サブバンドである。
【０２８５】
例では、サブフレーム内およびクロスサブフレーム関連付けを用いたＡＣＫ／ＮＡＣＫリソース割り振りを使用することができる。さらに、例では、サブフレーム内関連付け、およびクロスサブフレーム関連付けを、低減されたＢＷのＷＴＲＵに対して使用することができるが、ＷＴＲＵは、各サブフレーム関連付けの場合において、どのＡＣＫ／ＮＡＣＫリソースを使用すべきかを知らない可能性がある。
【０２８６】
さらなる例では、ＷＴＲＵは、ＰＤＳＣＨリソース割り振りに対するＤＣＩを第１のサブフレームで受信することができ、ＷＴＲＵは、割り振られたＰＤＳＣＨを第２のサブフレームで受信することができ、またＷＴＲＵは、第３のサブフレームで、割り振られたアップリンクリソースで対応するＡＣＫ／ＮＡＣＫを送信することができ、この場合、第３のサブフレームは、サブフレーム内関連付けが使用される場合は第１のサブフレームに応じて、またクロスサブフレーム関連付けが使用される場合は第２のサブフレームに応じて決定することができる。例えば、ＷＴＲＵは、第１のサブフレームでＤＣＩを受信することができ、またＷＴＲＵは、第２のサブフレームで関連するＰＤＳＣＨを受信することができる。さらに、ＷＴＲＵは、第３のサブフレームにおいて、割り振られたアップリンクリソースで対応するＡＣＫ／ＮＡＣＫを送信することができる。
【０２８７】
例では、第３のサブフレームは、サブフレーム関連付けタイプに基づいて決定することができる。例えば、第３のサブフレームは、サブフレーム内関連付けが使用される場合、第１のサブフレームに基づいて決定することができる。他方で、第３のフレームは、クロスサブフレーム関連付けが使用される場合、第２のサブフレームに基づいて決定することができる。この場合、以下の１つまたは複数のものを適用することができる。
【０２８８】
ＷＴＲＵが、第１のサブフレームｎにおいてＤＣＩを受信し、ＷＴＲＵが、サブフレーム内関連付けに対して構成されている場合、ＷＴＲＵは、対応するＡＣＫ／ＮＡＣＫを第３のサブフレームｎ＋ｋで送信することができる。オフセットｋは、二重通信方式（例えば、ＦＤＤまたはＴＤＤ）に基づいて決定することができる。オフセットｋは、ＴＤＤにおけるＵＬ／ＤＬサブフレーム構成、および／またはサブフレーム番号に従って決定することができる。オフセットｋは、動作モード（例えば、通常モード、およびカバレッジ拡張モードなど）、および／またはカバレッジ拡張レベルに従って決定することができる。
【０２８９】
ＷＴＲＵが、第１のサブフレームｎでＤＣＩを、また第２のサブフレームｎ＋αで関連するＰＤＳＣＨを受信した場合、ＷＴＲＵは、対応するＡＣＫ／ＮＡＣＫを、第３のサブフレームｎ＋α＋ｋで送信することができる。この場合、同じオフセットｋを、サブフレーム内関連付けで使用することができるが、第２のサブフレームは、参照サブフレームとして使用することができる。オフセットｋは、二重通信方式（例えば、ＦＤＤまたはＴＤＤ）に基づいて決定することができる。オフセットｋは、ＴＤＤにおけるＵＬ／ＤＬサブフレーム構成および／またはサブフレーム番号に従って決定することができる。オフセットｋは、動作モード（例えば、通常モードおよびカバレッジ拡張モード）、および／またはカバレッジ拡張レベルに従って決定することができる。
【０２９０】
他の例では、第３のサブフレームは、関連するＤＣＩから指示され得る。例えば、ＷＴＲＵが、第１のサブフレームｎでＤＣＩを、また第２のサブフレームｎ＋αで関連するＰＤＳＣＨを受信した場合、ＷＴＲＵは、対応するＡＣＫ／ＮＡＣＫを第３のサブフレームｎ＋α＋ｋ、またはｎ＋ｋで送信することができ、ここで、オフセットｋは、関連するＤＣＩから示すことができる。
【０２９１】
無線通信では、ＣＳＩは、通信リンクの既知のチャネル特性を指す。この情報は、信号が、送信機から受信機にどのように伝播し、かつ例えば、距離と共に散乱、フェージング、および電力減衰の組み合わされた作用を示すかを記述することができる。ＣＳＩは、送信を現在のチャネル状態に適合させることを可能にするが、それは、マルチアンテナシステムで高いデータレートの信頼性のある通信を達成するのに非常に重要である。ＣＳＩは、受信機で推定されるべきであり、また通常、量子化されて送信機にフィードバックされるべきである（ただし、ＴＤＤシステムでは、逆方向リンク推定が可能である）。従って、送信機および受信機は、異なるＣＳＩを有する可能性がある。送信機におけるＣＳＩ、および受信機におけるＣＳＩは、それぞれ、送信機におけるチャネル情報（ＣＳＩＴ）、および受信機におけるチャネル情報（ＣＳＩＲ）と呼ばれることもある。
【０２９２】
一般に、２つのレベルのＣＳＩがある、すなわち、瞬間的ＣＳＩおよび統計的ＣＳＩである。瞬間的ＣＳＩ（または短期間ＣＳＩ）は、現在のチャネル状態が知られていることを意味し、それは、デジタルフィルタのインパルス応答が知られていると見ることができる。これは送信信号をインパルス応答に適合させる機会を与え、それにより、受信信号を、空間多重化に対して最適化する、または低いビットエラーレートを達成する。統計的なＣＳＩ（または長期間ＣＳＩ）は、チャネルの統計的な特徴付けが既知であることを意味する。この記述は、例えば、フェージング分布のタイプ、平均チャネル利得、見通し線成分、および空間相関を含むことができる。瞬間的ＣＳＩと共に、統計的ＣＳＩは、送信の最適化に使用することができる。
【０２９３】
ＣＳＩの取得は、実際には、チャネル状態がいかに速く変化しているかにより制限される。単一の情報シンボルの送信下で、チャネル状態が急速に変化する高速フェージング系では、統計的なＣＳＩだけが妥当なものであり得る。他方で、低速のフェージング系では、瞬間的ＣＳＩが妥当な正確さで推定され、古くなり使えなくなる前の時点で、送信を適合させるために使用され得る。実際的なシステムでは、利用可能なＣＳＩは、これらの２つのレベルの間に存在することができ、何らかの推定／量子化エラーを有する瞬間的ＣＳＩは、統計的情報と組み合わされる。
【０２９４】
ＣＳＩフィードバックに対して、複数のサブバンドを決定する、または構成することができる。特に、２つ以上のＤ−サブバンド（例えば、２または４）を、ＣＳＩフィードバックに対するサブバンドとして決定する、または構成することができ、それは、サービス品質（ＱｏＳ）クラス識別子（ＣＱＩ）、プリコーディングマトリクスインジケータ（ＰＭＩ）、およびランクインジケータ（ＲＩ）のうちの少なくとも１つを含むことができる。本明細書では、ＣＳＩフィードバックに対して構成された、または決定されたＤ−サブバンドは、ＣＳＩ−サブバンドと呼ばれることがある。ＷＴＲＵは、ＣＳＩ−サブバンドで、ＣＳＩフィードバック要求をモニタする、かつ／または受信することができる。ＣＳＩ−サブバンド（すなわち、Ｄ−サブバンド）がネットワーク（例えば、ｅＮｏｄｅＢ）により使用されて、ＷＴＲＵから、ＣＳＩ報告（すなわち、フィードバック）を示し、かつ／または要求する信号を、ダウンリンクで送信することができる。ＣＳＩフィードバック指示および／または要求を受信したことに応じて、ＷＴＲＵは、要求されたＣＳＩ測定を実施し、かつＣＳＩフィードバックを、ＣＳＩ−サブバンドに対応するＤＬサブバンドインデックスと共にネットワーク（例えば、ｅＮｏｄｅＢ）に送信することができる。ＣＳＩフィードバック報告を送信するための関連するＵ−サブバンドは、報告のために、ＷＴＲＵ（またはネットワーク）により識別され、かつ／または決定することができ、またＷＴＲＵは、識別および／または決定された、関連するＵ−サブバンドを用いてＣＳＩフィードバック報告を送信することができる。
【０２９５】
ダウンリンク／アップリンクサブバンドの関連付けに基づくＰＵＳＣＨおよびＣＳＩ報告に対する暗黙的なＵ−サブバンド指示がＷＴＲＵにより使用されて、ＰＵＳＣＨおよび／またはＣＳＩ報告に使用するためのＵ−サブバンドを決定することができる。例えば、ＵＳＳに対するＤ−サブバンド位置は、ＷＴＲＵに、ＰＵＳＣＨおよび／またはＣＳＩ報告に使用するための関連するＵ−サブバンドを示すことができる。
【０２９６】
ＣＳＩ−サブバンドの数は、ＷＴＲＵに対して構成されたＤ−サブバンドの数に等しいか、少なくすることができる。例えば、Ｎ個のＤ−サブバンドをＷＴＲＵに対して構成することができ、またＮ個のＤ−サブバンドのサブセットをＣＳＩ−サブバンド、例えばＭ個のＣＳＩ−サブバンドとして構成する、または決定することができ、ここで、Ｍは、Ｎに等しいか少ない正の整数とすることができる。
【０２９７】
ＣＳＩ−サブバンドに対するＤ−サブバンドのサブセットは、以下の少なくとも１つに基づいて決定することができる。上位レイヤのシグナリングが、ＣＳＩフィードバックに対するＤ−サブバンドのサブセットを示すことができる。例えば、Ｄ−サブバンドのサブセットを示すために、ビットマップを使用することができる。別の例では、構成された全てのＤ−サブバンドを、ＣＳＩフィードバック用のＣＳＩ−サブバンドとして指定することができる。別の例では、全てのＤ−サブバンドを、特定のＤ−サブバンド（すなわち、ＣＳＩ−サブバンド）を除いて、非ＣＳＩ−サブバンドとして構成することができ、その特定のＤ−サブバンド（すなわち、ＣＳＩ−サブバンド）は、以下の条件の少なくとも１つに基づいて決定され、かつ構成され得る。ＷＴＲＵがＤＬ制御チャネル（例えば、ＥＰＤＣＣＨ）をそこでモニタし、かつ／または受信できるＤ−サブバンドは、ＣＳＩ−サブバンドと見なすことができる。ＤＬ制御チャネルは、ＮＢ−ＥＰＤＣＣＨ  ＵＳＳおよびＮＢ−ＥＰＤＣＣＨ  ＣＳＳの少なくとも一方とすることができる。ＤＬ制御チャネルはまた、ＭＰＤＣＣＨとすることもできる。別の例では、ＰＳＳ／ＳＳＳおよび／またはＰＢＣＨを含むＤ−サブバンドは、ＣＳＩ−サブバンドとして決定することができる。さらなる例では、セル共通のＤ−サブバンドとして構成された、または決定されたＤ−サブバンドは、ＣＳＩ−サブバンドとして決定することができる。例えば、ページングサブバンドとして構成され、または決定され得るＤ−サブバンドは、セル共通のＤ−サブバンドと見なされ、かつＣＳＩ−サブバンドとして決定することができる。
【０２９８】
別の例では、ＤＣＩは、ＣＳＩ−サブバンドを示すことができ、また非ＣＳＩ−サブバンドは、ＷＴＲＵにより明示的に、またはＤＣＩにより暗黙的に決定することができる。ＤＣＩは、ＮＢ−ＥＰＤＣＣＨ  ＵＳＳおよびＮＢ−ＥＰＤＣＣＨ  ＣＳＳの少なくとも一方で運ぶことができる。さらにＤＣＩのＣＲＣは、特定のＲＮＴＩでマスクされ得る。例えば、ＣＳＩ−ＲＮＴＩは、ＣＳＩ−サブバンドを示すように構成することができ、また非ＣＳＩ−サブバンドは、そこからＷＴＲＵにより明示的に、または暗黙的に決定することができる。
【０２９９】
ＣＳＩフィードバックは、関連するＣＳＩ−サブバンド（すなわち、ＣＳＩフィードバックを要求するＤ−サブバンド）に対して、ＰＵＣＣＨ上で、ＷＴＲＵによりネットワーク（例えば、ｅＮｏｄｅＢ）に報告する（送信する）ことができる。例では、ＰＵＣＣＨは、ＷＴＲＵにより使用されて、特定のＣＳＩ−サブバンドに対するＣＳＩを報告することができる。例えば、ＰＵＣＣＨフォーマット２／２ａ／２ｂを、特定のＣＳＩ−サブバンドに対応するＣＳＩフィードバックに使用することができる。この場合、以下の１つまたは複数のものを適用することができる。
【０３００】
ＣＳＩ報告のための関連するＰＵＣＣＨリソースを含むＵ−サブバンドは、ＣＳＩ−サブバンドインデックス、またはＤ−サブバンドインデックスに応じて事前に定義することができる。例として、Ｕ−サブバンドが、ＣＳＩ−サブバンド−１に対して構成することができ、また別のＵ−サブバンドが、ＣＳＩ−サブバンド−２に対して構成することができる。従って、ＷＴＲＵは、対応するＣＳＩ−サブバンドインデックスにリンクしたＵ−サブバンドでＣＳＩを報告することができる。
【０３０１】
図１９は、ＣＳＩサブバンド（例えば、１つまたは複数のＤ−サブバンド）とＵ−サブバンドのリンク構成の例の図である。具体的には、図１９は、Ｕ−サブバンド１９０２にリンクしたＤ−サブバンド１９０１を示す。ＷＴＲＵに対する単一のＵ−サブバンド（例えば、Ｕ−サブバンド３、すなわち、ＵＣ−サブバンド）は、ＰＵＣＣＨ送信用に構成することができ、またＰＵＣＣＨ上のＣＳＩ報告は、図１９で示されるように、ＷＴＲＵがＣＳＩを報告できるＣＳＩ−サブバンドインデックスとは無関係に、Ｕ−サブバンドで送信することができる。
【０３０２】
特に図１９は、ＤＣ−サブバンド（Ｄ−サブバンド１）がＵ−サブバンド１、２、４および５にリンクされ、第１のＣＳＩ−サブバンド−１（Ｄ−サブバンド２）がＵ−サブバンド３にリンクされ、また第２のＣＳＩ−サブバンド−２（Ｄ−サブバンド３）がＵ−サブバンド３にリンクされることを示している。Ｕ−サブバンド１、２、４、および５は、ＵＤ−サブバンドであり、またＵ−サブバンド３は、ＰＵＣＣＨに対して使用されるＵＣ−サブバンドである。
【０３０３】
ＰＵＣＣＨ上のＣＳＩ報告に対するＵ−サブバンドは、ＣＳＩ報告（すなわち、ＣＳＩフィードバック）をトリガできるＤＣＩを用いて、ＷＴＲＵに示すことができる。例えば、サブフレームｎで、ｅＮｏｄｅＢは、非周期的ＣＳＩ報告をトリガすることができ、それは、ＤＣＩによりＷＴＲＵに示すことができる。ＣＳＩ報告は、ＷＴＲＵからサブフレームｎ＋ｋで送信することができ、ここで、ＤＣＩは、ＰＵＣＣＨ上のＣＳＩ報告に使用されるＵ−サブバンドを参照するＵ−サブバンドインデックスに対する指示を含むことができる。明示的なビットフィールドをトリガ信号（例えば、ＤＣＩ）で使用して、Ｕ−サブバンドインデックスを示すことができる。Ｕ−サブバンドインデックスは、ＮＢ−ＥＰＤＣＣＨ候補、またはＷＴＲＵがＤＣＩを受信した探索空間に基づいて決定することができる。
【０３０４】
例えば、ＮＢ−ＥＰＤＣＣＨ候補は、ＣＳＩ報告に使用されるいくつかのＵ−サブバンド候補へと区分することができ、またＵ−サブバンドインデックスは、ＷＴＲＵがＤＣＩを受信したＮＢ−ＥＰＤＣＣＨ候補に基づいて決定することができる。ＲＮＴＩを、各Ｕ−サブバンド候補に対して予約することができる。例えば、第１のＲＮＴＩを使用して、ＣＳＩ報告に使用されるＵ−サブバンドに対応する第１のＵ−サブバンドインデックスを示すことができ、また第２のＲＮＴＩを使用して、同じまたは異なるＷＴＲＵによる別のＣＳＩ報告に使用される別のＵ−サブバンドに対応する第２のＵ−サブバンドインデックスを示すことができる。
【０３０５】
別の例では、２つ以上のＣＳＩ−サブバンドを、複数のＰＵＣＣＨリソースを含むことのできるＵ−サブバンドに関連付けることができ、またＣＳＩ報告に使用されるＵ−サブバンド内のＰＵＣＣＨリソースインデックスは、ＣＳＩ−サブバンドインデックスに応じて決定することができる。この場合、以下の１つまたは複数のものを適用することができる。Ｕ−サブバンドにおける複数のＰＵＣＣＨリソース内で、ＰＵＣＣＨリソースのグループを、ＣＳＩ報告が意図されているＣＳＩ−サブバンドインデックスに基づいて決定することができ、また以下の少なくとも１つを使用して、ＰＵＣＣＨリソースのグループ内のＰＵＣＣＨリソースを決定することができる、すなわち、ＣＳＩ報告をトリガできる（Ｅ）ＰＤＣＣＨ候補に対する開始（Ｅ）ＣＣＥインデックス、上位レイヤのシグナリングにより構成されたインデックス、ＷＴＲＵ−ＩＤ（例えば、Ｃ−ＲＮＴＩ、ＩＭＳＩ）、ＣＳＩ報告タイプ（例えば、ＣＱＩ報告、ＰＭＩ報告、および／またはＲＩ報告）、および（Ｅ）ＰＤＣＣＨ候補が反復して送信される場合、（Ｅ）ＰＤＣＣＨ候補の開始サブフレームである。上位レイヤのシグナリングは、各ＣＳＩ−サブバンドに対して、対応するＰＵＣＣＨリソースを示すことができる。例えば、Ｍ個のＣＳＩ−サブバンドが構成された場合、上位レイヤのシグナリングは、ＣＳＩ報告のために対応するＭ個のＰＵＣＣＨリソースを構成することができ、ここで、Ｍ個のＰＵＣＣＨリソースは、同じ時間／周波数リソースにおける異なるＰＵＣＣＨシーケンスとすることができる、または異なる時間位置に位置することができる。
【０３０６】
別の例では、ＰＵＣＣＨ上のＣＳＩフィードバックは、周期的に報告するように構成することができる。例えば、ＷＴＲＵは、Ｋ個のサブフレームごとに、特定のＣＳＩ−サブバンドに対するＣＳＩを報告するように構成することができ、ここで、Ｋ個のサブフレームごとに、同じ、または異なるＣＳＩタイプを報告することができる。この場合、以下の１つまたは複数のものを適用することができる、すなわち、単一のＵ−サブバンドを使用して、１つまたは複数のＣＳＩ−サブバンドに対するＣＳＩを報告することができ、かつ／または２つ以上のＵ−サブバンドを使用して、１つまたは複数のＣＳＩ−サブバンドに対するＣＳＩを報告することができる。
【０３０７】
単一のＵ−サブバンドを使用して、１つまたは複数のＣＳＩ−サブバンドに対するＣＳＩを報告できる例では、ＰＵＣＣＨリソースは、ＷＴＲＵ特有の方法で、上位レイヤのシグナリングにより構成することができる。さらに、単一のＣＳＩ−サブバンドに対して、一度に１つのＣＳＩを報告することができる。例えば、Ｍ個のＣＳＩ−サブバンドがＣＳＩフィードバックに対して構成される場合、ＷＴＲＵは、第１のＣＳＩ−サブバンドに対する第１のＣＳＩを第１のサブフレームで報告することができ、またＷＴＲＵは第２のＣＳＩ−サブバンドに対する第２のＣＳＩを第２のサブフレームで報告することができ、ここで、第１および第２のサブフレームは、Ｋ個のサブフレームサイクル内に存在することができる。さらに、全てのＣＳＩ−サブバンドに対する１つのＣＳＩを、各Ｋ個のサブフレームサイクルにおいて報告することができる。この場合、最良のＣＳＩ−サブバンドインデックス（すなわち、ＤＬサブバンドインデックス）およびその関連するＣＳＩ値（例えば、ＣＱＩ、ＰＭＩ、および／またはＲＩ）を、各Ｋ個のサブフレームサイクルで報告することができる。例えば、ＷＴＲＵは、最高のスループット性能が得られる最高のＣＱＩ値を有することのできるＣＳＩ−サブバンドインデックス、およびその関連するＣＱＩ値を報告することができる。従って、ＣＳＩ−サブバンドインデックスの中で、（すなわち、ＣＳＩサブバンドの中で）最良のＣＳＩ−サブバンドインデックスを、ＣＳＩサブバンドに対するＣＳＩ値を比較することに基づいて決定することができ、全てのＣＳＩ値の中で最良のＣＳＩ値（例えば、ＣＱＩ、ＰＭＩ、および／またはＲＩに基づく）を、その比較結果に基づいて決定することができ、また最良のＣＳＩ−サブバンドインデックス、および関連する最良のＣＳＩ値が、各Ｋ個のサブフレームサイクルにおけるＣＳＩフィードバック報告において報告され得る。すなわち、ＣＳＩの中で、そのＣＳＩが報告する最良のものであるというＷＴＡＲＵによる決定が、各Ｋ個のサブフレームサイクルで行われる。最良のＣＳＩ−サブバンド、好ましいＣＳＩ−サブバンド、選択されたＣＳＩ−サブバンド、ＷＴＲＵで決定されたＣＳＩサブバンド、および報告されるＣＳＩサブバンドは、本明細書で、相互に交換可能に使用することができる。
【０３０８】
２つ以上のＵ−サブバンドが１つまたは複数のＣＳＩ−サブバンドに対するＣＳＩを報告するのに使用できる別の例では、ＰＵＣＣＨ上のＣＳＩ報告に対する関連するＵ−サブバンドを、各ＣＳＩ−サブバンドに対して構成する、または決定することができる。
【０３０９】
ＣＳＩフィードバックは、ＷＴＲＵによりネットワーク（例えば、ｅＮｏｄｅＢ）に対して、ＣＳＩ−サブバンドに関してＰＵＳＣＨ上で報告することができる。例では、ＷＴＲＵは、サブフレームｎで受信された関連するＤＣＩに基づき、ＰＵＳＣＨ送信に対してスケジュールすることができ、またＷＴＲＵは、サブフレームｎ＋ｋで、ＰＵＳＣＨを送信することができ、ここで、ＰＵＳＣＨは、１つまたは複数のＣＳＩ−サブバンドに対するＣＳＩを含むことができる。この場合、以下の１つまたは複数のものを適用することができる、すなわち、ＰＵＳＣＨに関連付けられたＤＣＩは、ＣＳＩフィードバックに対する１つまたは複数のＣＳＩ−サブバンドを示すことができる、かつ／または２つ以上のＣＳＩ−サブバンドグループを上位レイヤのシグナリングにより構成することができ、また構成されたＣＳＩ−サブバンドグループの１つを、ＰＵＳＣＨスケジューリングに使用されるＤＣＩにより示すことができる。
【０３１０】
ＰＵＳＣＨに関連付けられたＤＣＩが、ＣＳＩフィードバックに対する１つまたは複数のＣＳＩ−サブバンドを示すことのできる例では、ＷＴＲＵは、ＣＳＩを、スケジュールされたＰＵＳＣＨリソース上で報告することができ、ここで、ＣＳＩは、ＤＣＩにより示された１つまたは複数のＣＳＩ−サブバンドを対象としている、またはそれに対して測定され得る。さらに、ＤＣＩにおける単一のビットを使用して、ＣＳＩ報告のためのＣＳＩ−サブバンドを示すことができ、ここで、単一ビットは、構成された全てのＣＳＩ−サブバンドに対するＣＳＩ報告を、スケジュールされたＰＵＳＣＨリソースで示すことができ、また構成された全てのＣＳＩ−サブバンドは、ＷＴＲＵに対して構成されたＣＳＩ−サブバンドとすることができ、かつセルで利用可能なＣＳＩ−サブバンドに等しいか少なくすることができる。さらに、全ての構成されたＣＳＩ−サブバンドに対するＣＳＩ報告は、ＷＴＲＵがＣＳＩを測定するように構成され得る全てのＣＳＩ−サブバンドに対する集約されたＣＳＩに対応することができる。また、全ての構成されたＣＳＩ−サブバンドに対するＣＳＩ報告は、最良のＮ個のＣＳＩ−サブバンドインデックス、および決定された最良のＮ個のＣＳＩ−サブバンドに対する関連するＣＳＩに対応することができる。さらに、ＣＳＩ報告に対する１つまたは複数のＣＳＩ−サブバンドを示すためのビットの数は、ＤＬシステム帯域幅、および構成されたＣＳＩ−サブバンドの数の少なくとも一方に応じて決定することができる。
【０３１１】
２つ以上のＣＳＩ−サブバンドグループを、上位レイヤのシグナリングにより構成することができ、また構成されたＣＳＩ−サブバンドグループの１つがＰＵＳＣＨスケジューリングで使用されるようにＤＣＩにより示すことができる例では、各ＣＳＩ−サブバンドグループは、重ならない１つまたは複数のＣＳＩ−サブバンドを含むことができる。あるいは、各ＣＳＩ−サブバンドグループは、完全に、または部分的に重なった１つまたは複数のＣＳＩ−サブバンドを含むことができる。
【０３１２】
例では、ＣＳＩ報告は、衝突処理を含むことができる。ＷＴＲＵは、第１のＵ−サブバンドで第１のアップリンク信号を送信するようにスケジュールすることができ、またＷＴＲＵは、同じサブフレームにおいて、第２のＵ−サブバンドで第２のアップリンク信号を送信するようにスケジュールすることができる。従って、第１のアップリンク信号は、構成された２つ以上のＣＳＩ−サブバンドの第１のＣＳＩ−サブバンドに対するＣＳＩ報告とすることができ、また第２のアップリンク信号は、構成された２つ以上のＣＳＩ−サブバンドの第２のＣＳＩ−サブバンドに対するＣＳＩ報告とすることができる。この場合、以下の１つまたは複数のものを適用することができる。事前定義の条件に基づき、第１のＵ−サブバンドおよび第２のＵ−サブバンドが異なる周波数位置（例えば、重ならない、または部分的に重なっている、および／または異なるＵ−サブバンドインデックスを有するなど）にある場合、アップリンク信号の１つを中止することができる。事前定義の条件は、ＣＳＩ−サブバンドインデックス、ＣＳＩ報告タイプ（例えば、ＣＱＩ、ＰＭＩ、ＲＩ）、前の最後のＣＳＩ報告時間、ＣＳＩ報告サイクルに基づくことのできる優先順位付けルールとすることができる。例では、第１のＣＳＩ−サブバンドは、第２のＣＳＩ−サブバンドよりも高い優先順位とすることができる。別の例では、ＣＳＩタイプ１（例えば、広帯域ＣＱＩ）は、ＣＳＩタイプ２（例えば、サブバンドＣＱＩ）よりも高い優先順位とすることができる。さらなる例では、より長いＣＳＩ報告サイクルを有する可能性のあるＣＳＩ−サブバンドは、短い報告サイクルを有する可能性のあるＣＳＩ−サブバンドよりも高い優先順位とすることができる。第１のＵ−サブバンドおよび第２のＵ−サブバンドが異なる周波数位置にある場合、２つ以上のＣＳＩ−サブバンドに対する組み合わされたＣＳＩを、特定のＵ−サブバンドで送信することができる。
【０３１３】
別の例では、第１のアップリンク信号は、１つまたは複数のＣＳＩ−サブバンドに対するＣＳＩ報告とすることができ、また第２のアップリンク信号は、アップリンクデータ、ＨＡＲＱ−ＡＣＫ、スケジューリング要求（ＳＲ）、ＰＲＡＣＨプリアンブル、およびＳＲＳのうちの少なくとも１つを運ぶことのできる別のアップリンク信号とすることができる。この場合、以下の１つまたは複数のものを適用することができる。事前定義の条件に基づき、第１のＵ−サブバンドおよび第２のＵ−サブバンドが異なる周波数位置（例えば、重ならない、または部分的に重なる、異なるＵ−サブバンドインデックス）にある場合、アップリンク信号の１つを中止することができる。事前定義の条件は、アップリンク信号タイプに基づくことのできる優先順位付けルールとすることができる。例では、第２のアップリンク信号が、アップリンクデータ、ＨＡＲＱ−ＡＣＫ、ＳＲ、またはＰＲＡＣＨプリアンブルのうちの１つである場合、ＣＳＩ報告を中止することができる。別の例では、第２のアップリンク信号がＳＲＳである場合、ＣＳＩ報告は送信することができる。第１のＵ−サブバンドおよび第２のＵ−サブバンドが、同じ周波数位置（例えば、完全に重なっている、および／または同じＵ−サブバンドインデックスを有するなど）にある場合、第１のアップリンク信号と第２のアップリンク信号は共に送信することができる。
【０３１４】
例では、ＷＴＲＵは、複数のサブバンドを用いてＳＲＳを送信することができる。例えば、ＷＴＲＵは、サブフレームにおける特定のＵ−サブバンドで、ＳＲＳを送信するように、ネットワーク（例えば、ｅＮｏｄｅＢ）によりトリガされ、または構成され得る。ＷＴＲＵが、ＳＲＳを送信するようにトリガされ、または構成され得るサブフレームは、ＷＴＲＵ特有のＳＲＳサブフレームと呼ばれることがある。例では、特定のＵ−サブバンドを、ＳＲＳ送信用に構成された単一のＵ−サブバンドとすることができる。本明細書で開示されるように、ＳＲＳ送信用に構成されたＵ−サブバンドは、ＳＲＳ−サブバンドと呼ばれることがある。特定のＵ−サブバンドは、ＷＴＲＵに対して構成されたＵ−サブバンドの１つとすることができる。
【０３１５】
ＳＲＳサブバンド内で、ＷＴＲＵは、ＳＲＳサブバンド内の全てのＰＲＢでＳＲＳを送信することができる。あるいは、ＰＲＢのサブセットが、ＳＲＳ−サブバンド内で、ＳＲＳ送信用に決定され、または構成され得る。
【０３１６】
例では、ＳＲＳ−サブバンドを、ＳＲＳ送信用に決定することができる。２つ以上のＳＲＳ−サブバンドを構成することができ、またＷＴＲＵは、ＷＴＲＵがＳＲＳを送信するようにトリガされ、または構成され得るサブフレームにおいて、ＷＴＲＵ用に構成され、または決定されたＳＲＳ−サブバンドの１つでＳＲＳを送信することができる。本明細書で開示されるように、ＷＴＲＵがＳＲＳを送信するようにトリガされ、または構成され得るサブフレームは、ＷＴＲＵ特有のＳＲＳサブフレームと呼ばれることがある。
【０３１７】
例では、ＷＴＲＵ特有のＳＲＳサブフレームにおける２つ以上のＳＲＳ−サブバンド内のＳＲＳ−サブバンドは、以下の少なくとも１つに応じて、ＷＴＲＵにより決定することができる。ＳＲＳ−サブバンドは、ＷＴＲＵが、ＳＲＳ送信をトリガできるＤＣＩを受信できるＤ−サブバンドインデックスに応じて、決定することができる。例では、２つ以上のＤ−サブバンドを、２つ以上のＳＲＳ−サブバンドに関連付けることができ、また各ＳＲＳ−サブバンドは、特定のＤ−サブバンドインデックスにリンクされ得る。従って、ＷＴＲＵが、ＳＲＳ送信をトリガできるＤＣＩを受信した場合、ＳＲＳ送信のためのＳＲＳ−サブバンドは、Ｄ−サブバンドインデックスに応じて決定することができる。Ｄ−サブバンドとＳＲＳ−サブバンドの間のマッピングルールを事前に定義することができる。さらに、ＳＲＳ−サブバンドは、ＳＲＳ送信をトリガするために使用される関連するＤＣＩにより提供されるインデックスに応じて決定することができる。例えば、ＷＴＲＵは、ＳＲＳ−サブバンドでＳＲＳを送信するようにＤＣＩによって示され、かつ構成することができる。例えば、関連するＤＣＩは、ＳＲＳを送信するために使用される、ＳＲＳ−サブバンドを識別するＳＲＳ−サブバンドインデックスに対する明示的なビットフィールドを含むことができる。さらに、ＳＲＳ−サブバンドは、ＳＦＮ番号、および／またはＷＴＲＵ特有のＳＲＳサブフレームのサブフレーム番号に応じてＷＴＲＵにより決定することができる。また、ＳＲＳ−サブバンドは、ＷＴＲＵ−ＩＤ（例えばＣ−ＲＮＴＩまたはＩＭＳＩ）に応じてＷＴＲＵにより決定することができる。さらに、ＳＲＳ−サブバンドは、ＷＴＲＵに対して構成されたＳＲＳ−サブバンドの数に応じてＷＴＲＵにより決定することができる。さらにＳＲＳ−サブバンドは、ＷＴＲＵがＳＲＳトリガを行うために関連するＤＣＩを受信できるＥＰＤＣＣＨ候補に応じて、ＷＴＲＵにより決定することができる。例えば、ＥＰＤＣＣＨ候補の第１のサブセットは、第１のＳＲＳ−サブバンドに関連付けることができ、またＥＰＤＣＣＨ候補の第２のサブセットは、第２のＳＲＳサブバンドに関連付けることができ、以下同様である。
【０３１８】
他の例では、ＷＴＲＵ特有のＳＲＳサブフレームにおける２つ以上のＳＲＳ−サブバンド内のＳＲＳ−サブバンドは、事前定義のサブバンドホッピングパターンに基づいて、ＷＴＲＵにより決定することができる。サブバンドホッピングパターンは、ＷＴＲＵ特有のものとすることができ、以下の少なくとも１つに基づいて決定することができる、すなわち、構成されたＳＲＳ−サブバンドの数、ＳＦＮ番号および／またはサブフレーム番号、ＷＴＲＵ−ＩＤ（例えばＣ−ＲＮＴＩまたはＩＭＳＩ）、並びに／または開始ＳＲＳ−サブバンドインデックスの上位レイヤ構成である。
【０３１９】
ＷＴＲＵは、ＣＥ動作モードでＳＲＳを送信することができる。ＣＥ動作モードにおけるＷＴＲＵは、ＳＲＳ−サブバンドでＳＲＳを送信するように構成され、またはトリガされ得る。
【０３２０】
ＳＲＳは、ＷＴＲＵ特有のＳＲＳサブフレーム内でＮSRS個のＳＣ−ＦＤＭＡシンボルにわたり反復して送信することができる。例では、連続するＮSRS個のＳＣ−ＦＤＭＡシンボルを、サブフレームでＳＲＳ送信のために使用することができる。この場合、以下の１つまたは複数のものを適用することができる。開始および終了ＳＣ−ＦＤＭＡシンボルは、カバレッジ拡張レベル、セル特有のＳＲＳサブフレーム、およびＳＲＳ−サブバンドインデックスのうちの少なくとも１つに基づいて決定することができる。ＮSRSは、カバレッジ拡張レベル、ＳＲＳ−サブバンドインデックス、およびＳＲＳ構成に関係する上位レイヤパラメータのうちの少なくとも１つに基づいて決定することができる。ＮSRSは、上位レイヤのシグナリングにより構成される、またはＳＲＳ送信をトリガするために使用され得る関連するＤＣＩから示すことができる。別の例では、全てのＳＣ−ＦＤＭＡシンボルを、サブフレームにおけるＳＲＳ送信に使用することができる。サブフレームがセル特有のＳＲＳサブフレームとして構成される場合、最後のＳＣ−ＦＤＭＡシンボルは、ＳＲＳ送信に対してパンクチャすることができる。
【０３２１】
２つ以上のＳＲＳ−サブバンドを、カバレッジ拡張動作モードに対するＳＲＳ送信用に構成することができ、また各ＳＲＳ−サブバンドを、カバレッジ拡張レベルの１つまたは複数のものに関連付けることができる。セルでサポートされるカバレッジ拡張レベルの数と同じ数のＳＲＳ−サブバンドを構成することができる。例えば、３つのＣＥレベルがセルでサポートされる場合、３つのＳＲＳ−サブバンドをＣＥ動作モードに対して構成することができ、また各ＳＲＳ−サブバンドは、ＣＥレベルに関連付けることができる。さらにＣＥレベルのサブセットは、ＳＲＳ送信に対してサポートされ得るだけである。
【０３２２】
上記では、特徴および要素が、特定の組合せで述べられているが、当業者であれば、各特徴または要素は、単独で、または他の特徴および要素との任意の組合せで使用できることが理解されよう。さらに、本明細書で述べた方法は、コンピュータまたはプロセッサにより実行するためにコンピュータ可読媒体に組み込まれたコンピュータプログラム、ソフトウェアまたはファームウェアで実施することができる。コンピュータ可読媒体の例は、電子信号（有線もしくは無線接続を介して送信される）、およびコンピュータ可読記憶媒体を含む。コンピュータ可読記憶媒体の例は、これだけに限らないが、ＲＯＭ、ＲＡＭ、レジスタ、キャッシュメモリ、半導体メモリデバイス、内部のハードディスクおよびリムーバブルディスクなどの磁気媒体、光磁気媒体、並びにＣＤ−ＲＯＭディスクおよびデジタル多用途ディスク（ＤＶＤ）などの光媒体を含む。ソフトウェアに関連するプロセッサは、ＷＴＲＵ、ＵＥ、端末、基地局、ＲＮＣまたは任意のホストコンピュータで使用する無線周波数送受信機を実施するために使用することができる。
【図１Ａ】
2018512013.tif 000036
【図１Ｂ】
2018512013.tif 000037
【図１Ｃ】
2018512013.tif 000038
【図２】
2018512013.tif 000039
【図３】
2018512013.tif 000040
【図４】
2018512013.tif 000041
【図５】
2018512013.tif 000042
【図６】
2018512013.tif 000043
【図７】
2018512013.tif 000044
【図８】
2018512013.tif 000045
【図９】
2018512013.tif 000046
【図１０】
2018512013.tif 000047
【図１１】
2018512013.tif 000048
【図１２】
2018512013.tif 000049
【図１３】
2018512013.tif 000050
【図１４】
2018512013.tif 000051
【図１５】
2018512013.tif 000052
【図１６】
2018512013.tif 000053
【図１７】
2018512013.tif 000054
【図１８】
2018512013.tif 000055
【図１９】
2018512013.tif 000056
【図２０】
2018512013.tif 000057
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）で使用するための方法であって、
拡張物理ダウンリンク制御チャネル（ＥＰＤＣＣＨ）をモニタするための複数のサブバンドのうちの少なくとも１つのサブバンドを示す構成情報を基地局から前記ＷＴＲＵによって受信することであって、前記複数のサブバンドの各サブバンドは、システム帯域幅における周波数リソースのサブセットから構成される、ことと、
前記受信された構成情報に基づいて、前記ＥＰＤＣＣＨをモニタするための前記少なくとも１つのサブバンドを前記ＷＴＲＵによって決定することであって、前記ＥＰＤＣＣＨをモニタするための前記少なくとも１つの決定されたサブバンドのそれぞれは、それらに関するチャネル状態情報（ＣＳＩ）フィードバックを測定するためのＣＳＩダウンリンクサブバンド（ＣＳＩ−サブバンド）として、前記ＷＴＲＵによってさらに決定される、ことと、
前記ＥＰＤＣＣＨに対する各ＣＳＩ−サブバンドを前記ＷＴＲＵによってモニタすることと、
各ＣＳＩ−サブバンドに関する前記ＣＳＩフィードバックを前記ＷＴＲＵによって測定することと
を含む方法。
【請求項２】
少なくとも１つのアップリンクチャネル上で、各ＣＳＩ−サブバンドに対する前記測定されたＣＳＩフィードバックを前記ＷＴＲＵによって報告することであって、前記少なくとも１つのアップリンクチャネルのそれぞれは、対応するＣＳＩ−サブバンドに関連付けられる、ことをさらに含む、請求項１の方法。
【請求項３】
前記測定されたＣＳＩフィードバックは、対応するＣＳＩ−サブバンドに対するチャネル品質インジケータ（ＣＱＩ）値を含む、請求項２の方法。
【請求項４】
各ＣＳＩ−サブバンドについてダウンリンク（ＤＬ）サブバンドインデックスを前記ＷＴＲＵによって決定することと、
少なくとも１つの決定されたＤＬサブバンドインデックスに対する前記ＣＳＩフィードバックを前記ＷＴＲＵによって報告することと
をさらに含む、請求項１の方法。
【請求項５】
前記ＣＳＩフィードバックを報告することは、報告される前記少なくとも１つの決定されたＤＬサブバンドインデックスのそれぞれに対する前記ＤＬサブバンドインデックスと、チャネル品質インジケータ（ＣＱＩ）値とを報告することを含む、請求項４の方法。
【請求項６】
前記少なくとも１つの決定されたＤＬサブバンドインデックスに対する前記ＣＳＩフィードバックを報告することは、前記少なくとも１つの決定されたＤＬサブバンドインデックスのそれぞれに対する前記ＣＳＩフィードバックを一度に１つ報告することを含む、請求項４の方法。
【請求項７】
ＣＳＩフィードバック報告のためにＣＳＩ−サブバンドの中からＣＳＩ−サブバンドを前記ＷＴＲＵによって選択することと、
アップリンクチャネル上で、前記選択されたＣＳＩ−サブバンドに対応する前記ＣＳＩフィードバックを前記ＷＴＲＵによって報告することと
をさらに含む、請求項１の方法。
【請求項８】
ＣＳＩフィードバック報告のための前記選択されたＣＳＩ−サブバンドは、前記ＣＳＩ−サブバンドの中の好ましいＣＳＩ−サブバンドである、請求項７の方法。
【請求項９】
前記好ましいＣＳＩ−サブバンドは、前記ＣＳＩ−サブバンドの中で最高のＣＱＩ値を有する、請求項８の方法。
【請求項１０】
前記選択されたＣＳＩ−サブバンドに対する前記ＣＳＩフィードバックを報告することは、前記選択されたＣＳＩ−サブバンドに対応するダウンリンク（ＤＬ）サブバンドインデックスと、チャネル品質インジケータ（ＣＱＩ）値を報告することを含む、請求項７の方法。
【請求項１１】
無線送受信ユニット（ＷＴＲＵ）であって、
拡張物理ダウンリンク制御チャネル（ＥＰＤＣＣＨ）をモニタするための複数のサブバンドのうちの少なくとも１つのサブバンドを示す構成情報を基地局から受信するように構成された受信機であって、前記複数のサブバンドの各サブバンドは、システム帯域幅における周波数リソースのサブセットから構成される、受信機と、
前記受信された構成情報に基づき、前記ＥＰＤＣＣＨをモニタするための前記少なくとも１つのサブバンドを決定し、前記ＥＰＤＣＣＨをモニタするための前記少なくとも１つの決定されたサブバンドのそれぞれを、それらに関するチャネル状態情報（ＣＳＩ）フィードバックを測定するためのＣＳＩダウンリンクサブバンド（ＣＳＩ−サブバンド）としてさらに決定するように構成される少なくとも１つのプロセッサとを備え、
前記受信機および前記少なくとも１つのプロセッサは、前記ＥＰＤＣＣＨに対する各ＣＳＩ−サブバンドをモニタするようにさらに構成され、
前記受信機および前記少なくとも１つのプロセッサは、各ＣＳＩ−サブバンドに関する前記ＣＳＩフィードバックを測定するようにさらに構成される、無線送受信ユニット（ＷＴＲＵ）。
【請求項１２】
少なくとも１つのアップリンクチャネル上で、各ＣＳＩ−サブバンドに対する前記測定されたＣＳＩフィードバックを報告するように構成された送信機をさらに備え、前記少なくとも１つのアップリンクチャネルのそれぞれは、対応するＣＳＩ−サブバンドに関連付けられる、請求項１１のＷＴＲＵ。
【請求項１３】
前記測定されたＣＳＩフィードバックは、対応するＣＳＩ−サブバンドに対するチャネル品質インジケータ（ＣＱＩ）値を含む、請求項１２のＷＴＲＵ。
【請求項１４】
前記少なくとも１つのプロセッサは、各ＣＳＩ−サブバンドについてダウンリンク（ＤＬ）サブバンドインデックスを決定するように構成され、
前記ＷＴＲＵは、少なくとも１つの決定されたＤＬサブバンドインデックスに対する前記ＣＳＩフィードバックを報告するように構成された送信機をさらに備える、請求項１１のＷＴＲＵ。
【請求項１５】
前記ＣＳＩフィードバックは、前記ＤＬサブバンドインデックスと、報告される前記少なくとも１つの決定されたＤＬサブバンドインデックスのそれぞれに対するチャネル品質インジケータ（ＣＱＩ）値とを含む、請求項１４のＷＴＲＵ。
【請求項１６】
前記送信機は、前記少なくとも１つの決定されたＤＬサブバンドインデックスのそれぞれに対する前記ＣＳＩフィードバックを一度に１つ報告するように構成される、請求項１４のＷＴＲＵ。
【請求項１７】
前記少なくとも１つのプロセッサは、ＣＳＩフィードバック報告のためにＣＳＩ−サブバンドの中からＣＳＩ−サブバンドを選択するように構成され、
前記ＷＴＲＵは、アップリンクチャネル上で、前記選択されたＣＳＩ−サブバンドに対応する前記ＣＳＩフィードバックを報告するように構成された送信機をさらに備える、請求項１１のＷＴＲＵ。
【請求項１８】
ＣＳＩフィードバック報告のための前記選択されたＣＳＩ−サブバンドは、前記ＣＳＩ−サブバンドの中の好ましいＣＳＩ−サブバンドである、請求項１７のＷＴＲＵ。
【請求項１９】
前記好ましいＣＳＩ−サブバンドは、前記ＣＳＩ−サブバンドの中で最高のＣＱＩ値を有する、請求項１８のＷＴＲＵ。
【請求項２０】
前記選択されたＣＳＩ−サブバンドに対する前記ＣＳＩフィードバックは、前記選択されたＣＳＩ−サブバンドに対応するダウンリンク（ＤＬ）サブバンドインデックスと、チャネル品質インジケータ（ＣＱＩ）値とを含む、請求項１７のＷＴＲＵ。
【手続補正２】
【補正対象書類名】明細書
【補正対象項目名】０２９４
【補正方法】変更
【補正の内容】
【０２９４】
ＣＳＩフィードバックに対して、複数のサブバンドを決定する、または構成することができる。特に、２つ以上のＤ−サブバンド（例えば、２または４）を、ＣＳＩフィードバックに対するサブバンドとして決定する、または構成することができ、それは、チャネル品質インジケータ（ＣＱＩ）、プリコーディングマトリクスインジケータ（ＰＭＩ）、およびランクインジケータ（ＲＩ）のうちの少なくとも１つを含むことができる。本明細書では、ＣＳＩフィードバックに対して構成された、または決定されたＤ−サブバンドは、ＣＳＩ−サブバンドと呼ばれることがある。ＷＴＲＵは、ＣＳＩ−サブバンドで、ＣＳＩフィードバック要求をモニタする、かつ／または受信することができる。ＣＳＩ−サブバンド（すなわち、Ｄ−サブバンド）がネットワーク（例えば、ｅＮｏｄｅＢ）により使用されて、ＷＴＲＵから、ＣＳＩ報告（すなわち、フィードバック）を示し、かつ／または要求する信号を、ダウンリンクで送信することができる。ＣＳＩフィードバック指示および／または要求を受信したことに応じて、ＷＴＲＵは、要求されたＣＳＩ測定を実施し、かつＣＳＩフィードバックを、ＣＳＩ−サブバンドに対応するＤＬサブバンドインデックスと共にネットワーク（例えば、ｅＮｏｄｅＢ）に送信することができる。ＣＳＩフィードバック報告を送信するための関連するＵ−サブバンドは、報告のために、ＷＴＲＵ（またはネットワーク）により識別され、かつ／または決定することができ、またＷＴＲＵは、識別および／または決定された、関連するＵ−サブバンドを用いてＣＳＩフィードバック報告を送信することができる。
【国際調査報告】
2018512013.tif 000058
2018512013.tif 000059
2018512013.tif 000060